(57)【要約】      （修正有）【課題】動物捕獲器における、捕集効率の向上と安定化及び定置化底コスト化。【解決手段】落床の中央に配置された、当該捕獲動物の行動による力を受ける受圧部を除いて、前記落床の作動に係る機構一式を当該落床の裏面に配置した、電気などの補助エネルギーを必要としない機構及び構造から構成する。また、モグラ捕獲器において、枠体となる外箱を定置として地中に常設し、捕獲に係る器具一式を別体としたことにより、当該捕獲に係る器具一式を容易に出し入れ可能にした二重箱型構造から構成する。また、モグラ捕獲器において、捕獲に係る器具一式を、底面にミミズ通過口を有するモグラトンネルを備えたミミズ箱、上部に落床及び前述の当該落床を作動させる機構一式を併設したモグラ受箱とした構造から構成する。【選択図】  図１
2007037479.tif 000002
【特許請求の範囲】
【請求項１】
落床を有する動物捕獲器において、当該落床の表面に当該捕獲動物の行動による圧力を受ける受圧部のみを配置し、当該落床の自動復帰に係る付勢機構部及び係止具は、当該動物捕獲器の裏面（内部面）に配置され、当該受圧部の下部にて当該落床を通過し、連接体によって当該受圧部と当該係止部とが連接される構造を特徴とする動物捕獲器。
【請求項２】
前項請求項１記載の、当該落床は、常時は水平を保ち、当該落床の水平維持に必要な反力以上、且つ前記反力と当該捕獲動物の自重を加算した値未満の荷重で、バネもしくはバランス錘などの与圧具を用いて、上方に回動すべく付勢されて筐体に枢着され、当該落床は、前記枢着辺以外の辺を用いて、振り子運動を行う揺動錘、または直線往復運動を行う揺動ロッドなどの、当該落床の裏面に配置される係止具を用いて、常時は当該筐体に係止され、当該係止具には、連接体が連結され、前記当該連接体は、当該落床の中央部を通過してスライド可能状態で表面に支持され、餌箱もしくは餌取付具及び独立した受圧具に連結されて連結が完結され、また、前記当該係止具は、係止解除作動力が解除された時には、振り子運動を行う揺動錘にあっては、自重バランスにより、また、直線往復運動を行う揺動ロッドにあっては、補助与圧戻りバネの付勢により、当該落床を係止する姿勢に自動的に復帰するという落床の作動機構及び構造からなることを特徴とする動物捕獲器。
【請求項３】
前項請求項２記載の落床の作動機構、並びに、先行する従来技術を複合利用するモグラ捕獲器において、水平方向周囲側面に、少なくとも一つのモグラ進入口を有する外箱を、当該外箱上面が地表に露出するように地中に埋設し、当該外箱の内部に、モグラ捕獲に必要な捕獲器具一式を収納する、二重箱型構造を有することを特徴とする動物捕獲器。
【請求項４】
前項請求項３記載の外箱に蓋を付し、内部に収納するモグラ捕獲に必要な捕獲器具一式の内容が、上方より、下面に前項請求項３記載の水平方向周囲側面の少なくとも一つのモグラ進入口に繋がる、ミミズ通過口を有する誘導通路であるモグラトンネルが形成された餌箱、前々項請求項２記載の、落床の作動機構に関する一式の構造物が配置された中蓋が一時固着されたモグラ受箱、の順序で積重ねられた構成で設置されることを特徴とする動物捕獲器。
【発明の詳細な説明】
【技術分野】
【０００１】
本発明は、動物捕獲に用いられる捕獲器に関する。
【背景技術】
【０００２】
従来の落床の作動原理としては、落下時には当該捕獲動物の自重を利用し、復帰時には回転やシーソーによる落床の重量バランスによる復元力を利用するものが多い。バネやバランス錘を利用するものもある。特許文献１実明３４８７０１号公報（第１図参照）に基本的な構造が考案されている。以来特許文献３実開昭６０−１２１７６４号公報（第１図参照）．特許文献４特開昭６１−１２２４０（第６図参照）．特許文献６実開平０５−６０２８５号公報（第１図参照）など多くの出願がなされている。特許文献２特開昭５５−１５６５４１号公報（第１・２図参照）の如く、接近を検知し電動式によって開閉するものもある。
【０００３】
また、特許文献３実開昭６０−１２１７６４号公報（第１図参照）にあっては、特許請求の範囲に、〈水室を有する捕殺器ケースにおいて、この水質上面に半回転シーソ式床板と餌台、踏み板をそれぞれ近接して設け、上記床板は踏み板に触れることで反転するよう構成したことを特徴とする連続式ネズミ捕殺器。〉として、落床はバランス錘で、シーソ回動の自動復帰を行わせている。落床端部上方にて、踏み板として振り子運動揺動錘にて係止爪を構成し、バランス錘の利用で係止の自動復帰を行っている。水室にあっては、取扱の利便性を高めて、水室のみを捕獲室として独立させる二重箱型構造の発明をしている。
【０００４】
また、特許文献６実開平０５−６０２８５号公報（第１図参照）にあっては、実用新案登録請求の範囲に、〈請求項１−（ハ）上記檻の少なくとも片方と上方を覆い、上記扉よりも上方に位置する部位に上記動物が進入可能な大きさの入口孔が設けられた外箱、とを具備することを特徴とする動物捕獲装置。請求項２−上記外箱が不透明な材料からなり、外から内部が視覚不能な構造にされていることを特徴とする請求項１に記載の動物捕獲装置。〉とし、要約では、〈ダンボール紙でできた外箱３０を内箱１０の上から被せる。外箱３０の上部には入口孔３１を設けておく。〉として、当該捕獲動物の警戒心を緩和させる考案をしている。二重箱型構造をとっている。利用形態は、床上もしくは地上での動物捕獲であり、利用目的は、捕獲檻体の隠蔽（カムフラージュ）である。
【０００５】
また、モグラ捕獲器にあっては、捕獲器の構成として、特許文献８特許３３０１７５３号公報（第１図参照）などのように、一体のモグラ捕獲器を土中に埋設する構成が多くみられる。なかには特許文献５実開昭６２−１８６６７６号公報（第２図参照）．特許文献７特開２０００−２７０７５４号公報（第１図参照）．特許文献９実登３０９３３９６号公報（第４図参照）のように、下部檻体を土中に埋設したままモグラを取り出せるもの、あるいはモグラの捕獲を地表より確認できるものもある。
【０００６】
また、モグラ捕獲器の改良研究の推進に当たっては、当該捕獲動物であるモグラの生態研究と、当該捕獲動物のモグラの主食であるミミズの生態研究に注目する必要がある。モグラとミミズの行動はもちろんのこと、繁殖など生態全般にわたり正しく理解することが望まれる。また、野生動物の捕獲駆除に係る、現代の時代的背景及び法的実際面の正しい理解も必要である。本発明に至った背景文献として、非特許文献１から８の文献を、参考として紹介する。
【特許文献１】実明３４８７０１
【特許文献２】特開昭５５−１５６５４１
【特許文献３】実開昭６０−１２１７６４
【特許文献４】特開昭６１−１２２４０
【特許文献５】実開昭６２−１８６６７６
【特許文献６】実開平０５−６０２８５
【特許文献７】特開２０００−２７０７５４
【特許文献８】特許３３０１７５３
【特許文献９】実登３０９３３９６
【非特許文献１】ダーウィン  ミミズと土
【非特許文献２】ジェリー；ミニッチ  ミミズの博物誌
【非特許文献３】中村方子  ミミズのいる地球他
【非特許文献４】渡辺弘之  ミミズのダンスが地球を潤す
【非特許文献５】ケネス；メランビー  モグラ物語
【非特許文献６】今泉吉晴  モグラの地中他
【非特許文献７】手塚甫  モグラ他
【非特許文献８】羽山伸一  野生動物問題
【発明の開示】
【発明が解決しようとする課題】
【０００７】
前項背景技術の特許文献１実明３４８７０１・特許文献３実開昭６０−１２１７６４にあっては、当該捕獲動物が落床に自重を掛ける過程の、体が充分に移動しない時点で、徐々に落床の作動が始まり、足元の動きに当該捕獲動物が警戒して引き下がってしまう場合が生じてしまうという課題を有している。
【０００８】
また、前段落記載の課題を解決した、前項背景技術の特許文献４特開昭６１−１２２４０にあっては、係止具が落床上方端部にあり、当該落床を通過して係止具に誘導する囲いが必要となり、餌が外部からは目視できない。当該捕獲動物は臭気のみの誘引となる。特許文献２特開昭５５−１５６５４１にあっては、設餌部に囲いを必要とせず、当該捕獲動物の視野には、落床中央部に配置された餌のみが提供され、前記課題を解決しているが、補助エネルギーとして、電気エネルギーが必要になり、且つ電動式作動機構が必要となり、構造が複雑で高価な装置になる上に、電池管理という維持管理が付帯的に発生してしまうという課題を有している。
【０００９】
また、従来のモグラ捕獲器に関しては、前項背景技術の特許文献８特許３３０１７５３に代表される如く、地表を観察し当該地表の盛り上がり状態から、既存のモグラトンネルを見つけ、捕獲に最も適切な場所を判断し、そこに埋設しなくてはならない。しかし、地中のモグラトンネル網は、地表からの目視観察はできない。設置適所とされる、モグラの生活行動の主幹的位置づけとなる本道を特定することなど、とうてい普通人の能力範疇にはない。設置場所判断はなかなか難しく、経験を重ねなくてはならない。先行する従来技術の多くは、捕獲の確認を含めて、モグラ取り出しの都度、檻体である一体のモグラ捕獲器を掘り出さなくてならないという課題を有している。前述課題の後者を解決した、前項背景技術の特許文献５実開昭６２−１８６６７６．特許文献７特開２０００−２７０７５４．特許文献９実登３０９３３９６のように捕獲器である檻体の一部もしくは全体を埋設したまま地上捕獲確認可能なもの及びモグラのみ取り出せるものもあるが、設置適所としてモグラトンネル網の本道を求めるという課題を有している。
【００１０】
また、前段落同様モグラ捕獲器に関しては、人間による捕獲駆除の他、非特許文献５・６・７で紹介した、今泉吉晴・手塚甫・ケネス；メランビー等が、モグラの生態に関する学術研究で明らかにしているように、自然の営みとして、動物界の食物連鎖による捕食があっても、直ぐに、主をなくした既存のモグラトンネル網に、他のモグラが進入し、自分のなわばりにしてしまうことが繰り返される。繁殖力の高いモグラは、他の肉食動物の餌として短い生涯を終えるものが多い。長年生存して自然死を迎えるものは極めて少ない。自然界として全体的に観ると、人間による捕獲駆除は一部にすぎない。人間の生活圏以外の自然圏から、人間の生活圏への新生モグラの流入は、自然の展開である。非特許文献８羽山伸一・野生動物問題（Ｐ．７８参照）によると、１９９５年の国土利用実態として、農用地１３．５％・森林６６．５％・原野０．７％・河川など３．５％のデータが報告されている。面積比から判断して、前述の自然圏からの農用地への新生モグラの流入個体数の多さが推測される。従って、背景技術の項で示した従来例による、その場対応の一時的な対症療法捕獲駆除では、モグラの被害を減少させる対策としての効果は低い。古来幾多の発明がなされ、様々な対応がなされているにもかかわらず、人間とモグラとの戦いは、ネズミと同様に、農業を核とした人間の定住生活が始まって以来継続されているという課題を有している。
【００１１】
本発明は、上記のような課題を解決し、当該捕獲動物が、落床の上に完全に自重を移動させた後に、当該落床を作動させ、且つ、誘導囲いを必要とせず、当該捕獲動物の視野に、落床の中央部に配置された餌のみを提供する、外部エネルギーを付加利用しない簡単な落床作動機構（開閉）及び構造を提供することを目的とするものである。
【００１２】
また、モグラ捕獲器にあって、既存のモグラトンネルを見つけて、わなを仕掛ける方法から脱皮し、捕獲に都合の良い場所にモグラトンネルを新設させ、モグラ捕獲に係る器具一式を容易に出し入れ可能にした、定置設置による継続的な連続捕獲を可能にさせる、土地利用に係るモグラ被害の、抜本的対策として予防保全的意味合いのあるモグラ捕獲器を、農用地・公園及び諸施設などの公用地・ゴルフ場、保養地などの自然環境を利用する産業などに提供することを目的とするものである。
【課題を解決するための手段】
【００１３】
このため、本発明の動物捕獲器は、当該落床の表面に当該捕獲動物の行動による圧力を受ける受圧部のみを配置し、当該落床の自動復帰に係る付勢機構部及び係止具は、当該動物捕獲器の裏面（内部面）に配置され、当該受圧部の下部にて当該落床を通過し、連接体によって当該受圧部と当該係止部とが連接される構造を特徴とする。
【００１４】
前段落記載の、当該落床は、常時は水平を保ち、当該落床の水平維持に必要な反力以上、且つ前記反力と当該捕獲動物の自重を加算した値未満の荷重で、バネもしくはバランス錘などの与圧具を用いて、上方に回動すべく付勢されて筐体に枢着され、当該落床は、前記枢着辺以外の辺を用いて、振り子運動を行う揺動錘、または直線往復運動を行う揺動ロッドなどの、当該落床の裏面に配置される係止具を用いて、常時は当該筐体に係止され、当該係止具には、連接体が連結され、前記当該連接体は、当該落床の中央部を通過してスライド可能状態で表面に支持され、餌箱もしくは餌取付具及び独立した受圧具に連結されて連結が完結され、また、前記当該係止具は、係止解除作動力が解除された時には、振り子運動を行う揺動錘にあっては、自重バランスにより、また、直線往復運動を行う揺動ロッドにあっては、補助与圧戻りバネの付勢により、当該落床を係止する姿勢に自動的に復帰するという落床の作動機構及び構造からなることを特徴とする。
【００１５】
前段落記載の落床の作動機構、並びに、先行する従来技術を複合利用するモグラ捕獲器において、水平方向周囲側面に、少なくとも一つのモグラ進入口を有する外箱を、当該外箱上面が地表に露出するように地中に埋設し、当該外箱の内部に、モグラ捕獲に必要な捕獲器具一式を収納する、二重箱型構造を有することを特徴とする。
【００１６】
また、前段落記載の外箱に蓋を付し、内部に収納するモグラ捕獲に必要な捕獲器具一式の内容が、上方より、下面に前段落記載の水平方向周囲側面の少なくとも一つのモグラ進入口に繋がる、ミミズ通過口を有する誘導通路であるモグラトンネルが形成された餌箱、前々段落記載の、落床の作動機構に関する一式の構造物が配置された中蓋が一時固着されたモグラ受箱、の順序で積重ねられた構成で設置されることを特徴とする。
【発明の効果】
【００１７】
本発明は、以上のように構成したので、落床の基本的作動機構の利用は、広範な種類の動物捕獲器に適用できる。落床の作動を促す自重を有する、地上及び地中に生息する、総ての動物の捕獲に適用され得る。しかし、運用に当たっては現行法規に基づかなければならない。鳥獣保護及び狩猟の適正化に関する法律・動物の愛護及び管理に関する法律、の二法で、ネズミやモグラなどを除く野生鳥獣は、許可なく捕獲することが禁止されている。農林水産業その他自然環境を利用する産業などの、実質的な営業被害を受けた場合と、人間の生命と安全に関する被害が予測される場合には、有害駆除という制度で、駆除申請し許可を受けた後、捕獲することができる。野生動物の被害問題にかかわる歴史は、ヒトの起源にまでさかのぼることができる。シシ垣などの、中世期の膨大な経済的負担の歴史だけでなく、現代でも、高速道路のシシ垣対策などでは、多くの負担が強いられている。本発明に係る落床の基本構造は、これらの現状を踏まえた捕獲行動の他、学術研究のための生け捕り調査と、自然保護の立場から、自然生態系の維持を目的とした、行政主体による、科学的計画的に裏付けされた保護管理の基に実行される、野生動物の捕獲行動の基本ツールとして利用される可能性を有するという効果を有する。〈記述内容は、非特許文献８羽山伸一・野生動物問題（Ｐ．３９〜Ｐ．７１参照）より引用〉
【００１８】
応用例として、山間傾斜地を利用して、当該傾斜地を部分的に掘り込み、横方向はめ込み方式の大形装置で、有害獣である熊や猪などの大型動物の生け捕り捕獲器へのような応用も可能である。中型動物では、過繁殖になった野犬や野良猫などの生け捕り捕獲器への応用も可能である。クマネズミのようなモグラ同様の他の小型動物への応用も可能である。学術調査や研究のための、一時的な様々な動物捕獲への対応も可能である。という効果を有する。
【００１９】
当該捕獲動物の行動による、本発明に係る落床の作動機構部分に、実施例−１の構成を採用すれば、落床表面に置かれた餌箱もしくは餌籠のみ、もしくは餌取付具を用いた場合は餌のみを、当該捕獲動物の視野に置く設定がとれる。捕集に係る動物受け箱である檻体部分と、落床の作動機構部分は、台下もしくは地中に置く対策が取れる。当該捕獲動物が、完全に落床上に体を移動させた後に当該落床の作動を行う機構と併せて、二重の当該捕獲動物の警戒心を緩和させる対策となる。付帯エネルギーを必要としない、安価でランニングコストの少ない、捕獲効率を高めた動物捕獲器を提供するという効果を有する。
【００２０】
また、モグラ捕獲器において、本発明に係る実施例−２における、一対の中開落床を有する捕集式二重箱型定置型モグラ捕獲器にあっては、外箱を独立させたので、設置にあたり、外箱のみの埋設を先行させ、モグラ進入口下部レベルに仮設床を張り、半腐り状態の稲藁や草もしくは落ち葉などと、モグラの主食であるミミズを入れ、モグラの活動に任せておくことができる。既存のモグラトンネルのない場所でも、やがてモグラは主食であるミミズの臭気に引かれてモグラトンネルを掘り進めてくる。モグラの習性として、非通常的臭気が漂う場合や、非通常的気配のする地下の未知なる空間は、警戒心のため、トンネル内壁を削り、内部の土で塞いでしまう。自らが造ったモグラトンネル網内部でも、同様に通路を閉塞し迂回路を構築する場合もある。〈非特許文献５ケネス；メランビー・モグラ物語では、わなを迂回するモグラの習性が紹介されている。〉本発明に係る試行でも、大方の場合、外箱設置初期においては、外箱内部に、トンネル内の土が押し出され、モグラが進入する気配は感じられない。前記排土を排除してみると、外箱周囲に迂回路が上下左右に掘られている場合がある。ミミズの供給を充分に続けると、徐々に外箱内部も狩り場として、行動範疇に取り入れられていく。やがて外箱内部での行動も活発となりモグラの主食であるミミズも食べ尽くされる。更にミミズを追加してモグラの活動に任せておく、モグラは自身のなわばり内の主要な狩り場として、外箱に通じるモグラトンネル網の構成を造り上げてゆく、外箱内へのトンネル内からの土の押し出しがおさまり、モグラの活発なミミズ捕食活動が確認される時点で、トンネル排土と仮設床を撤去し、モグラ捕獲器具一式を収納する。
【００２１】
設置初期は、受動ブロック（実施例−２図２参照）は外しておき、モグラの行動に任せておく。前段落と同様な結果となる場合もあるが、モグラのミミズ箱に設けられたトンネル通過と、なわばり誇示であるマーキングが確認される時点が、捕獲開始の適期である。土の動きを観察することになる。
【００２２】
前段落及び前々段落記載の内容は、人間による捕獲駆除の他、非特許文献５・６・７で紹介した、今泉吉晴・手塚甫・ケネス；メランビー等のモグラの生態に関する学術研究で明らかにされているように、動物界の食物連鎖による捕食があっても、直ぐに他のモグラが進入し自分のなわばりとしてしまうことが繰り返されるという課題の解決に有効に働く。後続の進入モグラは、先住モグラのモグラトンネル網を、とりあえずそのまま利用する習性があるからである。
【００２３】
より安定した捕集式モグラ捕獲器を実現させるには、外箱位置が、モグラトンネル網の主幹的位置づけとなる、主要な狩り場とする構成が必要である。なわばりの主であるモグラの世代交代が進行することを考慮すると、外箱に通じるモグラトンネルが、後続の進入モグラが早期に利用され得るモグラトンネルに仕上げられる必要がある。設置初期の、前（００２０及び００２１）段落記載の対応の意味合いの重要性がここにある。〈非特許文献５ケネス；メランビー・モグラ物語は、新生モグラが定住できるモグラトンネルを求めて放浪を続ける行動の中に、モグラの生態研究の結果を、児童向け物語としてまとめたものである。〉モグラトンネル網は、地上からは解らない。モグラの行動主幹となる本道を見つけることは容易なことではない。外箱内部に押し出されるモグラトンネル内部からの土の動きを通じて、モグラの行動状態を、想像的に感じ取ることになる。
【００２４】
モグラの世代交代が進み、捕集式捕獲の頻度が低下に至った時にも、モグラ捕獲器具一式を取り出し、設置初期の対応と同様な仮設床を用いた、モグラトンネル再生処理を行う。モグラトンネルへのミミズの進入を促進させ、外箱位置のモグラトンネル網の、主要な狩り場の位置づけを活性化させる。モグラの生態に関する学術研究で明らかにされていることから、将来に渡って継続的に捕集式捕獲駆除を行う必要性がある。継続的維持管理を容易に行えるようにした、より安定した捕集式定置型モグラ捕獲器を提供するという効果を有する。
【００２５】
また、背景の技術の項で示した通り、動物捕獲器において、捕獲室と外箱を併設する二重箱型構造の利用は古くから行われている。外観上の二重箱型構造は既に新規性喪失状態である。しかし、本発明に係る二重箱型構造は、モグラ捕獲器として地中に埋設する方法を発明している。作用として、前述の、モグラの習性を利用しミミズを用いた、モグラトンネル網の主幹的位置付けとなる外箱へのモグラトンネル網の再構築を引き出している。既存のモグラトンネルの本道を特定し、捕獲器を設置する対症療法的対応から脱皮する、前述の本発明の使用方法の内容は、背景の項で示した通り、従来のモグラ捕獲器にはみられない新規性である。定置設置による利用の、農耕作業の非障害化及び美観の確保など、土地利用に係る使用上の利便性と、予防保全的捕集機能とを併せて、従来のモグラ捕獲器にはない新規性を生み出したという効果を有する。
【００２６】
また、本発明に係る実施例−２における、一対の中開落床を有する捕集式二重箱型定置型モグラ捕獲器にあっては、ミミズ箱３０を構造的に大型にできるので、モグラの主食であるミミズの養殖箱としての機能を付加させることができる。本発明に係る試行では、当該ミミズ箱３０内で産卵された卵包と、孵化した微細なミミズの幼体が確認されている。挿し餌と、餌の管理負担が軽減できるモグラ捕獲器を提供するという効果を有する。
【００２７】
また、本発明に係る初期試行では、ミミズ箱を餌箱としてミミズ単体で、小さな箱に投入していた、前記構成ではミミズの長時間生存が安定せず、試行の段階毎に餌箱の大きさを増し、結果的に、ミミズの食料である半腐りの稲藁を追加し、養殖箱とする本発明の構成に至った。
【００２８】
また、本発明に係る試行では、実施例−２に付随して、冬期間のミミズ保存用として、モグラ受け箱２８bの下部にもう一つのミミズ箱を設けてみた。寒冷地では、ミミズは冬季になると地中深くにもぐり地表から姿を消す。上方のミミズ箱３０では冬期間には、低温のためミミズは死滅してしまう。下部ミミズ箱であれば土中深度が増すので凍結もなく、仮死状態になった場合でも生存の可能性が高い。前記試行設置では、厳冬期に、地表周辺の凍結にも関わらず、地中４０ｃｍ深度の下部ミミズ箱では、ミミズ生体の個体数は減少し、活動はほとんど仮眠状態であったが、一方微細なミミズが観測され、卵包の孵化が確認された。冬期間以外でも、ミミズの養殖箱としても利用できる。前記下部ミミズ箱構成は、寒冷地における冬期間のモグラ捕獲対策としての意味合いを生むという効果を有している。
【００２９】
また、本発明に係る、実施例−２における一対の中開落床を有する捕集式二重箱型定置型モグラ捕獲器を、より効果的に早期に立ち上げるには、農耕地であれば耕作及び栽培に支障を与えない場所、庭や公園及びゴルフ場並びに保養地などにあっては、人の利用に支障をきたさない場所、もしくは美観に支障を与えない場所など、設置場所選定の後、当該設置予定場所に、稲藁などの有機堆肥を積み、予めモグラを誘引しておくとよい。本発明に係る試行では、地面に直接積み上げた稲藁は、自然発生的にモグラの主食であるミミズを誘発し増殖する場合が多い、自然発生がなくても、他所よりミミズを稲藁などの有機堆肥に供給すればよい。ミミズが増殖されると、やがてモグラは土中からやってくる。予めモグラトンネル網の主要な狩り場としての構成がある程度構築できる。有機堆肥の下にモグラが頻繁に通う時期が、外箱設置の適期である。
【００３０】
また、前段落記載の稲藁などの有機堆肥は、大量でなくてよい。稲藁であれば小束数束で十分である。人参牛蒡など冬期間の土中根菜越冬保存として、稲藁を小束で数段敷き詰めておくと、春になると、稲藁下面にミミズの繁殖とモグラトンネルの存在が観察される現状がある。
【００３１】
また、本発明に係る捕集式モグラ捕獲の繰り返し利用継続は、自然な土地の営みのバロメーターとなる。ミミズもモグラも生息しない土地は、健康状態が低下しているのである。ミミズが生息し、そのミミズを主食とするモグラが絶えることなくやってくる。周辺地域環境を含めて、土地が活き活きと活動していることの証明である。そこで生産される農作物は、人間に健康を提供してくれる。育まれる植物は健全な自然環境を提供してくれる。土地の健康状態を示してくれるという効果を有する。
【００３２】
また、本発明に係るミミズ利用の構成は、ダーウィン・ジェリー；ミニッチ・中村方子・渡辺弘之等のミミズの生態に関する、実用及び学術研究結果の応用実施例である。
【００３３】
また、本発明によるモグラ捕獲器と、Ｆ１・Ｆターム分類Ａ０１Ｍ２３／００における、／０２〜／３８全域での従来の発明によるモグラ捕獲器との併設を考慮してもよい。本発明の外箱と餌箱に係る二重箱型構造を採用し、モグラ捕獲器の器具一式として、従来の発明によるモグラ捕獲器及び今後の新規発明によるモグラ捕獲器を組み合わせて用いてもよい。生産者の事情に応じた、より生産経済性の高い選択、及び使用者の使い勝手による利便性の選択がなされてよい。モグラ捕獲器に様々な製品仕様が広がってよい。本発明を併用し、従来技術を有効に活用できるという効果を有する。
【発明を実施するための最良の形態】
【００３４】
以下、図面に示す実施例に基づいて、本発明の実施の形態を説明する。図１は落床Ａ１１ａ開閉構造の、基本部分の基本的機構を説明する一実施例を示す、一部分断面である中央部分の斜視図、図２は、一対の中開落床Ｂ１１ｂ及び落床Ｂ’１１ｂ’を有する捕集式二重箱型定置型モグラ捕獲器の、一実施例を示す、一部分断面斜視図、図３は図２における、餌箱８であるミミズ箱３０の一部分断面である斜視図、図４は図２における、本発明に係る落床作動部Ｂ１ｂである、モグラ受箱２８ｂ上部中蓋部の一対の中開落床Ｂ１１ｂ及び落床Ｂ’１１ｂ’作動に係る機構部分の一部分断面斜視図、図５は図４における、一対の中開落床Ｂ１１ｂ及び落床Ｂ’１１ｂ’を相互に係止する係止具Ｂ’４ｂ’の機構を説明する、拡大部分断面を示す斜視図、図６は図４における、落床Ｂ１１ｂと落床支持プレート１６を係止する係止具Ｂ４ｂの機構を説明する、拡大部分断面を示す斜視図、図７は本発明に係る落床作動部Ｃ１ｃを有する、地中Ｃ３６ｃ埋込タイプの動物捕獲器の一実施例を説明する、中央部分の断面図、図８は本発明に係る落床作動部Ｄ１ｄを有する、段丘地適応タイプの動物捕獲器の一実施例を説明する、中央部分の断面図、図９は本発明に係る落床作動部Ｅ１ｅを有する、床６ｅ置きタイプの動物捕獲器の一実施例を説明する、中央部分の断面図を示す説明図である。
【実施例】
【００３５】
（実施例−１）
図１に示すように、本実施例−１は、本発明に係る落床作動部Ａ１ａ部分である、落床開閉作動機構に係る構造は、落床Ａ１１ａは、前記落床Ａ１１ａの水平維持に必要な反力以上で、前記反力と当該捕獲動物の自重を加算した値未満の荷重をもった、落床付勢機構部Ａ２ａ部分である、落床付勢引張コイルバネＡ１２ａで、上方に付勢をもって、常時は水平を保つように落床Ａ受部１８ａに度当たりして、筐体２８ａに蝶番Ａ１３ａによって枢着される。当該落床Ａ１１ａの枢着辺に左側で対向する辺の裏面に配置された、振り子運動支点２１を運動支点とする爪ロック板振り子錘２０ａと、筐体２８ａの裏面に固着された係止受具Ａ２４ａによって構成される係止具Ａ４ａによって、筐体２８ａと落床Ａ１１ａが裏面において係止される。落床Ａ１１ａ表面中央部分に受圧部Ａ３ａである餌籠１９ａが配置され、ロープ通過穴Ａ１５ａを通過する連接ロープＡ２６ａによって、餌籠１９ａと爪ロック板振り子錘２０ａとが連接ロープＡ２６ａが緊張された状態で連結される。筐体２８ａは上方開口の箱体であり、落床Ａ１１ａが枢着されることにより捕獲室Ａ５ａを備えた捕獲檻体を構成する。
【００３６】
落床Ａ１１ａの開閉作動機構について説明する。落床Ａ１１ａの表面に、当該捕獲動物が侵入し、餌籠１９ａ内に入れられた餌を捕食しようと餌籠１９ａに加圧接触を行う。餌籠１９ａは前記加圧力により移動する。前記移動は連接ロープＡ２６ａを介して爪ロック板振り子錘２０ａを反時計方向に回動させ、係止状態を解除する。この時、餌籠１９ａが落床Ａ１１ａ上のどんな自由方向に移動しても、連接ロープＡ２６ａは、一点であるロープ通過穴Ａ１５ａを支点として上方に引き出されるので、爪ロック板振り子錘２０ａの動きは、反時計方向で常に一定方向となる。
【００３７】
係止が解除された落床Ａ１１ａは、当該捕獲動物の自重により左側で片開き落下（傾斜）する。前記落床Ａ１１ａの落下により、当該捕獲動物は落床Ａ１１ａ上を滑りながら捕獲室Ａ５ａの下方に落下する。この時、落床Ａ１１ａの表面積は、当該捕獲動物の体長（頭部より後足まで）以上を半径とする、餌籠１９ａを中心とした円面積以上が必要となる。
【００３８】
爪ロック板振り子錘２０ａは係止状態で振り子運動支点２１より右側に重心設定をしておく、したがって、落床Ａ１１ａの下方落下（傾斜）時には、当該捕獲動物の落下に伴い餌籠１９ａに与えられていた移動力が解放されると、餌籠１９ａを引擦りながら連接ロープＡ２６ａの緊張状態まで時計方向に反転する。この時の反転力はバネによる付勢を利用してもよい。
【００３９】
当該捕獲動物が落床Ａ１１ａの下方に落下すると、当該落床Ａ１１ａは作動力を失い、落床付勢引張コイルバネＡ１２ａのバネ圧によって、運動の方向が反転され上方に戻る。前段落で説明した通り、すでに爪ロック板振り子錘２０ａは、初期状態を回復しているので、係止受具Ａ２４ａに当たる。係止受具Ａ２４ａには斜面Ａ２５ａが付されているので、爪ロック板振り子錘２０ａは、反時計方向に押し戻されて落床Ａ１１ａが水平状態に復帰する状態に戻る。爪ロック板振り子錘２０ａは重心バランスにより再度時計方向に反転し、筐体２８ａと落床Ａ１１ａが係止される。以上の一連の作動により、全体の初期状態自動復帰がなされ、一回の作動が完結される。以後は同様な繰り返し作動がなされる。
【００４０】
また、餌籠１９ａになされる捕食接触は、餌の消費がなされないことを目的とした籠構成であるが、直接餌を捕食する餌取付具構成であってもよいし、次に実施例−２に示す一対の中開落床を有する捕集式二重箱形定置型モグラ捕獲器のように、当該捕獲動物の餌を追い求める行動接触による受圧具構成であってもよい。当該捕獲動物の習性によって、様々な展開ができる。
【００４１】
また、本実施例−１では、連接体としてロープを採用しているが、ロープ通過穴Ａ１５ａは、摩擦力低減を目的とし、外周溝半丸を対向させて円形のロープ通過穴を構成する、一対のプーリーによる機構に置き換えてもよい。
【００４２】
また、落床Ａ１１ａ下方の捕獲動物受け部の檻体は、空間箱体であってもよいし、水槽や粘着シートが敷設されたものであってもよい。搬送され得る吸引シューターであってもよい。様々な応用が可能である。
【００４３】
また、落床付勢引張コイルバネＡ１２ａは、定圧荷重バネであってもよい。枢着軸を支点とした、バランス錘の利用であってもよい。捕獲室内部で蝶番Ａ１３ａより左側で、落床Ａ１１ａを押し上げる構成の圧縮コイルバネを用いてもよい。
【００４４】
（実施例−２）
図２に示すように、本実施例−２における一対の中開落床を有する捕集式二重箱形定置型モグラ捕獲器の構造は、蓋７を地表Ｂ６ｂより上部に出して、地中に定置常設される上方開口の直方箱体である、周囲４側面に各々モグラ進入口２９を有する外箱Ｂ９ｂの内部に、モグラ捕獲器具一式を収納する、二重箱形構造となっている。
【００４５】
前段落記載のモグラ捕獲器具一式は、図３に示す、底面にミミズ通過口３４を有するモグラトンネル壁３２で構成するモグラトンネル３３、及びポールガイド筒３１を備えた餌箱８であるミミズ箱３０と、中開き（観音開き）である落床Ｂ１１ｂ及び落床Ｂ’１１ｂ’を作動支持させる機構一式を併設した中蓋を上部に一時固着で配置した捕獲室Ｂ５ｂであるモグラ受箱２８ｂとした構造から構成する。
【００４６】
また、モグラトンネルの構成は、ミミズ箱を平底とし、モグラトンネルは、中蓋側に配置する構成としてもさしつかえない。
【００４７】
前（００４５）段落記載のモグラ受け箱２８ｂ上部中蓋構成を説明する。図４において、落床Ｂ１１ｂは、落床支持プレート１６に枢着軸Ｂ１３ｂをもって枢着される。落床支持プレート１６はモグラ受箱２８ｂの上端面にネジにより一時固着される。落床Ｂ１１ｂと落床Ｂ’１１ｂ’は、モグラ受箱２８ｂの上部矩形四隅において同様な枢着であり、前記構成により下方中開き（観音開き）構造となる。中蓋はモグラ取り出しの都度外されることになる。
【００４８】
落床Ｂ１１ｂ裏面には、落床付勢機構部Ｂ２ｂを構成する、Ｌ字形の落床付勢引張コイルバネＢ取付ステー１４が固着され、下方先端に落床付勢引張コイルバネＢ１２ｂが支持される。中開き線を中心線として対称位置に、落床Ｂ’１１ｂ’裏面にも同様な落床付勢引張コイルバネＢ取付ステーが固着されており、落床付勢引張コイルバネＢ１２ｂの右側他端が支持され、一本の落床付勢引張コイルバネB１２ｂで、落床Ｂ１１ｂと落床Ｂ’１１ｂ’が同時に、中開き上方付勢が確保される。落床付勢引張コイルバネＢ取付ステー１４はＬ字形となっており落床付勢引張コイルバネＢ１２ｂは、落床支持プレート１６の下方に位置する。このため、モグラの落下時には障害とならない。落床付勢引張コイルバネＢ１２ｂの損傷が防止できる。
【００４９】
落床支持プレート１６には、落床Ｂ（Ｂ’）受部１８ｂが付されており、同時に、落床Ｂ１１ｂと落床Ｂ’１１ｂ’の上方付勢度当たりとなり、水平状態が確保される。（図６参照）
【００５０】
落床Ｂ１１ｂには、図５に示す通りロープ通過穴Ｂ１５ｂが中央右部にある。前記ロープ通過穴Ｂ１５ｂを通過して連接ロープＢ２６ｂが、落床Ｂ１１ｂの表面に受動ブロック１９ｂ、裏面には図６に詳細を示す係止具Ｂ４ｂに緊張状態で連結される。受動ブロック１９ｂ及びロープ通過穴Ｂ１５ｂの位置は、図３に示したモグラトンネル３３の中央部の十字交叉内空間となる。
【００５１】
落床Ｂ１１ｂの右側手前裏面には、図６に詳細を示す係止具Ｂ４ｂが固着されており、落床支持プレート１６の中央部裏面に固着された係止受具Ｂ２４ｂにより係止されている。
【００５２】
落床Ｂ’１１ｂ’中央左部裏面には、図５に詳細を示す係止具Ｂ’４ｂ’が固着されており、落床Ｂ１１ｂの中央右部裏面に固着された係止受具Ｂ’２４ｂ’により、落床Ｂ１１ｂと落床Ｂ’１１ｂ’は、相互に係止されている。
【００５３】
落床Ｂ１１ｂ及び落床Ｂ’１１ｂ’の付勢動作について説明する。引き伸ばされた落床付勢引張コイルバネＢ１２ｂは、引張力が０となるまで総丈収縮力が働く、両端面の落床付勢引張コイルバネＢ取付ステー１４と対称位置にある同様な落床付勢引張コイルバネＢ取付ステー（図示はしていない）の支持点が、最短距離になるように水平方向に働く。前記落床付勢引張コイルバネＢ１２ｂの両端支持点は枢着軸Ｂ１３ｂを中心として各々回動する。すなわち、前記支持点における垂直方向分力が、落床Ｂ１１ｂ及び落床Ｂ’１１ｂ’の押し上げ付勢として働く。理論的には、一対の中開落床の両側枢着２軸と、引張コイルバネ両端の４点が同一直線上に並ぶまで、垂直分力は働くことになる。従って、一本の引張コイルバネで二枚一対の落床に、同時に上方復元付勢が与えられる。
【００５４】
落床開閉作動機構を説明する。四つのモグラ進入口２９のいずれか一方からモグラトンネル３３に進入したモグラは、中央部空間の受動ブロック１９ｂに到達し、前方に進行するために、受動ブロック１９ｂを排除しようと移動させる。（以下図５及び図６参照）受動ブロック１９ｂの移動は、ロープ通過穴Ｂ１５ｂを通過する連接ロープＢ２６ｂを介して、前記連接ロープB２６ｂに固着されたロープフック２７によって、一対のロッド支持板Ｂ２２ｂによって支持された係止ロッドＢ２０ｂを引く。落床支持プレート１６に固着された係止受具Ｂ２４ｂから係止ロッドＢ２０ｂが外れ係止が解除される。以下初期状態復帰までの一連の作動は、図１における実施例−１と同様である。ただしここでは、斜面Ａ２５ａが斜面Ｂ２５ｂに、爪ロック板振り子錘２０ａが係止ロッドＢ２０ｂに、爪ロック板振り子錘２０ａの重心バランスによる戻り付勢がロッド付勢圧縮コイルバネＢ２３ｂに置き換えられている。
【００５５】
落床Ｂ１１ｂと落床Ｂ’１１ｂ’は、図５に示すとおり、一対のロッド支持板Ｂ’２２ｂ’によって支持され、ロッド付勢圧縮コイルバネＢ’２３ｂ’によって戻り付勢された係止ロッＢ’２０ｂ’と係止受具Ｂ’２４ｂ’によって係止されているので、前段落で起動される落床落下は、落床Ｂ１１ｂと落床Ｂ’１１ｂ’が一体となって同時に進行する。モグラが四方向のいずれのモグラトンネル３３に位置しても同じ結果となる。落床Ｂ１１ｂと落床Ｂ’１１ｂ’は下方開きして離れるので、やがて係止受具Ｂ’２４ｂ’と係止ロッドＢ’２０ｂ’の係止は係止ロッドＢ’２０ｂ’の動きが無くても相互に離れ係止が解除される。係止受具Ｂ’２４ｂ’の係止ロッドＢ’２０ｂ’が勘合する受穴は、傾斜に伴う咬み合い防止のための上方余裕が確保されている。
【００５６】
落床Ｂ１１ｂと落床Ｂ’１１ｂ’の中開きに伴い、モグラは中開き中心に移動することになるが、いずれか一方の落床が先にモグラ自重から解放されることになる。先に解放された落床から水平復帰に運動の方向を変える。一連の落下と復帰に伴う作動は、基本的に図１における実施例−１と同様であるが、落床Ｂ１１ｂが先に復帰した場合は、係止受具Ｂ’２４ｂ’の下斜面である斜面Ｂ’２５ｂ’が、係止ロッドＢ’２０ｂ’を押し戻すことになる。落床Ｂ’１１ｂ’が先に復帰した場合は、落床Ｂ１１ｂのロッドＢ’逃げ１５ｂ’を係止ロッドＢ’２０ｂ’が通過した後、係止受具Ｂ’２４ｂ’の上斜面である斜面Ｂ”２５ｂ”が係止ロッドＢ’２０ｂ’を押し戻す。以上の構成により、モグラが４方向のいずれのモグラトンネル３３から進入して、受動ブロック１９ｂをどの自由方向に移動させても、同一の落床Ｂ１１ｂと落床Ｂ’１１ｂ’との中開落床と復帰の一連の動作が確保される。
【００５７】
図２において、落床作動表示ポール１７は、ミミズ箱３０の底面に固着されたポールガイド筒３１内で、落床Ｂ１１ｂに開けられたポール逃穴１５ｂ”（図４参照）の左肩に、先端斜面を引っ掛ける姿勢で配置される。落床Ｂ１１ｂの落下に伴う傾斜で、ポール逃穴１５ｂ”の左肩は、枢着の円弧運動により落下に伴い左側に移動する。したがって落床作動表示ポール１７は、ポール逃穴１５ｂ”内を通過してモグラ受箱２８ｂ内に落下し、地上から落床Ｂ１１ｂの初回作動を確認できることになる。
【００５８】
また、ミミズ箱３０内には、半腐り状態の稲藁や草もしくは落ち葉などを入れ、モグラの主食であるミミズが飼育されている。ミミズは徘徊習癖があり、ミミズ通過口３４を通り、モグラトンネル３３及び捕獲器外部の地中モグラトンネル内へと徘徊してゆく、結果として、モグラがモグラトンネル３３内でミミズを追う行動を誘発し受動ブロック１９ｂの作動に繋がる。
【００５９】
（実施例−３）
図７に示すように、本実施例−３における、地中埋込タイプの動物捕獲器の構造は、地中Ｃ３６ｃに上方開口の直方箱体である外箱Ｃ９ｃが、開口端部が地表Ｃ６ｃと同一レベルに埋設される、当該外箱Ｃ９ｃの内部に、実施例−２と同様に、上部に本発明に係る落床作動部Ｃ１ｃ及び、落床Ｃ１１ｃと落床Ｃ’１１ｃ’と餌取付具に取り付けられた餌Ｃ１９ｃが配置された捕獲室Ｃ５ｃである動物受け箱Ｃ２８ｃが挿入されている。上方外気接触の表面は、地表Ｃ擬似処理３５Ｃが付された構造である。（動物受け箱Ｃ２８ｃを筐体としてポール支持部を配置し、実施例−２と同様な落床作動表示構造を付してもよい。）
【００６０】
当該捕獲動物の捕獲に係る作動機構は、実施例−２と同一である。
【００６１】
また、本実施例−３は、野ネズミなどの小型野生動物からイタチや狸などの中型野生動物の捕獲に適している。
【００６２】
（実施例−４）
図８に示すように、本実施例−４における、段丘地適応タイプの動物捕獲器の構造は、地中Ｄ３６ｄと地表Ｄ６ｄで構成される段丘地に、実施例−２と同様に、上部に本発明に係る落床作動部Ｄ１ｄ及び、落床Ｄ１１ｄと落床Ｄ’１１ｄ’と餌取付具に取り付けられた餌Ｄ１９ｄが配置された捕獲室Ｄ５ｄである動物受け箱Ｄ２８ｄが、渡板３７により、段丘の上方の地表Ｄ６ｄに橋渡しされている。渡板３７と落床Ｄ１１ｄと落床Ｄ’１１ｄ’の表面は、地表Ｄ擬似処理３５ｄが付された構造である。（実施例−３と同様な落床作動表示構造を付してもよい。）
【００６３】
また、当該捕獲動物の警戒心感覚程度により、側面部位にも擬似処理による動物受け箱Ｄ２８ｄ隠蔽対策を必要とされる場合も想定できる。実施例−５においても表面全体において同様である。
【００６４】
当該捕獲動物の捕獲に係る作動機構は、実施例−２と同一である。
【００６５】
また、本実施例−４は、山間地に生息する、狐などの中型野生動物から熊や猪などの大型野生動物の捕獲に適している。
【００６６】
また、てごろな段丘地がない場合には、斜面堀込みによって捕獲室Ｄ５ｄをはめ込み式としてもよい。
【００６７】
（実施例−５）
図９に示すように、本実施例−５における、床置きタイプの動物捕獲器の構造は、実施例−２と同様に、上部に本発明に係る落床作動部Ｅ１ｅ及び、落床Ｅ１１ｅと落床Ｅ’１１ｅ’と餌取付具に取り付けられた餌Ｅ１９ｅが配置された捕獲室Ｅ５ｅである動物受け箱Ｅ２８ｅが、二つの蝶番Ｅ３９及び重ね厚調整板４１によって、三つ折りタイプに構成された登坂板４０で、登坂板受部３８よって、落床Ｅ’１１ｅ’が床６ｅと斜面橋渡しされて床６ｅ上に置かれる。（実施例−３と同様な落床作動表示構造を付してもよい。）
【００６８】
当該捕獲動物の捕獲に係る作動機構は、実施例−２と同一である。
【００６９】
また、本実施例−５は、ネズミなどの屋内に生息する小型野生動物の捕獲に適している。食品倉庫などの各種倉庫のネズミ対策に有効である。屋内に拘らず、屋外の野生動物にも対応できる。
【００７０】
また、ネズミは垂直壁をよじ登る習性がある。送電線の鉄塔や船舶の停泊ロープにみられるネズミ返しがそれを証明している。階段のない平屋の民家でも、天井裏を住みかとし台所を往復している。ネズミ対応の場合には、捕獲室内を仕切り、付勢バネステーの回動逃げ穴を有する付勢バネ保護室の設定が必要となる。
【００７１】
また、実施例―４及び実施例―５において、捕獲室の一面に開閉機能を付与し二重箱形構造を採用すれば、定置型とでき更に捕獲動物の事後扱いが改善される。
【産業上の利用可能性】
【００７２】
本発明は、広範な種類の動物捕獲器に適用できる。自動復帰型落下式床の作動を促す自重を有する、地上及び地中に生息する、総ての動物の捕獲に適用され得る。現代では、野生動物に係る諸問題は、単に農用地が荒らされる内容だけには留まらない。開発の多様化は、野生動物の生活圏を狭めてきた。人間との生活域接点での諸問題の他、大都市圏においても、野犬及び野良猫問題、熊ネズミ及び外来種の大型ネズミの過繁殖問題など、都市環境下においても、新手の問題が発生してきている。ペット導入や生産上での改良導入による、外来種動物の野生化過繁殖問題は、日本古来の固有種を絶滅に追いやる問題も指摘されている。人間の生産行動に係る問題の他、生活の安全上の問題、更には、日本国土としての環境維持保全問題など様々な問題が、現実に課せられている。個々の問題に係るそれぞれの産業と行政分野において、本発明は、前述の諸問題に対応する、野生動物捕獲の基本ツールとして、利用の可能性を有している。
【図面の簡単な説明】
【００７３】
【図１】落床Ａ１１ａ開閉構造の、基本部分の基本的機構を説明する一実施例を示す、一部分断面である中央部分の斜視図である。
【図２】一対の中開落床Ｂ１１ｂ及び落床Ｂ’１１ｂ’を有する捕集式二重箱型定置型モグラ捕獲器の、一実施例を示す、一部分断面斜視図である。
【図３】図２における、餌箱８であるミミズ箱３０の一部分断面である斜視図である。
【図４】図２における、本発明に係る落床作動部Ｂ１ｂである、モグラ受箱２８ｂ上部中蓋部の一対の中開落床Ｂ１１ｂ及び落床Ｂ’１１ｂ’作動に係る機構部分の一部分断面斜視図である。
【図５】図４における、一対の中開落床Ｂ１１ｂ及び落床Ｂ’１１ｂ’を相互に係止する係止具Ｂ’４ｂ’の機構を説明する、拡大部分断面を示す斜視図である。
【図６】図４における、落床Ｂ１１ｂと落床支持プレート１６を係止する係止具Ｂ４ｂの機構を説明する、拡大部分断面を示す斜視図である。
【図７】本発明に係る落床作動部Ｃ１ｃを有する、地中Ｃ３６ｃ埋込タイプの動物捕獲器の一実施例を説明する、中央部分の断面図である。
【図８】本発明に係る落床作動部Ｄ１ｄを有する、段丘地適応タイプの動物捕獲器の一実施例を説明する、中央部分の断面図である。
【図９】本発明に係る落床作動部Ｅ１ｅを有する、床６ｅ置きタイプの動物捕獲器の一実施例を説明する、中央部分の断面図である。
【符号の説明】
【００７４】
１ａ    本発明に係る落床作動部Ａ
１ｂ    本発明に係る落床作動部B
１ｃ    本発明に係る落床作動部C
１ｄ    本発明に係る落床作動部D
１ｅ    本発明に係る落床作動部E
２ａ    落床付勢機構部A
２ｂ    落床付勢機構部B
３ａ    受圧部Ａ
３ｂ    受圧部Ｂ
４ａ    係止具Ａ
４ｂ    係止具Ｂ
４ｂ’  係止具Ｂ’
５ａ    捕獲室Ａ
５ｂ    捕獲室Ｂ
５ｃ    捕獲室Ｃ
５ｄ    捕獲室Ｄ
５ｅ    捕獲室Ｅ
６ｂ    地表Ｂ
６ｃ    地表Ｃ
６ｄ    地表Ｄ
６ｅ    床
７      蓋
８      餌箱
９ｂ    外箱Ｂ
９ｃ    外箱Ｃ
１１ａ    落床Ａ
１１ｂ    落床Ｂ
１１ｂ’  落床Ｂ’
１１ｃ    落床Ｃ
１１ｃ’  落床Ｃ’
１１ｄ    落床Ｄ
１１ｄ’  落床Ｄ’
１１ｅ    落床Ｅ
１１ｅ’  落床Ｅ’
１２ａ    落床付勢引張コイルバネＡ
１２ｂ    落床付勢引張コイルバネＢ
１３ａ    蝶番Ａ
１３ｂ    枢着軸Ｂ
１４      落床付勢引張コイルバネＢ取付ステー
１５ａ    ロープ通過穴Ａ
１５ｂ    ロープ通過穴Ｂ
１５ｂ’  ロッドＢ’逃げ
１５ｂ”  ポール逃げ穴
１６      落床支持プレート
１７      落床作動表示ポール
１８ａ    落床Ａ受け部
１８ｂ    落床Ｂ（Ｂ’）受け部
１９ａ    餌籠
１９ｂ    受動ブロック
１９ｃ    餌Ｃ
１９ｄ    餌Ｄ
１９ｅ    餌Ｅ
２０ａ    爪ロック板振り子錘
２０ｂ    係止ロッドＢ
２０ｂ’  係止ロッドＢ’
２１      振り子運動支点
２２ｂ    ロッド支持板Ｂ
２２ｂ’  ロッド支持板Ｂ’
２３ｂ    ロッド付勢圧縮コイルバネＢ
２３ｂ’  ロッド付勢圧縮コイルバネＢ’
２４ａ    係止受具Ａ
２４ｂ    係止受具Ｂ
２４ｂ’  係止受具Ｂ’
２５ａ    斜面Ａ
２５ｂ    斜面Ｂ
２５ｂ’  斜面Ｂ’
２５ｂ”  斜面Ｂ”
２６ａ    連接ロープＡ
２６ｂ    連接ロープＢ
２７      ロープフック
２８ａ    筐体
２８ｂ    モグラ受け箱
２８ｃ    動物受け箱Ｃ
２８ｄ    動物受け箱Ｄ
２８ｅ    動物受け箱Ｅ
２９      モグラ進入口
３０      ミミズ箱
３１      ポールガイド筒
３２      モグラトンネル壁
３３      モグラトンネル
３４      ミミズ通過口
３５ｃ    地表Ｃ擬似処理
３５ｄ    地表Ｄ擬似処理
３６ｃ    地中Ｃ
３６ｄ    地中Ｄ
３７      渡板
３８      登坂板受部
３９      蝶番Ｅ
４０      登坂板
４１      重ね厚調整板                                                    
【図１】
2007037479.tif 000003
【図２】
2007037479.tif 000004
【図３】
2007037479.tif 000005
【図４】
2007037479.tif 000006
【図５】
2007037479.tif 000007
【図６】
2007037479.tif 000008
【図７】
2007037479.tif 000009
【図８】
2007037479.tif 000010
【図９】
2007037479.tif 000011
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
落床からなる動物捕獲器において、当該落床は、常時水平を保ち水平維持に必要な反力以上、且つ前記反力と捕獲動物の自重を加算した値未満の荷重で、当該動物捕獲器の内部である裏面に配置されるバネもしくはバランス錘の与圧具を用い、上方に回動すべく付勢され筐体に枢着し、当該落床は、振り子運動を行う揺動錘、または直線往復運動を行う揺動ロッドの、当該落床の内部である裏面に配置される係止具を用い、常時当該筐体に係止し、当該係止具には連接体を連結し、連接体は、当該落床の中央部を通過しスライド可能状態で表面に支持し、餌箱もしくは餌取付具及び独立した受圧具に連結し、また係止具は、係止解除作動力が解除された時に、振り子運動を行う揺動錘は、自重バランスにより、また、直線往復運動を行う揺動ロッドは、補助与圧戻りバネの付勢により、当該落床を係止する姿勢に自動的に復帰する、動物捕獲器の表面には受圧具のみが配置される落床の作動機構及び構造からなることを特徴とする動物捕獲器。
【請求項２】
モグラ捕獲器において、水平方向周囲側面に、少なくとも一つのモグラ進入口を有する外箱は、当該外箱上面が地表に露出するように地中に埋設し、当該外箱の内部に、餌箱もしくは餌取付具及び独立した受圧具と落床及び当該落床の作動機構とを配置した内箱であるモグラ受箱を収納する二重箱形構造を有することを特徴とする請求項１記載のモグラ捕獲器。
【請求項３】
水平方向周囲側面に、少なくとも一つのモグラ進入口を有する外箱に蓋を付し、当該蓋上面が地表に露出するように地中に埋設し、当該外箱の内部に、上方より、下面に外箱のモグラ進入口に繋がる誘導通路にミミズ通過口を配置したモグラトンネルが形成された餌箱、落床と当該落床の作動機構を配置した中蓋が一時固着されたモグラ受箱、の順序で積重ねられた構成で設置されることを特徴とする請求項２記載のモグラ捕獲器。
【手続補正２】
【補正対象書類名】明細書
【補正対象項目名】全文
【補正方法】変更
【補正の内容】
【発明の詳細な説明】
【技術分野】
【０００１】
本発明は、動物捕獲に用いられる捕獲器に関する。
【背景技術】
【０００２】
従来の落床の作動原理としては、落下時には当該捕獲動物の自重を利用し、復帰時には回転やシーソーによる落床の重量バランスによる復元力を利用するものが多い。バネやバランス錘を利用するものもある。特許文献１実明３４８７０１号公報（前記公報第１図参照）に基本的な構造が考案されている。以来特許文献３実開昭６０−１２１７６４号公報（前記公報第１図参照）．特許文献４特開昭６１−１２２４０（前記公報第６図参照）．特許文献６実開平０５−６０２８５号公報（前記公報第１図参照）など多くの出願がなされている。特許文献２特開昭５５−１５６５４１号公報（前記公報第１・２図参照）の如く、接近を検知し電動式によって開閉するものもある。
【０００３】
また、特許文献３実開昭６０−１２１７６４号公報（前記公報第１図参照）にあっては、特許請求の範囲に、〈水室を有する捕殺器ケースにおいて、この水質上面に半回転シーソ式床板と餌台、踏み板をそれぞれ近接して設け、上記床板は踏み板に触れることで反転するよう構成したことを特徴とする連続式ネズミ捕殺器。〉として、落床はバランス錘で、シーソ回動の自動復帰を行わせている。落床端部上方にて、踏み板として振り子運動揺動錘にて係止爪を構成し、バランス錘の利用で係止の自動復帰を行っている。水室にあっては、取扱の利便性を高めて、水室のみを捕獲室として独立させる二重箱型構造の発明をしている。
【０００４】
また、特許文献６実開平０５−６０２８５号公報（前記公報第１図参照）にあっては、実用新案登録請求の範囲に、〈請求項１−（ハ）上記檻の少なくとも片方と上方を覆い、上記扉よりも上方に位置する部位に上記動物が進入可能な大きさの入口孔が設けられた外箱、とを具備することを特徴とする動物捕獲装置。請求項２−上記外箱が不透明な材料からなり、外から内部が視覚不能な構造にされていることを特徴とする請求項１に記載の動物捕獲装置。〉とし、要約では、〈ダンボール紙でできた外箱３０を内箱１０の上から被せる。外箱３０の上部には入口孔３１を設けておく。〉として、当該捕獲動物の警戒心を緩和させる考案をしている。二重箱型構造をとっている。利用形態は、床上もしくは地上での動物捕獲であり、利用目的は、捕獲檻体の隠蔽（カムフラージュ）である。
【０００５】
また、モグラ捕獲器にあっては、捕獲器の構成として、特許文献８特許３３０１７５３号公報（前記公報第１図参照）などのように、一体のモグラ捕獲器を土中に埋設する構成が多くみられる。なかには特許文献５実開昭６２−１８６６７６号公報（前記公報第２図参照）．特許文献７特開２０００−２７０７５４号公報（前記公報第１図参照）．特許文献９実登３０９３３９６号公報（前記公報第４図参照）のように、下部檻体を土中に埋設したままモグラを取り出せるもの、あるいはモグラの捕獲を地表より確認できるものもある。
【０００６】
また、モグラ捕獲器の改良研究の推進に当たっては、当該捕獲動物であるモグラの生態研究と、当該捕獲動物のモグラの主食であるミミズの生態研究に注目する必要がある。モグラとミミズの行動はもちろんのこと、繁殖など生態全般にわたり正しく理解することが望まれる。また、野生動物の捕獲駆除に係る、現代の時代的背景及び法的実際面の正しい理解も必要である。本発明に至った背景文献として、非特許文献１から８の文献を、参考として紹介する。
【特許文献１】実明３４８７０１
【特許文献２】特開昭５５−１５６５４１
【特許文献３】実開昭６０−１２１７６４
【特許文献４】特開昭６１−１２２４０
【特許文献５】実開昭６２−１８６６７６
【特許文献６】実開平０５−６０２８５
【特許文献７】特開２０００−２７０７５４
【特許文献８】特許３３０１７５３
【特許文献９】実登３０９３３９６
【非特許文献１】ダーウィン  ミミズと土
【非特許文献２】ジェリー；ミニッチ  ミミズの博物誌
【非特許文献３】中村方子  ミミズのいる地球他
【非特許文献４】渡辺弘之  ミミズのダンスが地球を潤す
【非特許文献５】ケネス；メランビー  モグラ物語
【非特許文献６】今泉吉晴  モグラの地中他
【非特許文献７】手塚甫  モグラ他
【非特許文献８】羽山伸一  野生動物問題
【発明の開示】
【発明が解決しようとする課題】
【０００７】
前項背景技術の特許文献１実明３４８７０１・特許文献３実開昭６０−１２１７６４にあっては、当該捕獲動物が落床に自重を掛ける過程の、体が充分に移動しない時点で、徐々に落床の作動が始まり、足元の動きに当該捕獲動物が警戒して引き下がってしまう場合が生じてしまうという課題を有している。
【０００８】
また、前段落記載の課題を解決した、前項背景技術の特許文献４特開昭６１−１２２４０にあっては、係止具が落床上方端部にあり、当該落床を通過して係止具に誘導する囲いが必要となり、餌が外部からは目視できない。当該捕獲動物は臭気のみの誘引となる。特許文献２特開昭５５−１５６５４１にあっては、設餌部に囲いを必要とせず、当該捕獲動物の視野には、落床中央部に配置された餌のみが提供され、前記課題を解決しているが、補助エネルギーとして、電気エネルギーが必要になり、且つ電動式作動機構が必要となり、構造が複雑で高価な装置になる上に、電池管理という維持管理が付帯的に発生してしまうという課題を有している。
【０００９】
また、従来のモグラ捕獲器に関しては、前項背景技術の特許文献８特許３３０１７５３に代表される如く、地表を観察し当該地表の盛り上がり状態から、既存のモグラトンネルを見つけ、捕獲に最も適切な場所を判断し、そこに埋設しなくてはならない。しかし、地中のモグラトンネル網は、地表からの目視観察はできない。設置適所とされる、モグラの生活行動の主幹的位置づけとなる本道を特定することなど、とうてい普通人の能力範疇にはない。設置場所判断はなかなか難しく、経験を重ねなくてはならない。先行する従来技術の多くは、捕獲の確認を含めて、モグラ取り出しの都度、檻体である一体のモグラ捕獲器を掘り出さなくてならないという課題を有している。前述課題の後者を解決した、前項背景技術の特許文献５実開昭６２−１８６６７６．特許文献７特開２０００−２７０７５４．特許文献９実登３０９３３９６のように捕獲器である檻体の一部もしくは全体を埋設したまま地上捕獲確認可能なもの及びモグラのみ取り出せるものもあるが、設置適所としてモグラトンネル網の本道を求めるという課題を有している。
【００１０】
また、前段落同様モグラ捕獲器に関しては、人間による捕獲駆除の他、非特許文献５・６・７で紹介した、今泉吉晴・手塚甫・ケネス；メランビー等が、モグラの生態に関する学術研究で明らかにしているように、自然の営みとして、動物界の食物連鎖による捕食があっても、直ぐに、主をなくした既存のモグラトンネル網に、他のモグラが進入し、自分のなわばりにしてしまうことが繰り返される。繁殖力の高いモグラは、他の肉食動物の餌として短い生涯を終えるものが多い。長年生存して自然死を迎えるものは極めて少ない。自然界として全体的に観ると、人間による捕獲駆除は一部にすぎない。人間の生活圏以外の自然圏から、人間の生活圏への新生モグラの流入は、自然の展開である。非特許文献８羽山伸一・野生動物問題（Ｐ．７８参照）によると、１９９５年の国土利用実態として、農用地１３．５％・森林６６．５％・原野０．７％・河川など３．５％のデータが報告されている。面積比から判断して、前述の自然圏からの農用地への新生モグラの流入個体数の多さが推測される。従って、背景技術の項で示した従来例による、その場対応の一時的な対症療法捕獲駆除では、モグラの被害を減少させる対策としての効果は低い。古来幾多の発明がなされ、様々な対応がなされているにもかかわらず、人間とモグラとの戦いは、ネズミと同様に、農業を核とした人間の定住生活が始まって以来継続されているという課題を有している。
【００１１】
本発明は、上記のような課題を解決し、当該捕獲動物が、落床の上に完全に自重を移動させた後に、当該落床を作動させ、且つ、誘導囲いを必要とせず、当該捕獲動物の視野に、落床の中央部に配置された餌のみを提供する、外部エネルギーを付加利用しない簡単な落床作動機構（開閉）及び構造を提供することを目的とするものである。
【００１２】
また、モグラ捕獲器にあって、既存のモグラトンネルを見つけて、わなを仕掛ける方法から脱皮し、捕獲に都合の良い場所にモグラトンネルを新設させ、モグラ捕獲に係る器具一式を容易に出し入れ可能にした、定置設置による継続的な連続捕獲を可能にさせる、土地利用に係るモグラ被害の、抜本的対策として予防保全的意味合いのあるモグラ捕獲器を、農用地・公園及び諸施設などの公用地・ゴルフ場、保養地などの自然環境を利用する産業などに提供することを目的とするものである。
【課題を解決するための手段】
【００１３】
このため、本発明の動物捕獲器は、落床からなる動物捕獲器において、当該落床は、常時水平を保ち水平維持に必要な反力以上、且つ前記反力と捕獲動物の自重を加算した値未満の荷重で、当該動物捕獲器の内部である裏面に配置されるバネもしくはバランス錘の与圧具を用い、上方に回動すべく付勢され筐体に枢着し、当該落床は、振り子運動を行う揺動錘、または直線往復運動を行う揺動ロッドの、当該落床の内部である裏面に配置される係止具を用い、常時当該筐体に係止し、当該係止具には連接体を連結し、連接体は、当該落床の中央部を通過しスライド可能状態で表面に支持し、餌箱もしくは餌取付具及び独立した受圧具に連結し、また係止具は、係止解除作動力が解除された時に、振り子運動を行う揺動錘は、自重バランスにより、また、直線往復運動を行う揺動ロッドは、補助与圧戻りバネの付勢により、当該落床を係止する姿勢に自動的に復帰する、動物捕獲器の表面には受圧具のみが配置される落床の作動機構及び構造からなることを特徴とする。
【００１４】
また、モグラ捕獲器において、水平方向周囲側面に、少なくとも一つのモグラ進入口を有する外箱は、当該外箱上面が地表に露出するように地中に埋設し、当該外箱の内部に、餌箱もしくは餌取付具及び独立した受圧具と落床及び当該落床の作動機構とを配置した内箱であるモグラ受箱を収納する二重箱形構造を有することを特徴とする。
【００１５】
また、水平方向周囲側面に、少なくとも一つのモグラ進入口を有する外箱に蓋を付し、当該蓋上面が地表に露出するように地中に埋設し、当該外箱の内部に、上方より、下面に外箱のモグラ進入口に繋がる誘導通路にミミズ通過口を配置したモグラトンネルが形成された餌箱、落床と当該落床の作動機構を配置した中蓋が一時固着されたモグラ受箱、の順序で積重ねられた構成で設置されることを特徴とする。
【発明の効果】
【００１６】
本発明は、以上のように構成したので、落床の基本的作動機構の利用は、広範な種類の動物捕獲器に適用できる。落床の作動を促す自重を有する、地上及び地中に生息する、総ての動物の捕獲に適用され得る。しかし、運用に当たっては現行法規に基づかなければならない。鳥獣保護及び狩猟の適正化に関する法律・動物の愛護及び管理に関する法律、の二法で、ネズミやモグラなどを除く野生鳥獣は、許可なく捕獲することが禁止されている。農林水産業その他自然環境を利用する産業などの、実質的な営業被害を受けた場合と、人間の生命と安全に関する被害が予測される場合には、有害駆除という制度で、駆除申請し許可を受けた後、捕獲することができる。野生動物の被害問題にかかわる歴史は、ヒトの起源にまでさかのぼることができる。シシ垣などの、中世期の膨大な経済的負担の歴史だけでなく、現代でも、高速道路のシシ垣対策などでは、多くの負担が強いられている。本発明に係る落床の基本構造は、これらの現状を踏まえた捕獲行動の他、学術研究のための生け捕り調査と、自然保護の立場から、自然生態系の維持を目的とした、行政主体による、科学的計画的に裏付けされた保護管理の基に実行される、野生動物の捕獲行動の基本ツールとして利用される可能性を有するという効果を有する。〈記述内容は、非特許文献８羽山伸一・野生動物問題（Ｐ．３９〜Ｐ．７１参照）より引用〉
【００１７】
応用例として、山間傾斜地を利用して、当該傾斜地を部分的に掘り込み、横方向はめ込み方式の大形装置で、有害獣である熊や猪などの大型動物の生け捕り捕獲器へのような応用も可能である。中型動物では、過繁殖になった野犬や野良猫などの生け捕り捕獲器への応用も可能である。クマネズミのようなモグラ同様の他の小型動物への応用も可能である。学術調査や研究のための、一時的な様々な動物捕獲への対応も可能である。という効果を有する。
【００１８】
当該捕獲動物の行動による、本発明に係る落床の作動機構部分に、実施例−１の構成を採用すれば、落床表面に置かれた餌箱もしくは餌籠のみ、もしくは餌取付具を用いた場合は餌のみを、当該捕獲動物の視野に置く設定がとれる。捕集に係る動物受け箱である檻体部分と、落床の作動機構部分は、台下もしくは地中に置く対策が取れる。当該捕獲動物が、完全に落床上に体を移動させた後に当該落床の作動を行う機構と併せて、二重の当該捕獲動物の警戒心を緩和させる対策となる。付帯エネルギーを必要としない、安価でランニングコストの少ない、捕獲効率を高めた動物捕獲器を提供するという効果を有する。
【００１９】
また、モグラ捕獲器において、本発明に係る実施例−２における、一対の中開落床を有する捕集式二重箱型定置型モグラ捕獲器にあっては、外箱を独立させたので、設置にあたり、外箱のみの埋設を先行させ、モグラ進入口下部レベルに仮設床を張り、半腐り状態の稲藁や草もしくは落ち葉などと、モグラの主食であるミミズを入れ、モグラの活動に任せておくことができる。既存のモグラトンネルのない場所でも、やがてモグラは主食であるミミズの臭気に引かれてモグラトンネルを掘り進めてくる。モグラの習性として、非通常的臭気が漂う場合や、非通常的気配のする地下の未知なる空間は、警戒心のため、トンネル内壁を削り、内部の土で塞いでしまう。自らが造ったモグラトンネル網内部でも、同様に通路を閉塞し迂回路を構築する場合もある。〈非特許文献５ケネス；メランビー・モグラ物語では、わなを迂回するモグラの習性が紹介されている。〉本発明に係る試行でも、大方の場合、外箱設置初期においては、外箱内部に、トンネル内の土が押し出され、モグラが進入する気配は感じられない。前記排土を排除してみると、外箱周囲に迂回路が上下左右に掘られている場合がある。ミミズの供給を充分に続けると、徐々に外箱内部も狩り場として、行動範疇に取り入れられていく。やがて外箱内部での行動も活発となりモグラの主食であるミミズも食べ尽くされる。更にミミズを追加してモグラの活動に任せておく、モグラは自身のなわばり内の主要な狩り場として、外箱に通じるモグラトンネル網の構成を造り上げてゆく、外箱内へのトンネル内からの土の押し出しがおさまり、モグラの活発なミミズ捕食活動が確認される時点で、トンネル排土と仮設床を撤去し、モグラ捕獲器具一式を収納する。
【００２０】
設置初期は、受動ブロック（実施例−２図２参照）は外しておき、モグラの行動に任せておく。前段落と同様な結果となる場合もあるが、モグラのミミズ箱に設けられたトンネル通過と、なわばり誇示であるマーキングが確認される時点が、捕獲開始の適期である。土の動きを観察することになる。
【００２１】
前段落及び前々段落記載の内容は、人間による捕獲駆除の他、非特許文献５・６・７で紹介した、今泉吉晴・手塚甫・ケネス；メランビー等のモグラの生態に関する学術研究で明らかにされているように、動物界の食物連鎖による捕食があっても、直ぐに他のモグラが進入し自分のなわばりとしてしまうことが繰り返されるという課題の解決に有効に働く。後続の進入モグラは、先住モグラのモグラトンネル網を、とりあえずそのまま利用する習性があるからである。
【００２２】
より安定した捕集式モグラ捕獲器を実現させるには、外箱位置が、モグラトンネル網の主幹的位置づけとなる、主要な狩り場とする構成が必要である。なわばりの主であるモグラの世代交代が進行することを考慮すると、外箱に通じるモグラトンネルが、後続の進入モグラが早期に利用され得るモグラトンネルに仕上げられる必要がある。設置初期の、前（００１９及び００２０）段落記載の対応の意味合いの重要性がここにある。〈非特許文献５ケネス；メランビー・モグラ物語は、新生モグラが定住できるモグラトンネルを求めて放浪を続ける行動の中に、モグラの生態研究の結果を、児童向け物語としてまとめたものである。〉モグラトンネル網は、地上からは解らない。モグラの行動主幹となる本道を見つけることは容易なことではない。外箱内部に押し出されるモグラトンネル内部からの土の動きを通じて、モグラの行動状態を、想像的に感じ取ることになる。
【００２３】
モグラの世代交代が進み、捕集式捕獲の頻度が低下に至った時にも、モグラ捕獲器具一式を取り出し、設置初期の対応と同様な仮設床を用いた、モグラトンネル再生処理を行う。モグラトンネルへのミミズの進入を促進させ、外箱位置のモグラトンネル網の、主要な狩り場の位置づけを活性化させる。モグラの生態に関する学術研究で明らかにされていることから、将来に渡って継続的に捕集式捕獲駆除を行う必要性がある。継続的維持管理を容易に行えるようにした、より安定した捕集式定置型モグラ捕獲器を提供するという効果を有する。
【００２４】
また、背景の技術の項で示した通り、動物捕獲器において、捕獲室と外箱を併設する二重箱型構造の利用は古くから行われている。外観上の二重箱型構造は既に新規性喪失状態である。しかし、本発明に係る二重箱型構造は、モグラ捕獲器として地中に埋設する方法を発明している。作用として、前述の、モグラの習性を利用しミミズを用いた、モグラトンネル網の主幹的位置付けとなる外箱へのモグラトンネル網の再構築を引き出している。既存のモグラトンネルの本道を特定し、捕獲器を設置する対症療法的対応から脱皮する、前述の本発明の使用方法の内容は、背景の項で示した通り、従来のモグラ捕獲器にはみられない新規性である。定置設置による利用の、農耕作業の非障害化及び美観の確保など、土地利用に係る使用上の利便性と、予防保全的捕集機能とを併せて、従来のモグラ捕獲器にはない新規性を生み出したという効果を有する。
【００２５】
また、本発明に係る実施例−２における、一対の中開落床を有する捕集式二重箱型定置型モグラ捕獲器にあっては、ミミズ箱３０を構造的に大型にできるので、モグラの主食であるミミズの養殖箱としての機能を付加させることができる。本発明に係る試行では、当該ミミズ箱３０内で産卵された卵包と、孵化した微細なミミズの幼体が確認されている。挿し餌と、餌の管理負担が軽減できるモグラ捕獲器を提供するという効果を有する。
【００２６】
また、本発明に係る初期試行では、ミミズ箱を餌箱としてミミズ単体で、小さな箱に投入していた、前記構成ではミミズの長時間生存が安定せず、試行の段階毎に餌箱の大きさを増し、結果的に、ミミズの食料である半腐りの稲藁を追加し、養殖箱とする本発明の構成に至った。
【００２７】
また、本発明に係る試行では、実施例−２に付随して、冬期間のミミズ保存用として、モグラ受け箱２８bの下部にもう一つのミミズ箱を設けてみた。寒冷地では、ミミズは冬季になると地中深くにもぐり地表から姿を消す。上方のミミズ箱３０では冬期間には、低温のためミミズは死滅してしまう。下部ミミズ箱であれば土中深度が増すので凍結もなく、仮死状態になった場合でも生存の可能性が高い。前記試行設置では、厳冬期に、地表周辺の凍結にも関わらず、地中４０ｃｍ深度の下部ミミズ箱では、ミミズ生体の個体数は減少し、活動はほとんど仮眠状態であったが、一方微細なミミズが観測され、卵包の孵化が確認された。冬期間以外でも、ミミズの養殖箱としても利用できる。前記下部ミミズ箱構成は、寒冷地における冬期間のモグラ捕獲対策としての意味合いを生むという効果を有している。
【００２８】
また、本発明に係る、実施例−２における一対の中開落床を有する捕集式二重箱型定置型モグラ捕獲器を、より効果的に早期に立ち上げるには、農耕地であれば耕作及び栽培に支障を与えない場所、庭や公園及びゴルフ場並びに保養地などにあっては、人の利用に支障をきたさない場所、もしくは美観に支障を与えない場所など、設置場所選定の後、当該設置予定場所に、稲藁などの有機堆肥を積み、予めモグラを誘引しておくとよい。本発明に係る試行では、地面に直接積み上げた稲藁は、自然発生的にモグラの主食であるミミズを誘発し増殖する場合が多い、自然発生がなくても、他所よりミミズを稲藁などの有機堆肥に供給すればよい。ミミズが増殖されると、やがてモグラは土中からやってくる。予めモグラトンネル網の主要な狩り場としての構成がある程度構築できる。有機堆肥の下にモグラが頻繁に通う時期が、外箱設置の適期である。
【００２９】
また、前段落記載の稲藁などの有機堆肥は、大量でなくてよい。稲藁であれば小束数束で十分である。人参牛蒡など冬期間の土中根菜越冬保存として、稲藁を小束で数段敷き詰めておくと、春になると、稲藁下面にミミズの繁殖とモグラトンネルの存在が観察される現状がある。
【００３０】
また、本発明に係る捕集式モグラ捕獲の繰り返し利用継続は、自然な土地の営みのバロメーターとなる。ミミズもモグラも生息しない土地は、健康状態が低下しているのである。ミミズが生息し、そのミミズを主食とするモグラが絶えることなくやってくる。周辺地域環境を含めて、土地が活き活きと活動していることの証明である。そこで生産される農作物は、人間に健康を提供してくれる。育まれる植物は健全な自然環境を提供してくれる。土地の健康状態を示してくれるという効果を有する。
【００３１】
また、本発明に係るミミズ利用の構成は、ダーウィン・ジェリー；ミニッチ・中村方子・渡辺弘之等のミミズの生態に関する、実用及び学術研究結果の応用実施例である。
【００３２】
また、本発明によるモグラ捕獲器と、Ｆ１・Ｆターム分類Ａ０１Ｍ２３／００における、／０２〜／３８全域での従来の発明によるモグラ捕獲器との併設を考慮してもよい。本発明の外箱と餌箱に係る二重箱型構造を採用し、モグラ捕獲器の器具一式として、従来の発明によるモグラ捕獲器及び今後の新規発明によるモグラ捕獲器を組み合わせて用いてもよい。生産者の事情に応じた、より生産経済性の高い選択、及び使用者の使い勝手による利便性の選択がなされてよい。モグラ捕獲器に様々な製品仕様が広がってよい。本発明を併用し、従来技術を有効に活用できるという効果を有する。
【発明を実施するための最良の形態】
【００３３】
以下、図面に示す実施例に基づいて、本発明の実施の形態を説明する。図１は落床Ａ１１ａ開閉構造の、基本部分の基本的機構を説明する一実施例を示す、一部分断面である中央部分の斜視図、図２は、一対の中開落床Ｂ１１ｂ及び落床Ｂ’１１ｂ’を有する捕集式二重箱型定置型モグラ捕獲器の、一実施例を示す、一部分断面斜視図、図３は図２における、餌箱８であるミミズ箱３０の一部分断面である斜視図、図４は図２における、本発明に係る落床作動部Ｂ１ｂである、モグラ受箱２８ｂ上部中蓋部の一対の中開落床Ｂ１１ｂ及び落床Ｂ’１１ｂ’作動に係る機構部分の一部分断面斜視図、図５は図４における、一対の中開落床Ｂ１１ｂ及び落床Ｂ’１１ｂ’を相互に係止する係止具Ｂ’４ｂ’の機構を説明する、拡大部分断面を示す斜視図、図６は図４における、落床Ｂ１１ｂと落床支持プレート１６を係止する係止具Ｂ４ｂの機構を説明する、拡大部分断面を示す斜視図、図７は本発明に係る落床作動部Ｃ１ｃを有する、地中Ｃ３６ｃ埋込タイプの動物捕獲器の一実施例を説明する、中央部分の断面図、図８は本発明に係る落床作動部Ｄ１ｄを有する、段丘地適応タイプの動物捕獲器の一実施例を説明する、中央部分の断面図、図９は本発明に係る落床作動部Ｅ１ｅを有する、床６ｅ置きタイプの動物捕獲器の一実施例を説明する、中央部分の断面図を示す説明図である。
【実施例】
【００３４】
（実施例−１）
図１に示すように、本実施例−１は、本発明に係る落床作動部Ａ１ａ部分である、落床開閉作動機構に係る構造は、落床Ａ１１ａは、前記落床Ａ１１ａの水平維持に必要な反力以上で、前記反力と当該捕獲動物の自重を加算した値未満の荷重をもった、落床付勢機構部Ａ２ａ部分である、落床付勢引張コイルバネＡ１２ａで、上方に付勢をもって、常時は水平を保つように落床Ａ受部１８ａに度当たりして、筐体２８ａに蝶番Ａ１３ａによって枢着される。当該落床Ａ１１ａの枢着辺に左側で対向する辺の裏面に配置された、振り子運動支点２１を運動支点とする爪ロック板振り子錘２０ａと、筐体２８ａの裏面に固着された係止受具Ａ２４ａによって構成される係止具Ａ４ａによって、筐体２８ａと落床Ａ１１ａが裏面において係止される。落床Ａ１１ａ表面中央部分に受圧部Ａ３ａである餌籠１９ａが配置され、ロープ通過穴Ａ１５ａを通過する連接ロープＡ２６ａによって、餌籠１９ａと爪ロック板振り子錘２０ａとが連接ロープＡ２６ａが緊張された状態で連結される。筐体２８ａは上方開口の箱体であり、落床Ａ１１ａが枢着されることにより捕獲室Ａ５ａを備えた捕獲檻体を構成する。
【００３５】
落床Ａ１１ａの開閉作動機構について説明する。落床Ａ１１ａの表面に、当該捕獲動物が侵入し、餌籠１９ａ内に入れられた餌を捕食しようと餌籠１９ａに加圧接触を行う。餌籠１９ａは前記加圧力により移動する。前記移動は連接ロープＡ２６ａを介して爪ロック板振り子錘２０ａを反時計方向に回動させ、係止状態を解除する。この時、餌籠１９ａが落床Ａ１１ａ上のどんな自由方向に移動しても、連接ロープＡ２６ａは、一点であるロープ通過穴Ａ１５ａを支点として上方に引き出されるので、爪ロック板振り子錘２０ａの動きは、反時計方向で常に一定方向となる。
【００３６】
係止が解除された落床Ａ１１ａは、当該捕獲動物の自重により左側で片開き落下（傾斜）する。前記落床Ａ１１ａの落下により、当該捕獲動物は落床Ａ１１ａ上を滑りながら捕獲室Ａ５ａの下方に落下する。この時、落床Ａ１１ａの表面積は、当該捕獲動物の体長（頭部より後足まで）以上を半径とする、餌籠１９ａを中心とした円面積以上が必要となる。
【００３７】
爪ロック板振り子錘２０ａは係止状態で振り子運動支点２１より右側に重心設定をしておく、したがって、落床Ａ１１ａの下方落下（傾斜）時には、当該捕獲動物の落下に伴い餌籠１９ａに与えられていた移動力が解放されると、餌籠１９ａを引擦りながら連接ロープＡ２６ａの緊張状態まで時計方向に反転する。この時の反転力はバネによる付勢を利用してもよい。
【００３８】
当該捕獲動物が落床Ａ１１ａの下方に落下すると、当該落床Ａ１１ａは作動力を失い、落床付勢引張コイルバネＡ１２ａのバネ圧によって、運動の方向が反転され上方に戻る。前段落で説明した通り、すでに爪ロック板振り子錘２０ａは、初期状態を回復しているので、係止受具Ａ２４ａに当たる。係止受具Ａ２４ａには斜面Ａ２５ａが付されているので、爪ロック板振り子錘２０ａは、反時計方向に押し戻されて落床Ａ１１ａが水平状態に復帰する状態に戻る。爪ロック板振り子錘２０ａは重心バランスにより再度時計方向に反転し、筐体２８ａと落床Ａ１１ａが係止される。以上の一連の作動により、全体の初期状態自動復帰がなされ、一回の作動が完結される。以後は同様な繰り返し作動がなされる。
【００３９】
また、餌籠１９ａになされる捕食接触は、餌の消費がなされないことを目的とした籠構成であるが、直接餌を捕食する餌取付具構成であってもよいし、次に実施例−２に示す一対の中開落床を有する捕集式二重箱形定置型モグラ捕獲器のように、当該捕獲動物の餌を追い求める行動接触による受圧具構成であってもよい。当該捕獲動物の習性によって、様々な展開ができる。
【００４０】
また、本実施例−１では、連接体としてロープを採用しているが、ロープ通過穴Ａ１５ａは、摩擦力低減を目的とし、外周溝半丸を対向させて円形のロープ通過穴を構成する、一対のプーリーによる機構に置き換えてもよい。
【００４１】
また、落床Ａ１１ａ下方の捕獲動物受け部の檻体は、空間箱体であってもよいし、水槽や粘着シートが敷設されたものであってもよい。搬送され得る吸引シューターであってもよい。様々な応用が可能である。
【００４２】
また、落床付勢引張コイルバネＡ１２ａは、定圧荷重バネであってもよい。枢着軸を支点とした、バランス錘の利用であってもよい。捕獲室内部で蝶番Ａ１３ａより左側で、落床Ａ１１ａを押し上げる構成の圧縮コイルバネを用いてもよい。
【００４３】
（実施例−２）
図２に示すように、本実施例−２における一対の中開落床を有する捕集式二重箱形定置型モグラ捕獲器の構造は、蓋７を地表Ｂ６ｂより上部に出して、地中に定置常設される上方開口の直方箱体である、周囲４側面に各々モグラ進入口２９を有する外箱Ｂ９ｂの内部に、モグラ捕獲器具一式を収納する、二重箱形構造となっている。
【００４４】
前段落記載のモグラ捕獲器具一式は、図３に示す、底面にミミズ通過口３４を有するモグラトンネル壁３２で構成するモグラトンネル３３、及びポールガイド筒３１を備えた餌箱８であるミミズ箱３０と、中開き（観音開き）である落床Ｂ１１ｂ及び落床Ｂ’１１ｂ’を作動支持させる機構一式を併設した中蓋を上部に一時固着で配置した捕獲室Ｂ５ｂであるモグラ受箱２８ｂとした構造から構成する。
【００４５】
また、モグラトンネルの構成は、ミミズ箱を平底とし、モグラトンネルは、中蓋側に配置する構成としてもさしつかえない。
【００４６】
前（００４４）段落記載のモグラ受け箱２８ｂ上部中蓋構成を説明する。図４において、落床Ｂ１１ｂは、落床支持プレート１６に枢着軸Ｂ１３ｂをもって枢着される。落床支持プレート１６はモグラ受箱２８ｂの上端面にネジにより一時固着される。落床Ｂ１１ｂと落床Ｂ’１１ｂ’は、モグラ受箱２８ｂの上部矩形四隅において同様な枢着であり、前記構成により下方中開き（観音開き）構造となる。中蓋はモグラ取り出しの都度外されることになる。
【００４７】
落床Ｂ１１ｂ裏面には、落床付勢機構部Ｂ２ｂを構成する、Ｌ字形の落床付勢引張コイルバネＢ取付ステー１４が固着され、下方先端に落床付勢引張コイルバネＢ１２ｂが支持される。中開き線を中心線として対称位置に、落床Ｂ’１１ｂ’裏面にも同様な落床付勢引張コイルバネＢ取付ステーが固着されており、落床付勢引張コイルバネＢ１２ｂの右側他端が支持され、一本の落床付勢引張コイルバネB１２ｂで、落床Ｂ１１ｂと落床Ｂ’１１ｂ’が同時に、中開き上方付勢が確保される。落床付勢引張コイルバネＢ取付ステー１４はＬ字形となっており落床付勢引張コイルバネＢ１２ｂは、落床支持プレート１６の下方に位置する。このため、モグラの落下時には障害とならない。落床付勢引張コイルバネＢ１２ｂの損傷が防止できる。
【００４８】
落床支持プレート１６には、落床Ｂ（Ｂ’）受部１８ｂが付されており、同時に、落床Ｂ１１ｂと落床Ｂ’１１ｂ’の上方付勢度当たりとなり、水平状態が確保される。（図６参照）
【００４９】
落床Ｂ１１ｂには、図５に示す通りロープ通過穴Ｂ１５ｂが中央右部にある。前記ロープ通過穴Ｂ１５ｂを通過して連接ロープＢ２６ｂが、落床Ｂ１１ｂの表面に受動ブロック１９ｂ、裏面には図６に詳細を示す係止具Ｂ４ｂに緊張状態で連結される。受動ブロック１９ｂ及びロープ通過穴Ｂ１５ｂの位置は、図３に示したモグラトンネル３３の中央部の十字交叉内空間となる。
【００５０】
落床Ｂ１１ｂの右側手前裏面には、図６に詳細を示す係止具Ｂ４ｂが固着されており、落床支持プレート１６の中央部裏面に固着された係止受具Ｂ２４ｂにより係止されている。
【００５１】
落床Ｂ’１１ｂ’中央左部裏面には、図５に詳細を示す係止具Ｂ’４ｂ’が固着されており、落床Ｂ１１ｂの中央右部裏面に固着された係止受具Ｂ’２４ｂ’により、落床Ｂ１１ｂと落床Ｂ’１１ｂ’は、相互に係止されている。
【００５２】
落床Ｂ１１ｂ及び落床Ｂ’１１ｂ’の付勢動作について説明する。引き伸ばされた落床付勢引張コイルバネＢ１２ｂは、引張力が０となるまで総丈収縮力が働く、両端面の落床付勢引張コイルバネＢ取付ステー１４と対称位置にある同様な落床付勢引張コイルバネＢ取付ステー（図示はしていない）の支持点が、最短距離になるように水平方向に働く。前記落床付勢引張コイルバネＢ１２ｂの両端支持点は枢着軸Ｂ１３ｂを中心として各々回動する。すなわち、前記支持点における垂直方向分力が、落床Ｂ１１ｂ及び落床Ｂ’１１ｂ’の押し上げ付勢として働く。理論的には、一対の中開落床の両側枢着２軸と、引張コイルバネ両端の４点が同一直線上に並ぶまで、垂直分力は働くことになる。従って、一本の引張コイルバネで二枚一対の落床に、同時に上方復元付勢が与えられる。
【００５３】
落床開閉作動機構を説明する。四つのモグラ進入口２９のいずれか一方からモグラトンネル３３に進入したモグラは、中央部空間の受動ブロック１９ｂに到達し、前方に進行するために、受動ブロック１９ｂを排除しようと移動させる。（以下図５及び図６参照）受動ブロック１９ｂの移動は、ロープ通過穴Ｂ１５ｂを通過する連接ロープＢ２６ｂを介して、前記連接ロープB２６ｂに固着されたロープフック２７によって、一対のロッド支持板Ｂ２２ｂによって支持された係止ロッドＢ２０ｂを引く。落床支持プレート１６に固着された係止受具Ｂ２４ｂから係止ロッドＢ２０ｂが外れ係止が解除される。以下初期状態復帰までの一連の作動は、図１における実施例−１と同様である。ただしここでは、斜面Ａ２５ａが斜面Ｂ２５ｂに、爪ロック板振り子錘２０ａが係止ロッドＢ２０ｂに、爪ロック板振り子錘２０ａの重心バランスによる戻り付勢がロッド付勢圧縮コイルバネＢ２３ｂに置き換えられている。
【００５４】
落床Ｂ１１ｂと落床Ｂ’１１ｂ’は、図５に示すとおり、一対のロッド支持板Ｂ’２２ｂ’によって支持され、ロッド付勢圧縮コイルバネＢ’２３ｂ’によって戻り付勢された係止ロッＢ’２０ｂ’と係止受具Ｂ’２４ｂ’によって係止されているので、前段落で起動される落床落下は、落床Ｂ１１ｂと落床Ｂ’１１ｂ’が一体となって同時に進行する。モグラが四方向のいずれのモグラトンネル３３に位置しても同じ結果となる。落床Ｂ１１ｂと落床Ｂ’１１ｂ’は下方開きして離れるので、やがて係止受具Ｂ’２４ｂ’と係止ロッドＢ’２０ｂ’の係止は係止ロッドＢ’２０ｂ’の動きが無くても相互に離れ係止が解除される。係止受具Ｂ’２４ｂ’の係止ロッドＢ’２０ｂ’が勘合する受穴は、傾斜に伴う咬み合い防止のための上方余裕が確保されている。
【００５５】
落床Ｂ１１ｂと落床Ｂ’１１ｂ’の中開きに伴い、モグラは中開き中心に移動することになるが、いずれか一方の落床が先にモグラ自重から解放されることになる。先に解放された落床から水平復帰に運動の方向を変える。一連の落下と復帰に伴う作動は、基本的に図１における実施例−１と同様であるが、落床Ｂ１１ｂが先に復帰した場合は、係止受具Ｂ’２４ｂ’の下斜面である斜面Ｂ’２５ｂ’が、係止ロッドＢ’２０ｂ’を押し戻すことになる。落床Ｂ’１１ｂ’が先に復帰した場合は、落床Ｂ１１ｂのロッドＢ’逃げ１５ｂ’を係止ロッドＢ’２０ｂ’が通過した後、係止受具Ｂ’２４ｂ’の上斜面である斜面Ｂ”２５ｂ”が係止ロッドＢ’２０ｂ’を押し戻す。以上の構成により、モグラが４方向のいずれのモグラトンネル３３から進入して、受動ブロック１９ｂをどの自由方向に移動させても、同一の落床Ｂ１１ｂと落床Ｂ’１１ｂ’との中開落床と復帰の一連の動作が確保される。
【００５６】
図２において、落床作動表示ポール１７は、ミミズ箱３０の底面に固着されたポールガイド筒３１内で、落床Ｂ１１ｂに開けられたポール逃穴１５ｂ”（図４参照）の左肩に、先端斜面を引っ掛ける姿勢で配置される。落床Ｂ１１ｂの落下に伴う傾斜で、ポール逃穴１５ｂ”の左肩は、枢着の円弧運動により落下に伴い左側に移動する。したがって落床作動表示ポール１７は、ポール逃穴１５ｂ”内を通過してモグラ受箱２８ｂ内に落下し、地上から落床Ｂ１１ｂの初回作動を確認できることになる。
【００５７】
また、ミミズ箱３０内には、半腐り状態の稲藁や草もしくは落ち葉などを入れ、モグラの主食であるミミズが飼育されている。ミミズは徘徊習癖があり、ミミズ通過口３４を通り、モグラトンネル３３及び捕獲器外部の地中モグラトンネル内へと徘徊してゆく、結果として、モグラがモグラトンネル３３内でミミズを追う行動を誘発し受動ブロック１９ｂの作動に繋がる。
【００５８】
（実施例−３）
図７に示すように、本実施例−３における、地中埋込タイプの動物捕獲器の構造は、地中Ｃ３６ｃに上方開口の直方箱体である外箱Ｃ９ｃが、開口端部が地表Ｃ６ｃと同一レベルに埋設される、当該外箱Ｃ９ｃの内部に、実施例−２と同様に、上部に本発明に係る落床作動部Ｃ１ｃ及び、落床Ｃ１１ｃと落床Ｃ’１１ｃ’と餌取付具に取り付けられた餌Ｃ１９ｃが配置された捕獲室Ｃ５ｃである動物受け箱Ｃ２８ｃが挿入されている。上方外気接触の表面は、地表Ｃ擬似処理３５Ｃが付された構造である。（動物受け箱Ｃ２８ｃを筐体としてポール支持部を配置し、実施例−２と同様な落床作動表示構造を付してもよい。）
【００５９】
当該捕獲動物の捕獲に係る作動機構は、実施例−２と同一である。
【００６０】
また、本実施例−３は、野ネズミなどの小型野生動物からイタチや狸などの中型野生動物の捕獲に適している。
【００６１】
（実施例−４）
図８に示すように、本実施例−４における、段丘地適応タイプの動物捕獲器の構造は、地中Ｄ３６ｄと地表Ｄ６ｄで構成される段丘地に、実施例−２と同様に、上部に本発明に係る落床作動部Ｄ１ｄ及び、落床Ｄ１１ｄと落床Ｄ’１１ｄ’と餌取付具に取り付けられた餌Ｄ１９ｄが配置された捕獲室Ｄ５ｄである動物受け箱Ｄ２８ｄが、渡板３７により、段丘の上方の地表Ｄ６ｄに橋渡しされている。渡板３７と落床Ｄ１１ｄと落床Ｄ’１１ｄ’の表面は、地表Ｄ擬似処理３５ｄが付された構造である。（実施例−３と同様な落床作動表示構造を付してもよい。）
【００６２】
また、当該捕獲動物の警戒心感覚程度により、側面部位にも擬似処理による動物受け箱Ｄ２８ｄ隠蔽対策を必要とされる場合も想定できる。実施例−５においても表面全体において同様である。
【００６３】
当該捕獲動物の捕獲に係る作動機構は、実施例−２と同一である。
【００６４】
また、本実施例−４は、山間地に生息する、狐などの中型野生動物から熊や猪などの大型野生動物の捕獲に適している。
【００６５】
また、てごろな段丘地がない場合には、斜面堀込みによって捕獲室Ｄ５ｄをはめ込み式としてもよい。
【００６６】
（実施例−５）
図９に示すように、本実施例−５における、床置きタイプの動物捕獲器の構造は、実施例−２と同様に、上部に本発明に係る落床作動部Ｅ１ｅ及び、落床Ｅ１１ｅと落床Ｅ’１１ｅ’と餌取付具に取り付けられた餌Ｅ１９ｅが配置された捕獲室Ｅ５ｅである動物受け箱Ｅ２８ｅが、二つの蝶番Ｅ３９及び重ね厚調整板４１によって、三つ折りタイプに構成された登坂板４０で、登坂板受部３８よって、落床Ｅ’１１ｅ’が床６ｅと斜面橋渡しされて床６ｅ上に置かれる。（実施例−３と同様な落床作動表示構造を付してもよい。）
【００６７】
当該捕獲動物の捕獲に係る作動機構は、実施例−２と同一である。
【００６８】
また、本実施例−５は、ネズミなどの屋内に生息する小型野生動物の捕獲に適している。食品倉庫などの各種倉庫のネズミ対策に有効である。屋内に拘らず、屋外の野生動物にも対応できる。
【００６９】
また、ネズミは垂直壁をよじ登る習性がある。送電線の鉄塔や船舶の停泊ロープにみられるネズミ返しがそれを証明している。階段のない平屋の民家でも、天井裏を住みかとし台所を往復している。ネズミ対応の場合には、捕獲室内を仕切り、付勢バネステーの回動逃げ穴を有する付勢バネ保護室の設定が必要となる。
【００７０】
また、実施例―４及び実施例―５において、捕獲室の一面に開閉機能を付与し二重箱形構造を採用すれば、定置型とでき更に捕獲動物の事後扱いが改善される。
【産業上の利用可能性】
【００７１】
本発明は、広範な種類の動物捕獲器に適用できる。自動復帰型落下式床の作動を促す自重を有する、地上及び地中に生息する、総ての動物の捕獲に適用され得る。現代では、野生動物に係る諸問題は、単に農用地が荒らされる内容だけには留まらない。開発の多様化は、野生動物の生活圏を狭めてきた。人間との生活域接点での諸問題の他、大都市圏においても、野犬及び野良猫問題、熊ネズミ及び外来種の大型ネズミの過繁殖問題など、都市環境下においても、新手の問題が発生してきている。ペット導入や生産上での改良導入による、外来種動物の野生化過繁殖問題は、日本古来の固有種を絶滅に追いやる問題も指摘されている。人間の生産行動に係る問題の他、生活の安全上の問題、更には、日本国土としての環境維持保全問題など様々な問題が、現実に課せられている。個々の問題に係るそれぞれの産業と行政分野において、本発明は、前述の諸問題に対応する、野生動物捕獲の基本ツールとして、利用の可能性を有している。
【図面の簡単な説明】
【００７２】
【図１】落床Ａ１１ａ開閉構造の、基本部分の基本的機構を説明する一実施例を示す、一部分断面である中央部分の斜視図である。
【図２】一対の中開落床Ｂ１１ｂ及び落床Ｂ’１１ｂ’を有する捕集式二重箱型定置型モグラ捕獲器の、一実施例を示す、一部分断面斜視図である。
【図３】図２における、餌箱８であるミミズ箱３０の一部分断面である斜視図である。
【図４】図２における、本発明に係る落床作動部Ｂ１ｂである、モグラ受箱２８ｂ上部中蓋部の一対の中開落床Ｂ１１ｂ及び落床Ｂ’１１ｂ’作動に係る機構部分の一部分断面斜視図である。
【図５】図４における、一対の中開落床Ｂ１１ｂ及び落床Ｂ’１１ｂ’を相互に係止する係止具Ｂ’４ｂ’の機構を説明する、拡大部分断面を示す斜視図である。
【図６】図４における、落床Ｂ１１ｂと落床支持プレート１６を係止する係止具Ｂ４ｂの機構を説明する、拡大部分断面を示す斜視図である。
【図７】本発明に係る落床作動部Ｃ１ｃを有する、地中Ｃ３６ｃ埋込タイプの動物捕獲器の一実施例を説明する、中央部分の断面図である。
【図８】本発明に係る落床作動部Ｄ１ｄを有する、段丘地適応タイプの動物捕獲器の一実施例を説明する、中央部分の断面図である。
【図９】本発明に係る落床作動部Ｅ１ｅを有する、床６ｅ置きタイプの動物捕獲器の一実施例を説明する、中央部分の断面図である。
【符号の説明】
【００７３】
１ａ    本発明に係る落床作動部Ａ
１ｂ    本発明に係る落床作動部B
１ｃ    本発明に係る落床作動部C
１ｄ    本発明に係る落床作動部D
１ｅ    本発明に係る落床作動部E
２ａ    落床付勢機構部A
２ｂ    落床付勢機構部B
３ａ    受圧部Ａ
３ｂ    受圧部Ｂ
４ａ    係止具Ａ
４ｂ    係止具Ｂ
４ｂ’  係止具Ｂ’
５ａ    捕獲室Ａ
５ｂ    捕獲室Ｂ
５ｃ    捕獲室Ｃ
５ｄ    捕獲室Ｄ
５ｅ    捕獲室Ｅ
６ｂ    地表Ｂ
６ｃ    地表Ｃ
６ｄ    地表Ｄ
６ｅ    床
７      蓋
８      餌箱
９ｂ    外箱Ｂ
９ｃ    外箱Ｃ
１１ａ    落床Ａ
１１ｂ    落床Ｂ
１１ｂ’  落床Ｂ’
１１ｃ    落床Ｃ
１１ｃ’  落床Ｃ’
１１ｄ    落床Ｄ
１１ｄ’  落床Ｄ’
１１ｅ    落床Ｅ
１１ｅ’  落床Ｅ’
１２ａ    落床付勢引張コイルバネＡ
１２ｂ    落床付勢引張コイルバネＢ
１３ａ    蝶番Ａ
１３ｂ    枢着軸Ｂ
１４      落床付勢引張コイルバネＢ取付ステー
１５ａ    ロープ通過穴Ａ
１５ｂ    ロープ通過穴Ｂ
１５ｂ’  ロッドＢ’逃げ
１５ｂ”  ポール逃げ穴
１６      落床支持プレート
１７      落床作動表示ポール
１８ａ    落床Ａ受け部
１８ｂ    落床Ｂ（Ｂ’）受け部
１９ａ    餌籠
１９ｂ    受動ブロック
１９ｃ    餌Ｃ
１９ｄ    餌Ｄ
１９ｅ    餌Ｅ
２０ａ    爪ロック板振り子錘
２０ｂ    係止ロッドＢ
２０ｂ’  係止ロッドＢ’
２１      振り子運動支点
２２ｂ    ロッド支持板Ｂ
２２ｂ’  ロッド支持板Ｂ’
２３ｂ    ロッド付勢圧縮コイルバネＢ
２３ｂ’  ロッド付勢圧縮コイルバネＢ’
２４ａ    係止受具Ａ
２４ｂ    係止受具Ｂ
２４ｂ’  係止受具Ｂ’
２５ａ    斜面Ａ
２５ｂ    斜面Ｂ
２５ｂ’  斜面Ｂ’
２５ｂ”  斜面Ｂ”
２６ａ    連接ロープＡ
２６ｂ    連接ロープＢ
２７      ロープフック
２８ａ    筐体
２８ｂ    モグラ受け箱
２８ｃ    動物受け箱Ｃ
２８ｄ    動物受け箱Ｄ
２８ｅ    動物受け箱Ｅ
２９      モグラ進入口
３０      ミミズ箱
３１      ポールガイド筒
３２      モグラトンネル壁
３３      モグラトンネル
３４      ミミズ通過口
３５ｃ    地表Ｃ擬似処理
３５ｄ    地表Ｄ擬似処理
３６ｃ    地中Ｃ
３６ｄ    地中Ｄ
３７      渡板
３８      登坂板受部
３９      蝶番Ｅ
４０      登坂板
４１      重ね厚調整板                                                    
【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
落床からなる動物捕獲器において、当該落床は、常時水平を保ち水平維持に必要な反力以上、且つ前記反力と捕獲動物の自重を加算した値未満の荷重で、当該動物捕獲器の内部である裏面に配置されるバネもしくはバランス錘の与圧具を用い、上方に回動すべく付勢され筐体に枢着し、当該落床は、振り子運動を行う揺動錘、または直線往復運動を行う揺動ロッドの、当該落床の内部である裏面に配置される係止具を用い、常時当該筐体に係止し、当該係止具には連接体を連結し、連接体は、当該落床の中央部を通過しスライド可能状態で表面に支持し、餌籠、餌箱、餌取付具、受圧具のいずれかからなる受圧部材に連結し、また係止具は、係止解除作動力が解除された時に、振り子運動を行う揺動錘は、自重バランスにより、また、直線往復運動を行う揺動ロッドは、補助与圧戻りバネの付勢により、当該落床を係止する姿勢に自動的に復帰する、動物捕獲器の表面には受圧部材のみが配置される落床の作動機構及び構造からなることを特徴とする動物捕獲器。
【請求項２】
モグラ捕獲器において、水平方向周囲側面に、少なくとも一つのモグラ進入口を有する外箱は、当該外箱上面が地表に露出するように地中に埋設し、当該外箱の内部に、餌籠、餌箱、餌取付具、受圧具のいずれかからなる受圧部材と落床及び当該落床の作動機構とを配置した内箱であるモグラ受箱を収納する二重箱形構造を有することを特徴とする請求項１記載の動物捕獲器。
【請求項３】
水平方向周囲側面に、少なくとも一つのモグラ進入口を有する外箱に蓋を付し、当該蓋上面が地表に露出するように地中に埋設し、当該外箱の内部に、上方より、下面に外箱のモグラ進入口に繋がる誘導通路にミミズ通過口を配置したモグラトンネルが形成された餌箱、落床と当該落床の作動機構を配置した中蓋が一時固着されたモグラ受箱、の順序で積重ねられた構成で設置されることを特徴とする請求項２記載の動物捕獲器。
【手続補正２】
【補正対象書類名】明細書
【補正対象項目名】全文
【補正方法】変更
【補正の内容】
【発明の詳細な説明】
【技術分野】
【０００１】
本発明は、動物捕獲に用いられる捕獲器に関する。
【背景技術】
【０００２】
従来の落床の作動原理としては、落下時には当該捕獲動物の自重を利用し、復帰時には回転やシーソーによる落床の重量バランスによる復元力を利用するものが多い。バネやバランス錘を利用するものもある。特許文献１実明３４８７０１号公報（前記公報第１図参照）に基本的な構造が考案されている。以来特許文献３実開昭６０−１２１７６４号公報（前記公報第１図参照）．特許文献４特開昭６１−１２２４０（前記公報第６図参照）．特許文献６実開平０５−６０２８５号公報（前記公報第１図参照）など多くの出願がなされている。特許文献２特開昭５５−１５６５４１号公報（前記公報第１・２図参照）の如く、接近を検知し電動式によって開閉するものもある。
【０００３】
また、特許文献３実開昭６０−１２１７６４号公報（前記公報第１図参照）にあっては、特許請求の範囲に、〈水室を有する捕殺器ケースにおいて、この水質上面に半回転シーソ式床板と餌台、踏み板をそれぞれ近接して設け、上記床板は踏み板に触れることで反転するよう構成したことを特徴とする連続式ネズミ捕殺器。〉として、落床はバランス錘で、シーソ回動の自動復帰を行わせている。落床端部上方にて、踏み板として振り子運動揺動錘にて係止爪を構成し、バランス錘の利用で係止の自動復帰を行っている。水室にあっては、取扱の利便性を高めて、水室のみを捕獲室として独立させる二重箱型構造の発明をしている。
【０００４】
また、特許文献６実開平０５−６０２８５号公報（前記公報第１図参照）にあっては、実用新案登録請求の範囲に、〈請求項１−（ハ）上記檻の少なくとも片方と上方を覆い、上記扉よりも上方に位置する部位に上記動物が進入可能な大きさの入口孔が設けられた外箱、とを具備することを特徴とする動物捕獲装置。請求項２−上記外箱が不透明な材料からなり、外から内部が視覚不能な構造にされていることを特徴とする請求項１に記載の動物捕獲装置。〉とし、要約では、〈ダンボール紙でできた外箱３０を内箱１０の上から被せる。外箱３０の上部には入口孔３１を設けておく。〉として、当該捕獲動物の警戒心を緩和させる考案をしている。二重箱型構造をとっている。利用形態は、床上もしくは地上での動物捕獲であり、利用目的は、捕獲檻体の隠蔽（カムフラージュ）である。
【０００５】
また、モグラ捕獲器にあっては、捕獲器の構成として、特許文献８特許３３０１７５３号公報（前記公報第１図参照）などのように、一体のモグラ捕獲器を土中に埋設する構成が多くみられる。なかには特許文献５実開昭６２−１８６６７６号公報（前記公報第２図参照）．特許文献７特開２０００−２７０７５４号公報（前記公報第１図参照）．特許文献９実登３０９３３９６号公報（前記公報第４図参照）のように、下部檻体を土中に埋設したままモグラを取り出せるもの、あるいはモグラの捕獲を地表より確認できるものもある。
【０００６】
また、モグラ捕獲器の改良研究の推進に当たっては、当該捕獲動物であるモグラの生態研究と、当該捕獲動物のモグラの主食であるミミズの生態研究に注目する必要がある。モグラとミミズの行動はもちろんのこと、繁殖など生態全般にわたり正しく理解することが望まれる。また、野生動物の捕獲駆除に係る、現代の時代的背景及び法的実際面の正しい理解も必要である。本発明に至った背景文献として、非特許文献１から８の文献を、参考として紹介する。
【特許文献１】実明３４８７０１
【特許文献２】特開昭５５−１５６５４１
【特許文献３】実開昭６０−１２１７６４
【特許文献４】特開昭６１−１２２４０
【特許文献５】実開昭６２−１８６６７６
【特許文献６】実開平０５−６０２８５
【特許文献７】特開２０００−２７０７５４
【特許文献８】特許３３０１７５３
【特許文献９】実登３０９３３９６
【非特許文献１】ダーウィン  ミミズと土
【非特許文献２】ジェリー；ミニッチ  ミミズの博物誌
【非特許文献３】中村方子  ミミズのいる地球他
【非特許文献４】渡辺弘之  ミミズのダンスが地球を潤す
【非特許文献５】ケネス；メランビー  モグラ物語
【非特許文献６】今泉吉晴  モグラの地中他
【非特許文献７】手塚甫  モグラ他
【非特許文献８】羽山伸一  野生動物問題
【発明の開示】
【発明が解決しようとする課題】
【０００７】
前項背景技術の特許文献１実明３４８７０１・特許文献３実開昭６０−１２１７６４にあっては、当該捕獲動物が落床に自重を掛ける過程の、体が充分に移動しない時点で、徐々に落床の作動が始まり、足元の動きに当該捕獲動物が警戒して引き下がってしまう場合が生じてしまうという課題を有している。
【０００８】
また、前段落記載の課題を解決した、前項背景技術の特許文献４特開昭６１−１２２４０にあっては、係止具が落床上方端部にあり、当該落床を通過して係止具に誘導する囲いが必要となり、餌が外部からは目視できない。当該捕獲動物は臭気のみの誘引となる。特許文献２特開昭５５−１５６５４１にあっては、設餌部に囲いを必要とせず、当該捕獲動物の視野には、落床中央部に配置された餌のみが提供され、前記課題を解決しているが、補助エネルギーとして、電気エネルギーが必要になり、且つ電動式作動機構が必要となり、構造が複雑で高価な装置になる上に、電池管理という維持管理が付帯的に発生してしまうという課題を有している。
【０００９】
また、従来のモグラ捕獲器に関しては、前項背景技術の特許文献８特許３３０１７５３に代表される如く、地表を観察し当該地表の盛り上がり状態から、既存のモグラトンネルを見つけ、捕獲に最も適切な場所を判断し、そこに埋設しなくてはならない。しかし、地中のモグラトンネル網は、地表からの目視観察はできない。設置適所とされる、モグラの生活行動の主幹的位置づけとなる本道を特定することなど、とうてい普通人の能力範疇にはない。設置場所判断はなかなか難しく、経験を重ねなくてはならない。先行する従来技術の多くは、捕獲の確認を含めて、モグラ取り出しの都度、檻体である一体のモグラ捕獲器を掘り出さなくてならないという課題を有している。前述課題の後者を解決した、前項背景技術の特許文献５実開昭６２−１８６６７６．特許文献７特開２０００−２７０７５４．特許文献９実登３０９３３９６のように捕獲器である檻体の一部もしくは全体を埋設したまま地上捕獲確認可能なもの及びモグラのみ取り出せるものもあるが、設置適所としてモグラトンネル網の本道を求めるという課題を有している。
【００１０】
また、前段落同様モグラ捕獲器に関しては、人間による捕獲駆除の他、非特許文献５・６・７で紹介した、今泉吉晴・手塚甫・ケネス；メランビー等が、モグラの生態に関する学術研究で明らかにしているように、自然の営みとして、動物界の食物連鎖による捕食があっても、直ぐに、主をなくした既存のモグラトンネル網に、他のモグラが進入し、自分のなわばりにしてしまうことが繰り返される。繁殖力の高いモグラは、他の肉食動物の餌として短い生涯を終えるものが多い。長年生存して自然死を迎えるものは極めて少ない。自然界として全体的に観ると、人間による捕獲駆除は一部にすぎない。人間の生活圏以外の自然圏から、人間の生活圏への新生モグラの流入は、自然の展開である。非特許文献８羽山伸一・野生動物問題（Ｐ．７８参照）によると、１９９５年の国土利用実態として、農用地１３．５％・森林６６．５％・原野０．７％・河川など３．５％のデータが報告されている。面積比から判断して、前述の自然圏からの農用地への新生モグラの流入個体数の多さが推測される。従って、背景技術の項で示した従来例による、その場対応の一時的な対症療法捕獲駆除では、モグラの被害を減少させる対策としての効果は低い。古来幾多の発明がなされ、様々な対応がなされているにもかかわらず、人間とモグラとの戦いは、ネズミと同様に、農業を核とした人間の定住生活が始まって以来継続されているという課題を有している。
【００１１】
本発明は、上記のような課題を解決し、当該捕獲動物が、落床の上に完全に自重を移動させた後に、当該落床を作動させ、且つ、誘導囲いを必要とせず、当該捕獲動物の視野に、落床の中央部に配置された餌のみを提供する、外部エネルギーを付加利用しない簡単な落床作動機構（開閉）及び構造を提供することを目的とするものである。
【００１２】
また、モグラ捕獲器にあって、既存のモグラトンネルを見つけて、わなを仕掛ける方法から脱皮し、捕獲に都合の良い場所にモグラトンネルを新設させ、モグラ捕獲に係る器具一式を容易に出し入れ可能にした、定置設置による継続的な連続捕獲を可能にさせる、土地利用に係るモグラ被害の、抜本的対策として予防保全的意味合いのあるモグラ捕獲器を、農用地・公園及び諸施設などの公用地・ゴルフ場、保養地などの自然環境を利用する産業などに提供することを目的とするものである。
【課題を解決するための手段】
【００１３】
このため、本発明の動物捕獲器は、落床からなる動物捕獲器において、当該落床は、常時水平を保ち水平維持に必要な反力以上、且つ前記反力と捕獲動物の自重を加算した値未満の荷重で、当該動物捕獲器の内部である裏面に配置されるバネもしくはバランス錘の与圧具を用い、上方に回動すべく付勢され筐体に枢着し、当該落床は、振り子運動を行う揺動錘、または直線往復運動を行う揺動ロッドの、当該落床の内部である裏面に配置される係止具を用い、常時当該筐体に係止し、当該係止具には連接体を連結し、連接体は、当該落床の中央部を通過しスライド可能状態で表面に支持し、餌籠、餌箱、餌取付具、受圧具のいずれかからなる受圧部材に連結し、また係止具は、係止解除作動力が解除された時に、振り子運動を行う揺動錘は、自重バランスにより、また、直線往復運動を行う揺動ロッドは、補助与圧戻りバネの付勢により、当該落床を係止する姿勢に自動的に復帰する、動物捕獲器の表面には受圧部材のみが配置される落床の作動機構及び構造からなることを特徴とする。
【００１４】
また、モグラ捕獲器において、水平方向周囲側面に、少なくとも一つのモグラ進入口を有する外箱は、当該外箱上面が地表に露出するように地中に埋設し、当該外箱の内部に、餌籠、餌箱、餌取付具、受圧具のいずれかからなる受圧部材と落床及び当該落床の作動機構とを配置した内箱であるモグラ受箱を収納する二重箱形構造を有することを特徴とする。
【００１５】
また、水平方向周囲側面に、少なくとも一つのモグラ進入口を有する外箱に蓋を付し、当該蓋上面が地表に露出するように地中に埋設し、当該外箱の内部に、上方より、下面に外箱のモグラ進入口に繋がる誘導通路にミミズ通過口を配置したモグラトンネルが形成された餌箱、落床と当該落床の作動機構を配置した中蓋が一時固着されたモグラ受箱、の順序で積重ねられた構成で設置されることを特徴とする。
【発明の効果】
【００１６】
本発明は、以上のように構成したので、落床の基本的作動機構の利用は、広範な種類の動物捕獲器に適用できる。落床の作動を促す自重を有する、地上及び地中に生息する、総ての動物の捕獲に適用され得る。しかし、運用に当たっては現行法規に基づかなければならない。鳥獣保護及び狩猟の適正化に関する法律・動物の愛護及び管理に関する法律、の二法で、ネズミやモグラなどを除く野生鳥獣は、許可なく捕獲することが禁止されている。農林水産業その他自然環境を利用する産業などの、実質的な営業被害を受けた場合と、人間の生命と安全に関する被害が予測される場合には、有害駆除という制度で、駆除申請し許可を受けた後、捕獲することができる。野生動物の被害問題にかかわる歴史は、ヒトの起源にまでさかのぼることができる。シシ垣などの、中世期の膨大な経済的負担の歴史だけでなく、現代でも、高速道路のシシ垣対策などでは、多くの負担が強いられている。本発明に係る落床の基本構造は、これらの現状を踏まえた捕獲行動の他、学術研究のための生け捕り調査と、自然保護の立場から、自然生態系の維持を目的とした、行政主体による、科学的計画的に裏付けされた保護管理の基に実行される、野生動物の捕獲行動の基本ツールとして利用される可能性を有するという効果を有する。〈記述内容は、非特許文献８羽山伸一・野生動物問題（Ｐ．３９〜Ｐ．７１参照）より引用〉
【００１７】
応用例として、山間傾斜地を利用して、当該傾斜地を部分的に掘り込み、横方向はめ込み方式の大形装置で、有害獣である熊や猪などの大型動物の生け捕り捕獲器へのような応用も可能である。中型動物では、過繁殖になった野犬や野良猫などの生け捕り捕獲器への応用も可能である。クマネズミのようなモグラ同様の他の小型動物への応用も可能である。学術調査や研究のための、一時的な様々な動物捕獲への対応も可能である。という効果を有する。
【００１８】
当該捕獲動物の行動による、本発明に係る落床の作動機構部分に、実施例−１の構成を採用すれば、落床表面に置かれた餌箱もしくは餌籠のみ、もしくは餌取付具を用いた場合は餌のみを、当該捕獲動物の視野に置く設定がとれる。捕集に係る動物受け箱である檻体部分と、落床の作動機構部分は、台下もしくは地中に置く対策が取れる。当該捕獲動物が、完全に落床上に体を移動させた後に当該落床の作動を行う機構と併せて、二重の当該捕獲動物の警戒心を緩和させる対策となる。付帯エネルギーを必要としない、安価でランニングコストの少ない、捕獲効率を高めた動物捕獲器を提供するという効果を有する。
【００１９】
また、モグラ捕獲器において、本発明に係る実施例−２における、一対の中開落床を有する捕集式二重箱型定置型モグラ捕獲器にあっては、外箱を独立させたので、設置にあたり、外箱のみの埋設を先行させ、モグラ進入口下部レベルに仮設床を張り、半腐り状態の稲藁や草もしくは落ち葉などと、モグラの主食であるミミズを入れ、モグラの活動に任せておくことができる。既存のモグラトンネルのない場所でも、やがてモグラは主食であるミミズの臭気に引かれてモグラトンネルを掘り進めてくる。モグラの習性として、非通常的臭気が漂う場合や、非通常的気配のする地下の未知なる空間は、警戒心のため、トンネル内壁を削り、内部の土で塞いでしまう。自らが造ったモグラトンネル網内部でも、同様に通路を閉塞し迂回路を構築する場合もある。〈非特許文献５ケネス；メランビー・モグラ物語では、わなを迂回するモグラの習性が紹介されている。〉本発明に係る試行でも、大方の場合、外箱設置初期においては、外箱内部に、トンネル内の土が押し出され、モグラが進入する気配は感じられない。前記排土を排除してみると、外箱周囲に迂回路が上下左右に掘られている場合がある。ミミズの供給を充分に続けると、徐々に外箱内部も狩り場として、行動範疇に取り入れられていく。やがて外箱内部での行動も活発となりモグラの主食であるミミズも食べ尽くされる。更にミミズを追加してモグラの活動に任せておく、モグラは自身のなわばり内の主要な狩り場として、外箱に通じるモグラトンネル網の構成を造り上げてゆく、外箱内へのトンネル内からの土の押し出しがおさまり、モグラの活発なミミズ捕食活動が確認される時点で、トンネル排土と仮設床を撤去し、モグラ捕獲器具一式を収納する。
【００２０】
設置初期は、受動ブロック（実施例−２図２参照）は外しておき、モグラの行動に任せておく。前段落と同様な結果となる場合もあるが、モグラのミミズ箱に設けられたトンネル通過と、なわばり誇示であるマーキングが確認される時点が、捕獲開始の適期である。土の動きを観察することになる。
【００２１】
前段落及び前々段落記載の内容は、人間による捕獲駆除の他、非特許文献５・６・７で紹介した、今泉吉晴・手塚甫・ケネス；メランビー等のモグラの生態に関する学術研究で明らかにされているように、動物界の食物連鎖による捕食があっても、直ぐに他のモグラが進入し自分のなわばりとしてしまうことが繰り返されるという課題の解決に有効に働く。後続の進入モグラは、先住モグラのモグラトンネル網を、とりあえずそのまま利用する習性があるからである。
【００２２】
より安定した捕集式モグラ捕獲器を実現させるには、外箱位置が、モグラトンネル網の主幹的位置づけとなる、主要な狩り場とする構成が必要である。なわばりの主であるモグラの世代交代が進行することを考慮すると、外箱に通じるモグラトンネルが、後続の進入モグラが早期に利用され得るモグラトンネルに仕上げられる必要がある。設置初期の、前（００１９及び００２０）段落記載の対応の意味合いの重要性がここにある。〈非特許文献５ケネス；メランビー・モグラ物語は、新生モグラが定住できるモグラトンネルを求めて放浪を続ける行動の中に、モグラの生態研究の結果を、児童向け物語としてまとめたものである。〉モグラトンネル網は、地上からは解らない。モグラの行動主幹となる本道を見つけることは容易なことではない。外箱内部に押し出されるモグラトンネル内部からの土の動きを通じて、モグラの行動状態を、想像的に感じ取ることになる。
【００２３】
モグラの世代交代が進み、捕集式捕獲の頻度が低下に至った時にも、モグラ捕獲器具一式を取り出し、設置初期の対応と同様な仮設床を用いた、モグラトンネル再生処理を行う。モグラトンネルへのミミズの進入を促進させ、外箱位置のモグラトンネル網の、主要な狩り場の位置づけを活性化させる。モグラの生態に関する学術研究で明らかにされていることから、将来に渡って継続的に捕集式捕獲駆除を行う必要性がある。継続的維持管理を容易に行えるようにした、より安定した捕集式定置型モグラ捕獲器を提供するという効果を有する。
【００２４】
また、背景の技術の項で示した通り、動物捕獲器において、捕獲室と外箱を併設する二重箱型構造の利用は古くから行われている。外観上の二重箱型構造は既に新規性喪失状態である。しかし、本発明に係る二重箱型構造は、モグラ捕獲器として地中に埋設する方法を発明している。作用として、前述の、モグラの習性を利用しミミズを用いた、モグラトンネル網の主幹的位置付けとなる外箱へのモグラトンネル網の再構築を引き出している。既存のモグラトンネルの本道を特定し、捕獲器を設置する対症療法的対応から脱皮する、前述の本発明の使用方法の内容は、背景の項で示した通り、従来のモグラ捕獲器にはみられない新規性である。定置設置による利用の、農耕作業の非障害化及び美観の確保など、土地利用に係る使用上の利便性と、予防保全的捕集機能とを併せて、従来のモグラ捕獲器にはない新規性を生み出したという効果を有する。
【００２５】
また、本発明に係る実施例−２における、一対の中開落床を有する捕集式二重箱型定置型モグラ捕獲器にあっては、ミミズ箱３０を構造的に大型にできるので、モグラの主食であるミミズの養殖箱としての機能を付加させることができる。本発明に係る試行では、当該ミミズ箱３０内で産卵された卵包と、孵化した微細なミミズの幼体が確認されている。挿し餌と、餌の管理負担が軽減できるモグラ捕獲器を提供するという効果を有する。
【００２６】
また、本発明に係る初期試行では、ミミズ箱を餌箱としてミミズ単体で、小さな箱に投入していた、前記構成ではミミズの長時間生存が安定せず、試行の段階毎に餌箱の大きさを増し、結果的に、ミミズの食料である半腐りの稲藁を追加し、養殖箱とする本発明の構成に至った。
【００２７】
また、本発明に係る試行では、実施例−２に付随して、冬期間のミミズ保存用として、モグラ受け箱２８bの下部にもう一つのミミズ箱を設けてみた。寒冷地では、ミミズは冬季になると地中深くにもぐり地表から姿を消す。上方のミミズ箱３０では冬期間には、低温のためミミズは死滅してしまう。下部ミミズ箱であれば土中深度が増すので凍結もなく、仮死状態になった場合でも生存の可能性が高い。前記試行設置では、厳冬期に、地表周辺の凍結にも関わらず、地中４０ｃｍ深度の下部ミミズ箱では、ミミズ生体の個体数は減少し、活動はほとんど仮眠状態であったが、一方微細なミミズが観測され、卵包の孵化が確認された。冬期間以外でも、ミミズの養殖箱としても利用できる。前記下部ミミズ箱構成は、寒冷地における冬期間のモグラ捕獲対策としての意味合いを生むという効果を有している。
【００２８】
また、本発明に係る、実施例−２における一対の中開落床を有する捕集式二重箱型定置型モグラ捕獲器を、より効果的に早期に立ち上げるには、農耕地であれば耕作及び栽培に支障を与えない場所、庭や公園及びゴルフ場並びに保養地などにあっては、人の利用に支障をきたさない場所、もしくは美観に支障を与えない場所など、設置場所選定の後、当該設置予定場所に、稲藁などの有機堆肥を積み、予めモグラを誘引しておくとよい。本発明に係る試行では、地面に直接積み上げた稲藁は、自然発生的にモグラの主食であるミミズを誘発し増殖する場合が多い、自然発生がなくても、他所よりミミズを稲藁などの有機堆肥に供給すればよい。ミミズが増殖されると、やがてモグラは土中からやってくる。予めモグラトンネル網の主要な狩り場としての構成がある程度構築できる。有機堆肥の下にモグラが頻繁に通う時期が、外箱設置の適期である。
【００２９】
また、前段落記載の稲藁などの有機堆肥は、大量でなくてよい。稲藁であれば小束数束で十分である。人参牛蒡など冬期間の土中根菜越冬保存として、稲藁を小束で数段敷き詰めておくと、春になると、稲藁下面にミミズの繁殖とモグラトンネルの存在が観察される現状がある。
【００３０】
また、本発明に係る捕集式モグラ捕獲の繰り返し利用継続は、自然な土地の営みのバロメーターとなる。ミミズもモグラも生息しない土地は、健康状態が低下しているのである。ミミズが生息し、そのミミズを主食とするモグラが絶えることなくやってくる。周辺地域環境を含めて、土地が活き活きと活動していることの証明である。そこで生産される農作物は、人間に健康を提供してくれる。育まれる植物は健全な自然環境を提供してくれる。土地の健康状態を示してくれるという効果を有する。
【００３１】
また、本発明に係るミミズ利用の構成は、ダーウィン・ジェリー；ミニッチ・中村方子・渡辺弘之等のミミズの生態に関する、実用及び学術研究結果の応用実施例である。
【００３２】
また、本発明によるモグラ捕獲器と、Ｆ１・Ｆターム分類Ａ０１Ｍ２３／００における、／０２〜／３８全域での従来の発明によるモグラ捕獲器との併設を考慮してもよい。本発明の外箱と餌箱に係る二重箱型構造を採用し、モグラ捕獲器の器具一式として、従来の発明によるモグラ捕獲器及び今後の新規発明によるモグラ捕獲器を組み合わせて用いてもよい。生産者の事情に応じた、より生産経済性の高い選択、及び使用者の使い勝手による利便性の選択がなされてよい。モグラ捕獲器に様々な製品仕様が広がってよい。本発明を併用し、従来技術を有効に活用できるという効果を有する。
【発明を実施するための最良の形態】
【００３３】
以下、図面に示す実施例に基づいて、本発明の実施の形態を説明する。図１は落床Ａ１１ａ開閉構造の、基本部分の基本的機構を説明する一実施例を示す、一部分断面である中央部分の斜視図、図２は、一対の中開落床Ｂ１１ｂ及び落床Ｂ’１１ｂ’を有する捕集式二重箱型定置型モグラ捕獲器の、一実施例を示す、一部分断面斜視図、図３は図２における、餌箱８であるミミズ箱３０の一部分断面である斜視図、図４は図２における、本発明に係る落床作動部Ｂ１ｂである、モグラ受箱２８ｂ上部中蓋部の一対の中開落床Ｂ１１ｂ及び落床Ｂ’１１ｂ’作動に係る機構部分の一部分断面斜視図、図５は図４における、一対の中開落床Ｂ１１ｂ及び落床Ｂ’１１ｂ’を相互に係止する係止具Ｂ’４ｂ’の機構を説明する、拡大部分断面を示す斜視図、図６は図４における、落床Ｂ１１ｂと落床支持プレート１６を係止する係止具Ｂ４ｂの機構を説明する、拡大部分断面を示す斜視図、図７は本発明に係る落床作動部Ｃ１ｃを有する、地中Ｃ３６ｃ埋込タイプの動物捕獲器の一実施例を説明する、中央部分の断面図、図８は本発明に係る落床作動部Ｄ１ｄを有する、段丘地適応タイプの動物捕獲器の一実施例を説明する、中央部分の断面図、図９は本発明に係る落床作動部Ｅ１ｅを有する、床６ｅ置きタイプの動物捕獲器の一実施例を説明する、中央部分の断面図を示す説明図である。
【実施例】
【００３４】
（実施例−１）
図１に示すように、本実施例−１は、本発明に係る落床作動部Ａ１ａ部分である、落床開閉作動機構に係る構造は、落床Ａ１１ａは、前記落床Ａ１１ａの水平維持に必要な反力以上で、前記反力と当該捕獲動物の自重を加算した値未満の荷重をもった、落床付勢機構部Ａ２ａ部分である、落床付勢引張コイルバネＡ１２ａで、上方に付勢をもって、常時は水平を保つように落床Ａ受部１８ａに度当たりして、筐体２８ａに蝶番Ａ１３ａによって枢着される。当該落床Ａ１１ａの枢着辺に左側で対向する辺の裏面に配置された、振り子運動支点２１を運動支点とする爪ロック板振り子錘２０ａと、筐体２８ａの裏面に固着された係止受具Ａ２４ａによって構成される係止具Ａ４ａによって、筐体２８ａと落床Ａ１１ａが裏面において係止される。落床Ａ１１ａ表面中央部分に受圧部Ａ３ａである餌籠１９ａが配置され、ロープ通過穴Ａ１５ａを通過する連接ロープＡ２６ａによって、餌籠１９ａと爪ロック板振り子錘２０ａとが連接ロープＡ２６ａが緊張された状態で連結される。筐体２８ａは上方開口の箱体であり、落床Ａ１１ａが枢着されることにより捕獲室Ａ５ａを備えた捕獲檻体を構成する。
【００３５】
落床Ａ１１ａの開閉作動機構について説明する。落床Ａ１１ａの表面に、当該捕獲動物が侵入し、餌籠１９ａ内に入れられた餌を捕食しようと餌籠１９ａに加圧接触を行う。餌籠１９ａは前記加圧力により移動する。前記移動は連接ロープＡ２６ａを介して爪ロック板振り子錘２０ａを反時計方向に回動させ、係止状態を解除する。この時、餌籠１９ａが落床Ａ１１ａ上のどんな自由方向に移動しても、連接ロープＡ２６ａは、一点であるロープ通過穴Ａ１５ａを支点として上方に引き出されるので、爪ロック板振り子錘２０ａの動きは、反時計方向で常に一定方向となる。
【００３６】
係止が解除された落床Ａ１１ａは、当該捕獲動物の自重により左側で片開き落下（傾斜）する。前記落床Ａ１１ａの落下により、当該捕獲動物は落床Ａ１１ａ上を滑りながら捕獲室Ａ５ａの下方に落下する。この時、落床Ａ１１ａの表面積は、当該捕獲動物の体長（頭部より後足まで）以上を半径とする、餌籠１９ａを中心とした円面積以上が必要となる。
【００３７】
爪ロック板振り子錘２０ａは係止状態で振り子運動支点２１より右側に重心設定をしておく、したがって、落床Ａ１１ａの下方落下（傾斜）時には、当該捕獲動物の落下に伴い餌籠１９ａに与えられていた移動力が解放されると、餌籠１９ａを引擦りながら連接ロープＡ２６ａの緊張状態まで時計方向に反転する。この時の反転力はバネによる付勢を利用してもよい。
【００３８】
当該捕獲動物が落床Ａ１１ａの下方に落下すると、当該落床Ａ１１ａは作動力を失い、落床付勢引張コイルバネＡ１２ａのバネ圧によって、運動の方向が反転され上方に戻る。前段落で説明した通り、すでに爪ロック板振り子錘２０ａは、初期状態を回復しているので、係止受具Ａ２４ａに当たる。係止受具Ａ２４ａには斜面Ａ２５ａが付されているので、爪ロック板振り子錘２０ａは、反時計方向に押し戻されて落床Ａ１１ａが水平状態に復帰する状態に戻る。爪ロック板振り子錘２０ａは重心バランスにより再度時計方向に反転し、筐体２８ａと落床Ａ１１ａが係止される。以上の一連の作動により、全体の初期状態自動復帰がなされ、一回の作動が完結される。以後は同様な繰り返し作動がなされる。
【００３９】
また、餌籠１９ａになされる捕食接触は、餌の消費がなされないことを目的とした籠構成であるが、直接餌を捕食する餌取付具構成であってもよいし、次に実施例−２に示す一対の中開落床を有する捕集式二重箱形定置型モグラ捕獲器のように、当該捕獲動物の餌を追い求める行動接触による受圧具構成であってもよい。当該捕獲動物の習性によって、様々な展開ができる。
【００４０】
また、本実施例−１では、連接体としてロープを採用しているが、ロープ通過穴Ａ１５ａは、摩擦力低減を目的とし、外周溝半丸を対向させて円形のロープ通過穴を構成する、一対のプーリーによる機構に置き換えてもよい。
【００４１】
また、落床Ａ１１ａ下方の捕獲動物受け部の檻体は、空間箱体であってもよいし、水槽や粘着シートが敷設されたものであってもよい。搬送され得る吸引シューターであってもよい。様々な応用が可能である。
【００４２】
また、落床付勢引張コイルバネＡ１２ａは、定圧荷重バネであってもよい。枢着軸を支点とした、バランス錘の利用であってもよい。捕獲室内部で蝶番Ａ１３ａより左側で、落床Ａ１１ａを押し上げる構成の圧縮コイルバネを用いてもよい。
【００４３】
（実施例−２）
図２に示すように、本実施例−２における一対の中開落床を有する捕集式二重箱形定置型モグラ捕獲器の構造は、蓋７を地表Ｂ６ｂより上部に出して、地中に定置常設される上方開口の直方箱体である、周囲４側面に各々モグラ進入口２９を有する外箱Ｂ９ｂの内部に、モグラ捕獲器具一式を収納する、二重箱形構造となっている。
【００４４】
前段落記載のモグラ捕獲器具一式は、図３に示す、底面にミミズ通過口３４を有するモグラトンネル壁３２で構成するモグラトンネル３３、及びポールガイド筒３１を備えた餌箱８であるミミズ箱３０と、中開き（観音開き）である落床Ｂ１１ｂ及び落床Ｂ’１１ｂ’を作動支持させる機構一式を併設した中蓋を上部に一時固着で配置した捕獲室Ｂ５ｂであるモグラ受箱２８ｂとした構造から構成する。
【００４５】
また、モグラトンネルの構成は、ミミズ箱を平底とし、モグラトンネルは、中蓋側に配置する構成としてもさしつかえない。
【００４６】
前（００４４）段落記載のモグラ受け箱２８ｂ上部中蓋構成を説明する。図４において、落床Ｂ１１ｂは、落床支持プレート１６に枢着軸Ｂ１３ｂをもって枢着される。落床支持プレート１６はモグラ受箱２８ｂの上端面にネジにより一時固着される。落床Ｂ１１ｂと落床Ｂ’１１ｂ’は、モグラ受箱２８ｂの上部矩形四隅において同様な枢着であり、前記構成により下方中開き（観音開き）構造となる。中蓋はモグラ取り出しの都度外されることになる。
【００４７】
落床Ｂ１１ｂ裏面には、落床付勢機構部Ｂ２ｂを構成する、Ｌ字形の落床付勢引張コイルバネＢ取付ステー１４が固着され、下方先端に落床付勢引張コイルバネＢ１２ｂが支持される。中開き線を中心線として対称位置に、落床Ｂ’１１ｂ’裏面にも同様な落床付勢引張コイルバネＢ取付ステーが固着されており、落床付勢引張コイルバネＢ１２ｂの右側他端が支持され、一本の落床付勢引張コイルバネB１２ｂで、落床Ｂ１１ｂと落床Ｂ’１１ｂ’が同時に、中開き上方付勢が確保される。落床付勢引張コイルバネＢ取付ステー１４はＬ字形となっており落床付勢引張コイルバネＢ１２ｂは、落床支持プレート１６の下方に位置する。このため、モグラの落下時には障害とならない。落床付勢引張コイルバネＢ１２ｂの損傷が防止できる。
【００４８】
落床支持プレート１６には、落床Ｂ（Ｂ’）受部１８ｂが付されており、同時に、落床Ｂ１１ｂと落床Ｂ’１１ｂ’の上方付勢度当たりとなり、水平状態が確保される。（図６参照）
【００４９】
落床Ｂ１１ｂには、図５に示す通りロープ通過穴Ｂ１５ｂが中央右部にある。前記ロープ通過穴Ｂ１５ｂを通過して連接ロープＢ２６ｂが、落床Ｂ１１ｂの表面に受動ブロック１９ｂ、裏面には図６に詳細を示す係止具Ｂ４ｂに緊張状態で連結される。受動ブロック１９ｂ及びロープ通過穴Ｂ１５ｂの位置は、図３に示したモグラトンネル３３の中央部の十字交叉内空間となる。
【００５０】
落床Ｂ１１ｂの右側手前裏面には、図６に詳細を示す係止具Ｂ４ｂが固着されており、落床支持プレート１６の中央部裏面に固着された係止受具Ｂ２４ｂにより係止されている。
【００５１】
落床Ｂ’１１ｂ’中央左部裏面には、図５に詳細を示す係止具Ｂ’４ｂ’が固着されており、落床Ｂ１１ｂの中央右部裏面に固着された係止受具Ｂ’２４ｂ’により、落床Ｂ１１ｂと落床Ｂ’１１ｂ’は、相互に係止されている。
【００５２】
落床Ｂ１１ｂ及び落床Ｂ’１１ｂ’の付勢動作について説明する。引き伸ばされた落床付勢引張コイルバネＢ１２ｂは、引張力が０となるまで総丈収縮力が働く、両端面の落床付勢引張コイルバネＢ取付ステー１４と対称位置にある同様な落床付勢引張コイルバネＢ取付ステー（図示はしていない）の支持点が、最短距離になるように水平方向に働く。前記落床付勢引張コイルバネＢ１２ｂの両端支持点は枢着軸Ｂ１３ｂを中心として各々回動する。すなわち、前記支持点における垂直方向分力が、落床Ｂ１１ｂ及び落床Ｂ’１１ｂ’の押し上げ付勢として働く。理論的には、一対の中開落床の両側枢着２軸と、引張コイルバネ両端の４点が同一直線上に並ぶまで、垂直分力は働くことになる。従って、一本の引張コイルバネで二枚一対の落床に、同時に上方復元付勢が与えられる。
【００５３】
落床開閉作動機構を説明する。四つのモグラ進入口２９のいずれか一方からモグラトンネル３３に進入したモグラは、中央部空間の受動ブロック１９ｂに到達し、前方に進行するために、受動ブロック１９ｂを排除しようと移動させる。（以下図５及び図６参照）受動ブロック１９ｂの移動は、ロープ通過穴Ｂ１５ｂを通過する連接ロープＢ２６ｂを介して、前記連接ロープB２６ｂに固着されたロープフック２７によって、一対のロッド支持板Ｂ２２ｂによって支持された係止ロッドＢ２０ｂを引く。落床支持プレート１６に固着された係止受具Ｂ２４ｂから係止ロッドＢ２０ｂが外れ係止が解除される。以下初期状態復帰までの一連の作動は、図１における実施例−１と同様である。ただしここでは、斜面Ａ２５ａが斜面Ｂ２５ｂに、爪ロック板振り子錘２０ａが係止ロッドＢ２０ｂに、爪ロック板振り子錘２０ａの重心バランスによる戻り付勢がロッド付勢圧縮コイルバネＢ２３ｂに置き換えられている。
【００５４】
落床Ｂ１１ｂと落床Ｂ’１１ｂ’は、図５に示すとおり、一対のロッド支持板Ｂ’２２ｂ’によって支持され、ロッド付勢圧縮コイルバネＢ’２３ｂ’によって戻り付勢された係止ロッＢ’２０ｂ’と係止受具Ｂ’２４ｂ’によって係止されているので、前段落で起動される落床落下は、落床Ｂ１１ｂと落床Ｂ’１１ｂ’が一体となって同時に進行する。モグラが四方向のいずれのモグラトンネル３３に位置しても同じ結果となる。落床Ｂ１１ｂと落床Ｂ’１１ｂ’は下方開きして離れるので、やがて係止受具Ｂ’２４ｂ’と係止ロッドＢ’２０ｂ’の係止は係止ロッドＢ’２０ｂ’の動きが無くても相互に離れ係止が解除される。係止受具Ｂ’２４ｂ’の係止ロッドＢ’２０ｂ’が勘合する受穴は、傾斜に伴う咬み合い防止のための上方余裕が確保されている。
【００５５】
落床Ｂ１１ｂと落床Ｂ’１１ｂ’の中開きに伴い、モグラは中開き中心に移動することになるが、いずれか一方の落床が先にモグラ自重から解放されることになる。先に解放された落床から水平復帰に運動の方向を変える。一連の落下と復帰に伴う作動は、基本的に図１における実施例−１と同様であるが、落床Ｂ１１ｂが先に復帰した場合は、係止受具Ｂ’２４ｂ’の下斜面である斜面Ｂ’２５ｂ’が、係止ロッドＢ’２０ｂ’を押し戻すことになる。落床Ｂ’１１ｂ’が先に復帰した場合は、落床Ｂ１１ｂのロッドＢ’逃げ１５ｂ’を係止ロッドＢ’２０ｂ’が通過した後、係止受具Ｂ’２４ｂ’の上斜面である斜面Ｂ”２５ｂ”が係止ロッドＢ’２０ｂ’を押し戻す。以上の構成により、モグラが４方向のいずれのモグラトンネル３３から進入して、受動ブロック１９ｂをどの自由方向に移動させても、同一の落床Ｂ１１ｂと落床Ｂ’１１ｂ’との中開落床と復帰の一連の動作が確保される。
【００５６】
図２において、落床作動表示ポール１７は、ミミズ箱３０の底面に固着されたポールガイド筒３１内で、落床Ｂ１１ｂに開けられたポール逃穴１５ｂ”（図４参照）の左肩に、先端斜面を引っ掛ける姿勢で配置される。落床Ｂ１１ｂの落下に伴う傾斜で、ポール逃穴１５ｂ”の左肩は、枢着の円弧運動により落下に伴い左側に移動する。したがって落床作動表示ポール１７は、ポール逃穴１５ｂ”内を通過してモグラ受箱２８ｂ内に落下し、地上から落床Ｂ１１ｂの初回作動を確認できることになる。
【００５７】
また、ミミズ箱３０内には、半腐り状態の稲藁や草もしくは落ち葉などを入れ、モグラの主食であるミミズが飼育されている。ミミズは徘徊習癖があり、ミミズ通過口３４を通り、モグラトンネル３３及び捕獲器外部の地中モグラトンネル内へと徘徊してゆく、結果として、モグラがモグラトンネル３３内でミミズを追う行動を誘発し受動ブロック１９ｂの作動に繋がる。
【００５８】
（実施例−３）
図７に示すように、本実施例−３における、地中埋込タイプの動物捕獲器の構造は、地中Ｃ３６ｃに上方開口の直方箱体である外箱Ｃ９ｃが、開口端部が地表Ｃ６ｃと同一レベルに埋設される、当該外箱Ｃ９ｃの内部に、実施例−２と同様に、上部に本発明に係る落床作動部Ｃ１ｃ及び、落床Ｃ１１ｃと落床Ｃ’１１ｃ’と餌取付具に取り付けられた餌Ｃ１９ｃが配置された捕獲室Ｃ５ｃである動物受け箱Ｃ２８ｃが挿入されている。上方外気接触の表面は、地表Ｃ擬似処理３５Ｃが付された構造である。（動物受け箱Ｃ２８ｃを筐体としてポール支持部を配置し、実施例−２と同様な落床作動表示構造を付してもよい。）
【００５９】
当該捕獲動物の捕獲に係る作動機構は、実施例−２と同一である。
【００６０】
また、本実施例−３は、野ネズミなどの小型野生動物からイタチや狸などの中型野生動物の捕獲に適している。
【００６１】
（実施例−４）
図８に示すように、本実施例−４における、段丘地適応タイプの動物捕獲器の構造は、地中Ｄ３６ｄと地表Ｄ６ｄで構成される段丘地に、実施例−２と同様に、上部に本発明に係る落床作動部Ｄ１ｄ及び、落床Ｄ１１ｄと落床Ｄ’１１ｄ’と餌取付具に取り付けられた餌Ｄ１９ｄが配置された捕獲室Ｄ５ｄである動物受け箱Ｄ２８ｄが、渡板３７により、段丘の上方の地表Ｄ６ｄに橋渡しされている。渡板３７と落床Ｄ１１ｄと落床Ｄ’１１ｄ’の表面は、地表Ｄ擬似処理３５ｄが付された構造である。（実施例−３と同様な落床作動表示構造を付してもよい。）
【００６２】
また、当該捕獲動物の警戒心感覚程度により、側面部位にも擬似処理による動物受け箱Ｄ２８ｄ隠蔽対策を必要とされる場合も想定できる。実施例−５においても表面全体において同様である。
【００６３】
当該捕獲動物の捕獲に係る作動機構は、実施例−２と同一である。
【００６４】
また、本実施例−４は、山間地に生息する、狐などの中型野生動物から熊や猪などの大型野生動物の捕獲に適している。
【００６５】
また、てごろな段丘地がない場合には、斜面堀込みによって捕獲室Ｄ５ｄをはめ込み式としてもよい。
【００６６】
（実施例−５）
図９に示すように、本実施例−５における、床置きタイプの動物捕獲器の構造は、実施例−２と同様に、上部に本発明に係る落床作動部Ｅ１ｅ及び、落床Ｅ１１ｅと落床Ｅ’１１ｅ’と餌取付具に取り付けられた餌Ｅ１９ｅが配置された捕獲室Ｅ５ｅである動物受け箱Ｅ２８ｅが、二つの蝶番Ｅ３９及び重ね厚調整板４１によって、三つ折りタイプに構成された登坂板４０で、登坂板受部３８よって、落床Ｅ’１１ｅ’が床６ｅと斜面橋渡しされて床６ｅ上に置かれる。（実施例−３と同様な落床作動表示構造を付してもよい。）
【００６７】
当該捕獲動物の捕獲に係る作動機構は、実施例−２と同一である。
【００６８】
また、本実施例−５は、ネズミなどの屋内に生息する小型野生動物の捕獲に適している。食品倉庫などの各種倉庫のネズミ対策に有効である。屋内に拘らず、屋外の野生動物にも対応できる。
【００６９】
また、ネズミは垂直壁をよじ登る習性がある。送電線の鉄塔や船舶の停泊ロープにみられるネズミ返しがそれを証明している。階段のない平屋の民家でも、天井裏を住みかとし台所を往復している。ネズミ対応の場合には、捕獲室内を仕切り、付勢バネステーの回動逃げ穴を有する付勢バネ保護室の設定が必要となる。
【００７０】
また、実施例―４及び実施例―５において、捕獲室の一面に開閉機能を付与し二重箱形構造を採用すれば、定置型とでき更に捕獲動物の事後扱いが改善される。
【産業上の利用可能性】
【００７１】
本発明は、広範な種類の動物捕獲器に適用できる。自動復帰型落下式床の作動を促す自重を有する、地上及び地中に生息する、総ての動物の捕獲に適用され得る。現代では、野生動物に係る諸問題は、単に農用地が荒らされる内容だけには留まらない。開発の多様化は、野生動物の生活圏を狭めてきた。人間との生活域接点での諸問題の他、大都市圏においても、野犬及び野良猫問題、熊ネズミ及び外来種の大型ネズミの過繁殖問題など、都市環境下においても、新手の問題が発生してきている。ペット導入や生産上での改良導入による、外来種動物の野生化過繁殖問題は、日本古来の固有種を絶滅に追いやる問題も指摘されている。人間の生産行動に係る問題の他、生活の安全上の問題、更には、日本国土としての環境維持保全問題など様々な問題が、現実に課せられている。個々の問題に係るそれぞれの産業と行政分野において、本発明は、前述の諸問題に対応する、野生動物捕獲の基本ツールとして、利用の可能性を有している。
【図面の簡単な説明】
【００７２】
【図１】落床Ａ１１ａ開閉構造の、基本部分の基本的機構を説明する一実施例を示す、一部分断面である中央部分の斜視図である。
【図２】一対の中開落床Ｂ１１ｂ及び落床Ｂ’１１ｂ’を有する捕集式二重箱型定置型モグラ捕獲器の、一実施例を示す、一部分断面斜視図である。
【図３】図２における、餌箱８であるミミズ箱３０の一部分断面である斜視図である。
【図４】図２における、本発明に係る落床作動部Ｂ１ｂである、モグラ受箱２８ｂ上部中蓋部の一対の中開落床Ｂ１１ｂ及び落床Ｂ’１１ｂ’作動に係る機構部分の一部分断面斜視図である。
【図５】図４における、一対の中開落床Ｂ１１ｂ及び落床Ｂ’１１ｂ’を相互に係止する係止具Ｂ’４ｂ’の機構を説明する、拡大部分断面を示す斜視図である。
【図６】図４における、落床Ｂ１１ｂと落床支持プレート１６を係止する係止具Ｂ４ｂの機構を説明する、拡大部分断面を示す斜視図である。
【図７】本発明に係る落床作動部Ｃ１ｃを有する、地中Ｃ３６ｃ埋込タイプの動物捕獲器の一実施例を説明する、中央部分の断面図である。
【図８】本発明に係る落床作動部Ｄ１ｄを有する、段丘地適応タイプの動物捕獲器の一実施例を説明する、中央部分の断面図である。
【図９】本発明に係る落床作動部Ｅ１ｅを有する、床６ｅ置きタイプの動物捕獲器の一実施例を説明する、中央部分の断面図である。
【符号の説明】
【００７３】
１ａ    本発明に係る落床作動部Ａ
１ｂ    本発明に係る落床作動部B
１ｃ    本発明に係る落床作動部C
１ｄ    本発明に係る落床作動部D
１ｅ    本発明に係る落床作動部E
２ａ    落床付勢機構部A
２ｂ    落床付勢機構部B
３ａ    受圧部Ａ
３ｂ    受圧部Ｂ
４ａ    係止具Ａ
４ｂ    係止具Ｂ
４ｂ’  係止具Ｂ’
５ａ    捕獲室Ａ
５ｂ    捕獲室Ｂ
５ｃ    捕獲室Ｃ
５ｄ    捕獲室Ｄ
５ｅ    捕獲室Ｅ
６ｂ    地表Ｂ
６ｃ    地表Ｃ
６ｄ    地表Ｄ
６ｅ    床
７      蓋
８      餌箱
９ｂ    外箱Ｂ
９ｃ    外箱Ｃ
１１ａ    落床Ａ
１１ｂ    落床Ｂ
１１ｂ’  落床Ｂ’
１１ｃ    落床Ｃ
１１ｃ’  落床Ｃ’
１１ｄ    落床Ｄ
１１ｄ’  落床Ｄ’
１１ｅ    落床Ｅ
１１ｅ’  落床Ｅ’
１２ａ    落床付勢引張コイルバネＡ
１２ｂ    落床付勢引張コイルバネＢ
１３ａ    蝶番Ａ
１３ｂ    枢着軸Ｂ
１４      落床付勢引張コイルバネＢ取付ステー
１５ａ    ロープ通過穴Ａ
１５ｂ    ロープ通過穴Ｂ
１５ｂ’  ロッドＢ’逃げ
１５ｂ”  ポール逃げ穴
１６      落床支持プレート
１７      落床作動表示ポール
１８ａ    落床Ａ受け部
１８ｂ    落床Ｂ（Ｂ’）受け部
１９ａ    餌籠
１９ｂ    受動ブロック
１９ｃ    餌Ｃ
１９ｄ    餌Ｄ
１９ｅ    餌Ｅ
２０ａ    爪ロック板振り子錘
２０ｂ    係止ロッドＢ
２０ｂ’  係止ロッドＢ’
２１      振り子運動支点
２２ｂ    ロッド支持板Ｂ
２２ｂ’  ロッド支持板Ｂ’
２３ｂ    ロッド付勢圧縮コイルバネＢ
２３ｂ’  ロッド付勢圧縮コイルバネＢ’
２４ａ    係止受具Ａ
２４ｂ    係止受具Ｂ
２４ｂ’  係止受具Ｂ’
２５ａ    斜面Ａ
２５ｂ    斜面Ｂ
２５ｂ’  斜面Ｂ’
２５ｂ”  斜面Ｂ”
２６ａ    連接ロープＡ
２６ｂ    連接ロープＢ
２７      ロープフック
２８ａ    筐体
２８ｂ    モグラ受け箱
２８ｃ    動物受け箱Ｃ
２８ｄ    動物受け箱Ｄ
２８ｅ    動物受け箱Ｅ
２９      モグラ進入口
３０      ミミズ箱
３１      ポールガイド筒
３２      モグラトンネル壁
３３      モグラトンネル
３４      ミミズ通過口
３５ｃ    地表Ｃ擬似処理
３５ｄ    地表Ｄ擬似処理
３６ｃ    地中Ｃ
３６ｄ    地中Ｄ
３７      渡板
３８      登坂板受部
３９      蝶番Ｅ
４０      登坂板
４１      重ね厚調整板                                                    
【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
落床からなる動物捕獲器において、当該落床は、常時水平を保ち水平維持に必要な反力以上、且つ前記反力と捕獲動物の自重を加算した値未満の荷重で、当該動物捕獲器の内部である裏面に配置されるバネもしくはバランス錘の与圧具を用い、上方に回動すべく付勢され筐体に枢着し、当該落床は、振り子運動を行う揺動錘、または直線往復運動を行う揺動ロッドの、当該落床の内部である裏面に配置される係止具を用い、常時当該筐体に係止し、当該係止具には連接体を連結し、連接体は、当該落床の中央部を通過しスライド可能状態で表面に支持し、餌籠、餌箱、餌取付具、受圧具のいずれかからなる受圧部材に連結し、また係止具は、係止解除作動力が解除された時に、振り子運動を行う揺動錘は、自重バランスにより、また、直線往復運動を行う揺動ロッドは、補助与圧戻りバネの付勢により、当該落床を係止する姿勢に自動的に復帰する、落床の表面には受圧部材のみが配置される落床の作動機構及び構造からなることを特徴とする動物捕獲器。
【請求項２】
動物捕獲器において、水平方向周囲側面に、少なくとも一つのモグラ進入口を有する外箱は、当該外箱上面が地表に露出するように地中に埋設し、当該外箱の内部に、餌籠、餌箱、餌取付具、受圧具のいずれかからなる受圧部材と落床及び当該落床の作動機構とを配置した内箱であるモグラ受箱を収納する二重箱形構造を有することを特徴とする請求項１記載の動物捕獲器。
【請求項３】
水平方向周囲側面に、少なくとも一つのモグラ進入口を有する外箱に蓋を付し、当該蓋上面が地表に露出するように地中に埋設し、当該外箱の内部に、上方より、下面に外箱のモグラ進入口に繋がる誘導通路にミミズ通過口を配置したモグラトンネルが形成された餌箱、落床と当該落床の作動機構を配置した中蓋が一時固着されたモグラ受箱、の順序で積重ねられた構成で設置されることを特徴とする請求項２記載の動物捕獲器。
【手続補正２】
【補正対象書類名】明細書
【補正対象項目名】全文
【補正方法】変更
【補正の内容】
【発明の詳細な説明】
【技術分野】
【０００１】
本発明は、動物捕獲に用いられる捕獲器に関する。
【背景技術】
【０００２】
従来の落床の作動原理としては、落下時には当該捕獲動物の自重を利用し、復帰時には回転やシーソーによる落床の重量バランスによる復元力を利用するものが多い。バネやバランス錘を利用するものもある。特許文献１実明３４８７０１号公報（前記公報第１図参照）に基本的な構造が考案されている。以来特許文献３実開昭６０−１２１７６４号公報（前記公報第１図参照）．特許文献４特開昭６１−１２２４０（前記公報第６図参照）．特許文献６実開平０５−６０２８５号公報（前記公報第１図参照）など多くの出願がなされている。特許文献２特開昭５５−１５６５４１号公報（前記公報第１・２図参照）の如く、接近を検知し電動式によって開閉するものもある。
【０００３】
また、特許文献３実開昭６０−１２１７６４号公報（前記公報第１図参照）にあっては、特許請求の範囲に、〈水室を有する捕殺器ケースにおいて、この水質上面に半回転シーソ式床板と餌台、踏み板をそれぞれ近接して設け、上記床板は踏み板に触れることで反転するよう構成したことを特徴とする連続式ネズミ捕殺器。〉として、落床はバランス錘で、シーソ回動の自動復帰を行わせている。落床端部上方にて、踏み板として振り子運動揺動錘にて係止爪を構成し、バランス錘の利用で係止の自動復帰を行っている。水室にあっては、取扱の利便性を高めて、水室のみを捕獲室として独立させる二重箱型構造の発明をしている。
【０００４】
また、特許文献６実開平０５−６０２８５号公報（前記公報第１図参照）にあっては、実用新案登録請求の範囲に、〈請求項１−（ハ）上記檻の少なくとも片方と上方を覆い、上記扉よりも上方に位置する部位に上記動物が進入可能な大きさの入口孔が設けられた外箱、とを具備することを特徴とする動物捕獲装置。請求項２−上記外箱が不透明な材料からなり、外から内部が視覚不能な構造にされていることを特徴とする請求項１に記載の動物捕獲装置。〉とし、要約では、〈ダンボール紙でできた外箱３０を内箱１０の上から被せる。外箱３０の上部には入口孔３１を設けておく。〉として、当該捕獲動物の警戒心を緩和させる考案をしている。二重箱型構造をとっている。利用形態は、床上もしくは地上での動物捕獲であり、利用目的は、捕獲檻体の隠蔽（カムフラージュ）である。
【０００５】
また、モグラ捕獲器にあっては、捕獲器の構成として、特許文献８特許３３０１７５３号公報（前記公報第１図参照）などのように、一体のモグラ捕獲器を土中に埋設する構成が多くみられる。なかには特許文献５実開昭６２−１８６６７６号公報（前記公報第２図参照）．特許文献７特開２０００−２７０７５４号公報（前記公報第１図参照）．特許文献９実登３０９３３９６号公報（前記公報第４図参照）のように、下部檻体を土中に埋設したままモグラを取り出せるもの、あるいはモグラの捕獲を地表より確認できるものもある。
【０００６】
また、モグラ捕獲器の改良研究の推進に当たっては、当該捕獲動物であるモグラの生態研究と、当該捕獲動物のモグラの主食であるミミズの生態研究に注目する必要がある。モグラとミミズの行動はもちろんのこと、繁殖など生態全般にわたり正しく理解することが望まれる。また、野生動物の捕獲駆除に係る、現代の時代的背景及び法的実際面の正しい理解も必要である。本発明に至った背景文献として、非特許文献１から８の文献を、参考として紹介する。
【特許文献１】実明３４８７０１
【特許文献２】特開昭５５−１５６５４１
【特許文献３】実開昭６０−１２１７６４
【特許文献４】特開昭６１−１２２４０
【特許文献５】実開昭６２−１８６６７６
【特許文献６】実開平０５−６０２８５
【特許文献７】特開２０００−２７０７５４
【特許文献８】特許３３０１７５３
【特許文献９】実登３０９３３９６
【非特許文献１】ダーウィン  ミミズと土
【非特許文献２】ジェリー；ミニッチ  ミミズの博物誌
【非特許文献３】中村方子  ミミズのいる地球他
【非特許文献４】渡辺弘之  ミミズのダンスが地球を潤す
【非特許文献５】ケネス；メランビー  モグラ物語
【非特許文献６】今泉吉晴  モグラの地中他
【非特許文献７】手塚甫  モグラ他
【非特許文献８】羽山伸一  野生動物問題
【発明の開示】
【発明が解決しようとする課題】
【０００７】
前項背景技術の特許文献１実明３４８７０１・特許文献３実開昭６０−１２１７６４にあっては、当該捕獲動物が落床に自重を掛ける過程の、体が充分に移動しない時点で、徐々に落床の作動が始まり、足元の動きに当該捕獲動物が警戒して引き下がってしまう場合が生じてしまうという課題を有している。
【０００８】
また、前段落記載の課題を解決した、前項背景技術の特許文献４特開昭６１−１２２４０にあっては、係止具が落床上方端部にあり、当該落床を通過して係止具に誘導する囲いが必要となり、餌が外部からは目視できない。当該捕獲動物は臭気のみの誘引となる。特許文献２特開昭５５−１５６５４１にあっては、設餌部に囲いを必要とせず、当該捕獲動物の視野には、落床中央部に配置された餌のみが提供され、前記課題を解決しているが、補助エネルギーとして、電気エネルギーが必要になり、且つ電動式作動機構が必要となり、構造が複雑で高価な装置になる上に、電池管理という維持管理が付帯的に発生してしまうという課題を有している。
【０００９】
また、従来のモグラ捕獲器に関しては、前項背景技術の特許文献８特許３３０１７５３に代表される如く、地表を観察し当該地表の盛り上がり状態から、既存のモグラトンネルを見つけ、捕獲に最も適切な場所を判断し、そこに埋設しなくてはならない。しかし、地中のモグラトンネル網は、地表からの目視観察はできない。設置適所とされる、モグラの生活行動の主幹的位置づけとなる本道を特定することなど、とうてい普通人の能力範疇にはない。設置場所判断はなかなか難しく、経験を重ねなくてはならない。先行する従来技術の多くは、捕獲の確認を含めて、モグラ取り出しの都度、檻体である一体のモグラ捕獲器を掘り出さなくてならないという課題を有している。前述課題の後者を解決した、前項背景技術の特許文献５実開昭６２−１８６６７６．特許文献７特開２０００−２７０７５４．特許文献９実登３０９３３９６のように捕獲器である檻体の一部もしくは全体を埋設したまま地上捕獲確認可能なもの及びモグラのみ取り出せるものもあるが、設置適所としてモグラトンネル網の本道を求めるという課題を有している。
【００１０】
また、前段落同様モグラ捕獲器に関しては、人間による捕獲駆除の他、非特許文献５・６・７で紹介した、今泉吉晴・手塚甫・ケネス；メランビー等が、モグラの生態に関する学術研究で明らかにしているように、自然の営みとして、動物界の食物連鎖による捕食があっても、直ぐに、主をなくした既存のモグラトンネル網に、他のモグラが進入し、自分のなわばりにしてしまうことが繰り返される。繁殖力の高いモグラは、他の肉食動物の餌として短い生涯を終えるものが多い。長年生存して自然死を迎えるものは極めて少ない。自然界として全体的に観ると、人間による捕獲駆除は一部にすぎない。人間の生活圏以外の自然圏から、人間の生活圏への新生モグラの流入は、自然の展開である。非特許文献８羽山伸一・野生動物問題（Ｐ．７８参照）によると、１９９５年の国土利用実態として、農用地１３．５％・森林６６．５％・原野０．７％・河川など３．５％のデータが報告されている。面積比から判断して、前述の自然圏からの農用地への新生モグラの流入個体数の多さが推測される。従って、背景技術の項で示した従来例による、その場対応の一時的な対症療法捕獲駆除では、モグラの被害を減少させる対策としての効果は低い。古来幾多の発明がなされ、様々な対応がなされているにもかかわらず、人間とモグラとの戦いは、ネズミと同様に、農業を核とした人間の定住生活が始まって以来継続されているという課題を有している。
【００１１】
本発明は、上記のような課題を解決し、当該捕獲動物が、落床の上に完全に自重を移動させた後に、当該落床を作動させ、且つ、誘導囲いを必要とせず、当該捕獲動物の視野に、落床の中央部に配置された餌のみを提供する、外部エネルギーを付加利用しない簡単な落床作動機構（開閉）及び構造を提供することを目的とするものである。
【００１２】
また、モグラ捕獲器にあって、既存のモグラトンネルを見つけて、わなを仕掛ける方法から脱皮し、捕獲に都合の良い場所にモグラトンネルを新設させ、モグラ捕獲に係る器具一式を容易に出し入れ可能にした、定置設置による継続的な連続捕獲を可能にさせる、土地利用に係るモグラ被害の、抜本的対策として予防保全的意味合いのあるモグラ捕獲器を、農用地・公園及び諸施設などの公用地・ゴルフ場、保養地などの自然環境を利用する産業などに提供することを目的とするものである。
【課題を解決するための手段】
【００１３】
このため、本発明の動物捕獲器は、落床からなる動物捕獲器において、当該落床は、常時水平を保ち水平維持に必要な反力以上、且つ前記反力と捕獲動物の自重を加算した値未満の荷重で、当該動物捕獲器の内部である裏面に配置されるバネもしくはバランス錘の与圧具を用い、上方に回動すべく付勢され筐体に枢着し、当該落床は、振り子運動を行う揺動錘、または直線往復運動を行う揺動ロッドの、当該落床の内部である裏面に配置される係止具を用い、常時当該筐体に係止し、当該係止具には連接体を連結し、連接体は、当該落床の中央部を通過しスライド可能状態で表面に支持し、餌籠、餌箱、餌取付具、受圧具のいずれかからなる受圧部材に連結し、また係止具は、係止解除作動力が解除された時に、振り子運動を行う揺動錘は、自重バランスにより、また、直線往復運動を行う揺動ロッドは、補助与圧戻りバネの付勢により、当該落床を係止する姿勢に自動的に復帰する、落床の表面には受圧部材のみが配置される落床の作動機構及び構造からなることを特徴とする。
【００１４】
また、動物捕獲器において、水平方向周囲側面に、少なくとも一つのモグラ進入口を有する外箱は、当該外箱上面が地表に露出するように地中に埋設し、当該外箱の内部に、餌籠、餌箱、餌取付具、受圧具のいずれかからなる受圧部材と落床及び当該落床の作動機構とを配置した内箱であるモグラ受箱を収納する二重箱形構造を有することを特徴とする。
【００１５】
また、水平方向周囲側面に、少なくとも一つのモグラ進入口を有する外箱に蓋を付し、当該蓋上面が地表に露出するように地中に埋設し、当該外箱の内部に、上方より、下面に外箱のモグラ進入口に繋がる誘導通路にミミズ通過口を配置したモグラトンネルが形成された餌箱、落床と当該落床の作動機構を配置した中蓋が一時固着されたモグラ受箱、の順序で積重ねられた構成で設置されることを特徴とする。
【発明の効果】
【００１６】
本発明は、以上のように構成したので、落床の基本的作動機構の利用は、広範な種類の動物捕獲器に適用できる。落床の作動を促す自重を有する、地上及び地中に生息する、総ての動物の捕獲に適用され得る。しかし、運用に当たっては現行法規に基づかなければならない。鳥獣保護及び狩猟の適正化に関する法律・動物の愛護及び管理に関する法律、の二法で、ネズミやモグラなどを除く野生鳥獣は、許可なく捕獲することが禁止されている。農林水産業その他自然環境を利用する産業などの、実質的な営業被害を受けた場合と、人間の生命と安全に関する被害が予測される場合には、有害駆除という制度で、駆除申請し許可を受けた後、捕獲することができる。野生動物の被害問題にかかわる歴史は、ヒトの起源にまでさかのぼることができる。シシ垣などの、中世期の膨大な経済的負担の歴史だけでなく、現代でも、高速道路のシシ垣対策などでは、多くの負担が強いられている。本発明に係る落床の基本構造は、これらの現状を踏まえた捕獲行動の他、学術研究のための生け捕り調査と、自然保護の立場から、自然生態系の維持を目的とした、行政主体による、科学的計画的に裏付けされた保護管理の基に実行される、野生動物の捕獲行動の基本ツールとして利用される可能性を有するという効果を有する。〈記述内容は、非特許文献８羽山伸一・野生動物問題（Ｐ．３９〜Ｐ．７１参照）より引用〉
【００１７】
応用例として、山間傾斜地を利用して、当該傾斜地を部分的に掘り込み、横方向はめ込み方式の大形装置で、有害獣である熊や猪などの大型動物の生け捕り捕獲器へのような応用も可能である。中型動物では、過繁殖になった野犬や野良猫などの生け捕り捕獲器への応用も可能である。クマネズミのようなモグラ同様の他の小型動物への応用も可能である。学術調査や研究のための、一時的な様々な動物捕獲への対応も可能である。という効果を有する。
【００１８】
当該捕獲動物の行動による、本発明に係る落床の作動機構部分に、実施例−１の構成を採用すれば、落床表面に置かれた餌箱もしくは餌籠のみ、もしくは餌取付具を用いた場合は餌のみを、当該捕獲動物の視野に置く設定がとれる。捕集に係る動物受け箱である檻体部分と、落床の作動機構部分は、台下もしくは地中に置く対策が取れる。当該捕獲動物が、完全に落床上に体を移動させた後に当該落床の作動を行う機構と併せて、二重の当該捕獲動物の警戒心を緩和させる対策となる。付帯エネルギーを必要としない、安価でランニングコストの少ない、捕獲効率を高めた動物捕獲器を提供するという効果を有する。
【００１９】
また、モグラ捕獲器において、本発明に係る実施例−２における、一対の中開落床を有する捕集式二重箱型定置型モグラ捕獲器にあっては、外箱を独立させたので、設置にあたり、外箱のみの埋設を先行させ、モグラ進入口下部レベルに仮設床を張り、半腐り状態の稲藁や草もしくは落ち葉などと、モグラの主食であるミミズを入れ、モグラの活動に任せておくことができる。既存のモグラトンネルのない場所でも、やがてモグラは主食であるミミズの臭気に引かれてモグラトンネルを掘り進めてくる。モグラの習性として、非通常的臭気が漂う場合や、非通常的気配のする地下の未知なる空間は、警戒心のため、トンネル内壁を削り、内部の土で塞いでしまう。自らが造ったモグラトンネル網内部でも、同様に通路を閉塞し迂回路を構築する場合もある。〈非特許文献５ケネス；メランビー・モグラ物語では、わなを迂回するモグラの習性が紹介されている。〉本発明に係る試行でも、大方の場合、外箱設置初期においては、外箱内部に、トンネル内の土が押し出され、モグラが進入する気配は感じられない。前記排土を排除してみると、外箱周囲に迂回路が上下左右に掘られている場合がある。ミミズの供給を充分に続けると、徐々に外箱内部も狩り場として、行動範疇に取り入れられていく。やがて外箱内部での行動も活発となりモグラの主食であるミミズも食べ尽くされる。更にミミズを追加してモグラの活動に任せておく、モグラは自身のなわばり内の主要な狩り場として、外箱に通じるモグラトンネル網の構成を造り上げてゆく、外箱内へのトンネル内からの土の押し出しがおさまり、モグラの活発なミミズ捕食活動が確認される時点で、トンネル排土と仮設床を撤去し、モグラ捕獲器具一式を収納する。
【００２０】
設置初期は、受動ブロック（実施例−２図２参照）は外しておき、モグラの行動に任せておく。前段落と同様な結果となる場合もあるが、モグラのミミズ箱に設けられたトンネル通過と、なわばり誇示であるマーキングが確認される時点が、捕獲開始の適期である。土の動きを観察することになる。
【００２１】
前段落及び前々段落記載の内容は、人間による捕獲駆除の他、非特許文献５・６・７で紹介した、今泉吉晴・手塚甫・ケネス；メランビー等のモグラの生態に関する学術研究で明らかにされているように、動物界の食物連鎖による捕食があっても、直ぐに他のモグラが進入し自分のなわばりとしてしまうことが繰り返されるという課題の解決に有効に働く。後続の進入モグラは、先住モグラのモグラトンネル網を、とりあえずそのまま利用する習性があるからである。
【００２２】
より安定した捕集式モグラ捕獲器を実現させるには、外箱位置が、モグラトンネル網の主幹的位置づけとなる、主要な狩り場とする構成が必要である。なわばりの主であるモグラの世代交代が進行することを考慮すると、外箱に通じるモグラトンネルが、後続の進入モグラが早期に利用され得るモグラトンネルに仕上げられる必要がある。設置初期の、前（００１９及び００２０）段落記載の対応の意味合いの重要性がここにある。〈非特許文献５ケネス；メランビー・モグラ物語は、新生モグラが定住できるモグラトンネルを求めて放浪を続ける行動の中に、モグラの生態研究の結果を、児童向け物語としてまとめたものである。〉モグラトンネル網は、地上からは解らない。モグラの行動主幹となる本道を見つけることは容易なことではない。外箱内部に押し出されるモグラトンネル内部からの土の動きを通じて、モグラの行動状態を、想像的に感じ取ることになる。
【００２３】
モグラの世代交代が進み、捕集式捕獲の頻度が低下に至った時にも、モグラ捕獲器具一式を取り出し、設置初期の対応と同様な仮設床を用いた、モグラトンネル再生処理を行う。モグラトンネルへのミミズの進入を促進させ、外箱位置のモグラトンネル網の、主要な狩り場の位置づけを活性化させる。モグラの生態に関する学術研究で明らかにされていることから、将来に渡って継続的に捕集式捕獲駆除を行う必要性がある。継続的維持管理を容易に行えるようにした、より安定した捕集式定置型モグラ捕獲器を提供するという効果を有する。
【００２４】
また、背景の技術の項で示した通り、動物捕獲器において、捕獲室と外箱を併設する二重箱型構造の利用は古くから行われている。外観上の二重箱型構造は既に新規性喪失状態である。しかし、本発明に係る二重箱型構造は、モグラ捕獲器として地中に埋設する方法を発明している。作用として、前述の、モグラの習性を利用しミミズを用いた、モグラトンネル網の主幹的位置付けとなる外箱へのモグラトンネル網の再構築を引き出している。既存のモグラトンネルの本道を特定し、捕獲器を設置する対症療法的対応から脱皮する、前述の本発明の使用方法の内容は、背景の項で示した通り、従来のモグラ捕獲器にはみられない新規性である。定置設置による利用の、農耕作業の非障害化及び美観の確保など、土地利用に係る使用上の利便性と、予防保全的捕集機能とを併せて、従来のモグラ捕獲器にはない新規性を生み出したという効果を有する。
【００２５】
また、本発明に係る実施例−２における、一対の中開落床を有する捕集式二重箱型定置型モグラ捕獲器にあっては、ミミズ箱３０を構造的に大型にできるので、モグラの主食であるミミズの養殖箱としての機能を付加させることができる。本発明に係る試行では、当該ミミズ箱３０内で産卵された卵包と、孵化した微細なミミズの幼体が確認されている。挿し餌と、餌の管理負担が軽減できるモグラ捕獲器を提供するという効果を有する。
【００２６】
また、本発明に係る初期試行では、ミミズ箱を餌箱としてミミズ単体で、小さな箱に投入していた、前記構成ではミミズの長時間生存が安定せず、試行の段階毎に餌箱の大きさを増し、結果的に、ミミズの食料である半腐りの稲藁を追加し、養殖箱とする本発明の構成に至った。
【００２７】
また、本発明に係る試行では、実施例−２に付随して、冬期間のミミズ保存用として、モグラ受け箱２８bの下部にもう一つのミミズ箱を設けてみた。寒冷地では、ミミズは冬季になると地中深くにもぐり地表から姿を消す。上方のミミズ箱３０では冬期間には、低温のためミミズは死滅してしまう。下部ミミズ箱であれば土中深度が増すので凍結もなく、仮死状態になった場合でも生存の可能性が高い。前記試行設置では、厳冬期に、地表周辺の凍結にも関わらず、地中４０ｃｍ深度の下部ミミズ箱では、ミミズ生体の個体数は減少し、活動はほとんど仮眠状態であったが、一方微細なミミズが観測され、卵包の孵化が確認された。冬期間以外でも、ミミズの養殖箱としても利用できる。前記下部ミミズ箱構成は、寒冷地における冬期間のモグラ捕獲対策としての意味合いを生むという効果を有している。
【００２８】
また、本発明に係る、実施例−２における一対の中開落床を有する捕集式二重箱型定置型モグラ捕獲器を、より効果的に早期に立ち上げるには、農耕地であれば耕作及び栽培に支障を与えない場所、庭や公園及びゴルフ場並びに保養地などにあっては、人の利用に支障をきたさない場所、もしくは美観に支障を与えない場所など、設置場所選定の後、当該設置予定場所に、稲藁などの有機堆肥を積み、予めモグラを誘引しておくとよい。本発明に係る試行では、地面に直接積み上げた稲藁は、自然発生的にモグラの主食であるミミズを誘発し増殖する場合が多い、自然発生がなくても、他所よりミミズを稲藁などの有機堆肥に供給すればよい。ミミズが増殖されると、やがてモグラは土中からやってくる。予めモグラトンネル網の主要な狩り場としての構成がある程度構築できる。有機堆肥の下にモグラが頻繁に通う時期が、外箱設置の適期である。
【００２９】
また、前段落記載の稲藁などの有機堆肥は、大量でなくてよい。稲藁であれば小束数束で十分である。人参牛蒡など冬期間の土中根菜越冬保存として、稲藁を小束で数段敷き詰めておくと、春になると、稲藁下面にミミズの繁殖とモグラトンネルの存在が観察される現状がある。
【００３０】
また、本発明に係る捕集式モグラ捕獲の繰り返し利用継続は、自然な土地の営みのバロメーターとなる。ミミズもモグラも生息しない土地は、健康状態が低下しているのである。ミミズが生息し、そのミミズを主食とするモグラが絶えることなくやってくる。周辺地域環境を含めて、土地が活き活きと活動していることの証明である。そこで生産される農作物は、人間に健康を提供してくれる。育まれる植物は健全な自然環境を提供してくれる。土地の健康状態を示してくれるという効果を有する。
【００３１】
また、本発明に係るミミズ利用の構成は、ダーウィン・ジェリー；ミニッチ・中村方子・渡辺弘之等のミミズの生態に関する、実用及び学術研究結果の応用実施例である。
【００３２】
また、本発明によるモグラ捕獲器と、Ｆ１・Ｆターム分類Ａ０１Ｍ２３／００における、／０２〜／３８全域での従来の発明によるモグラ捕獲器との併設を考慮してもよい。本発明の外箱と餌箱に係る二重箱型構造を採用し、モグラ捕獲器の器具一式として、従来の発明によるモグラ捕獲器及び今後の新規発明によるモグラ捕獲器を組み合わせて用いてもよい。生産者の事情に応じた、より生産経済性の高い選択、及び使用者の使い勝手による利便性の選択がなされてよい。モグラ捕獲器に様々な製品仕様が広がってよい。本発明を併用し、従来技術を有効に活用できるという効果を有する。
【発明を実施するための最良の形態】
【００３３】
以下、図面に示す実施例に基づいて、本発明の実施の形態を説明する。図１は落床Ａ１１ａ開閉構造の、基本部分の基本的機構を説明する一実施例を示す、一部分断面である中央部分の斜視図、図２は、一対の中開落床Ｂ１１ｂ及び落床Ｂ’１１ｂ’を有する捕集式二重箱型定置型モグラ捕獲器の、一実施例を示す、一部分断面斜視図、図３は図２における、餌箱８であるミミズ箱３０の一部分断面である斜視図、図４は図２における、本発明に係る落床作動部Ｂ１ｂである、モグラ受箱２８ｂ上部中蓋部の一対の中開落床Ｂ１１ｂ及び落床Ｂ’１１ｂ’作動に係る機構部分の一部分断面斜視図、図５は図４における、一対の中開落床Ｂ１１ｂ及び落床Ｂ’１１ｂ’を相互に係止する係止具Ｂ’４ｂ’の機構を説明する、拡大部分断面を示す斜視図、図６は図４における、落床Ｂ１１ｂと落床支持プレート１６を係止する係止具Ｂ４ｂの機構を説明する、拡大部分断面を示す斜視図、図７は本発明に係る落床作動部Ｃ１ｃを有する、地中Ｃ３６ｃ埋込タイプの動物捕獲器の一実施例を説明する、中央部分の断面図、図８は本発明に係る落床作動部Ｄ１ｄを有する、段丘地適応タイプの動物捕獲器の一実施例を説明する、中央部分の断面図、図９は本発明に係る落床作動部Ｅ１ｅを有する、床６ｅ置きタイプの動物捕獲器の一実施例を説明する、中央部分の断面図を示す説明図である。
【実施例】
【００３４】
（実施例−１）
図１に示すように、本実施例−１は、本発明に係る落床作動部Ａ１ａ部分である、落床開閉作動機構に係る構造は、落床Ａ１１ａは、前記落床Ａ１１ａの水平維持に必要な反力以上で、前記反力と当該捕獲動物の自重を加算した値未満の荷重をもった、落床付勢機構部Ａ２ａ部分である、落床付勢引張コイルバネＡ１２ａで、上方に付勢をもって、常時は水平を保つように落床Ａ受部１８ａに度当たりして、筐体２８ａに蝶番Ａ１３ａによって枢着される。当該落床Ａ１１ａの枢着辺に左側で対向する辺の裏面に配置された、振り子運動支点２１を運動支点とする爪ロック板振り子錘２０ａと、筐体２８ａの裏面に固着された係止受具Ａ２４ａによって構成される係止具Ａ４ａによって、筐体２８ａと落床Ａ１１ａが裏面において係止される。落床Ａ１１ａ表面中央部分に受圧部Ａ３ａである餌籠１９ａが配置され、ロープ通過穴Ａ１５ａを通過する連接ロープＡ２６ａによって、餌籠１９ａと爪ロック板振り子錘２０ａとが連接ロープＡ２６ａが緊張された状態で連結される。筐体２８ａは上方開口の箱体であり、落床Ａ１１ａが枢着されることにより捕獲室Ａ５ａを備えた捕獲檻体を構成する。
【００３５】
落床Ａ１１ａの開閉作動機構について説明する。落床Ａ１１ａの表面に、当該捕獲動物が侵入し、餌籠１９ａ内に入れられた餌を捕食しようと餌籠１９ａに加圧接触を行う。餌籠１９ａは前記加圧力により移動する。前記移動は連接ロープＡ２６ａを介して爪ロック板振り子錘２０ａを反時計方向に回動させ、係止状態を解除する。この時、餌籠１９ａが落床Ａ１１ａ上のどんな自由方向に移動しても、連接ロープＡ２６ａは、一点であるロープ通過穴Ａ１５ａを支点として上方に引き出されるので、爪ロック板振り子錘２０ａの動きは、反時計方向で常に一定方向となる。
【００３６】
係止が解除された落床Ａ１１ａは、当該捕獲動物の自重により左側で片開き落下（傾斜）する。前記落床Ａ１１ａの落下により、当該捕獲動物は落床Ａ１１ａ上を滑りながら捕獲室Ａ５ａの下方に落下する。この時、落床Ａ１１ａの表面積は、当該捕獲動物の体長（頭部より後足まで）以上を半径とする、餌籠１９ａを中心とした円面積以上が必要となる。
【００３７】
爪ロック板振り子錘２０ａは係止状態で振り子運動支点２１より右側に重心設定をしておく、したがって、落床Ａ１１ａの下方落下（傾斜）時には、当該捕獲動物の落下に伴い餌籠１９ａに与えられていた移動力が解放されると、餌籠１９ａを引擦りながら連接ロープＡ２６ａの緊張状態まで時計方向に反転する。この時の反転力はバネによる付勢を利用してもよい。
【００３８】
当該捕獲動物が落床Ａ１１ａの下方に落下すると、当該落床Ａ１１ａは作動力を失い、落床付勢引張コイルバネＡ１２ａのバネ圧によって、運動の方向が反転され上方に戻る。前段落で説明した通り、すでに爪ロック板振り子錘２０ａは、初期状態を回復しているので、係止受具Ａ２４ａに当たる。係止受具Ａ２４ａには斜面Ａ２５ａが付されているので、爪ロック板振り子錘２０ａは、反時計方向に押し戻されて落床Ａ１１ａが水平状態に復帰する状態に戻る。爪ロック板振り子錘２０ａは重心バランスにより再度時計方向に反転し、筐体２８ａと落床Ａ１１ａが係止される。以上の一連の作動により、全体の初期状態自動復帰がなされ、一回の作動が完結される。以後は同様な繰り返し作動がなされる。
【００３９】
また、餌籠１９ａになされる捕食接触は、餌の消費がなされないことを目的とした籠構成であるが、直接餌を捕食する餌取付具構成であってもよいし、次に実施例−２に示す一対の中開落床を有する捕集式二重箱形定置型モグラ捕獲器のように、当該捕獲動物の餌を追い求める行動接触による受圧具構成であってもよい。当該捕獲動物の習性によって、様々な展開ができる。
【００４０】
また、本実施例−１では、連接体としてロープを採用しているが、ロープ通過穴Ａ１５ａは、摩擦力低減を目的とし、外周溝半丸を対向させて円形のロープ通過穴を構成する、一対のプーリーによる機構に置き換えてもよい。
【００４１】
また、落床Ａ１１ａ下方の捕獲動物受け部の檻体は、空間箱体であってもよいし、水槽や粘着シートが敷設されたものであってもよい。搬送され得る吸引シューターであってもよい。様々な応用が可能である。
【００４２】
また、落床付勢引張コイルバネＡ１２ａは、定圧荷重バネであってもよい。枢着軸を支点とした、バランス錘の利用であってもよい。捕獲室内部で蝶番Ａ１３ａより左側で、落床Ａ１１ａを押し上げる構成の圧縮コイルバネを用いてもよい。
【００４３】
（実施例−２）
図２に示すように、本実施例−２における一対の中開落床を有する捕集式二重箱形定置型モグラ捕獲器の構造は、蓋７を地表Ｂ６ｂより上部に出して、地中に定置常設される上方開口の直方箱体である、周囲４側面に各々モグラ進入口２９を有する外箱Ｂ９ｂの内部に、モグラ捕獲器具一式を収納する、二重箱形構造となっている。
【００４４】
前段落記載のモグラ捕獲器具一式は、図３に示す、底面にミミズ通過口３４を有するモグラトンネル壁３２で構成するモグラトンネル３３、及びポールガイド筒３１を備えた餌箱８であるミミズ箱３０と、中開き（観音開き）である落床Ｂ１１ｂ及び落床Ｂ’１１ｂ’を作動支持させる機構一式を併設した中蓋を上部に一時固着で配置した捕獲室Ｂ５ｂであるモグラ受箱２８ｂとした構造から構成する。
【００４５】
また、モグラトンネルの構成は、ミミズ箱を平底とし、モグラトンネルは、中蓋側に配置する構成としてもさしつかえない。
【００４６】
前（００４４）段落記載のモグラ受け箱２８ｂ上部中蓋構成を説明する。図４において、落床Ｂ１１ｂは、落床支持プレート１６に枢着軸Ｂ１３ｂをもって枢着される。落床支持プレート１６はモグラ受箱２８ｂの上端面にネジにより一時固着される。落床Ｂ１１ｂと落床Ｂ’１１ｂ’は、モグラ受箱２８ｂの上部矩形四隅において同様な枢着であり、前記構成により下方中開き（観音開き）構造となる。中蓋はモグラ取り出しの都度外されることになる。
【００４７】
落床Ｂ１１ｂ裏面には、落床付勢機構部Ｂ２ｂを構成する、Ｌ字形の落床付勢引張コイルバネＢ取付ステー１４が固着され、下方先端に落床付勢引張コイルバネＢ１２ｂが支持される。中開き線を中心線として対称位置に、落床Ｂ’１１ｂ’裏面にも同様な落床付勢引張コイルバネＢ取付ステーが固着されており、落床付勢引張コイルバネＢ１２ｂの右側他端が支持され、一本の落床付勢引張コイルバネB１２ｂで、落床Ｂ１１ｂと落床Ｂ’１１ｂ’が同時に、中開き上方付勢が確保される。落床付勢引張コイルバネＢ取付ステー１４はＬ字形となっており落床付勢引張コイルバネＢ１２ｂは、落床支持プレート１６の下方に位置する。このため、モグラの落下時には障害とならない。落床付勢引張コイルバネＢ１２ｂの損傷が防止できる。
【００４８】
落床支持プレート１６には、落床Ｂ（Ｂ’）受部１８ｂが付されており、同時に、落床Ｂ１１ｂと落床Ｂ’１１ｂ’の上方付勢度当たりとなり、水平状態が確保される。（図６参照）
【００４９】
落床Ｂ１１ｂには、図５に示す通りロープ通過穴Ｂ１５ｂが中央右部にある。前記ロープ通過穴Ｂ１５ｂを通過して連接ロープＢ２６ｂが、落床Ｂ１１ｂの表面に受動ブロック１９ｂ、裏面には図６に詳細を示す係止具Ｂ４ｂに緊張状態で連結される。受動ブロック１９ｂ及びロープ通過穴Ｂ１５ｂの位置は、図３に示したモグラトンネル３３の中央部の十字交叉内空間となる。
【００５０】
落床Ｂ１１ｂの右側手前裏面には、図６に詳細を示す係止具Ｂ４ｂが固着されており、落床支持プレート１６の中央部裏面に固着された係止受具Ｂ２４ｂにより係止されている。
【００５１】
落床Ｂ’１１ｂ’中央左部裏面には、図５に詳細を示す係止具Ｂ’４ｂ’が固着されており、落床Ｂ１１ｂの中央右部裏面に固着された係止受具Ｂ’２４ｂ’により、落床Ｂ１１ｂと落床Ｂ’１１ｂ’は、相互に係止されている。
【００５２】
落床Ｂ１１ｂ及び落床Ｂ’１１ｂ’の付勢動作について説明する。引き伸ばされた落床付勢引張コイルバネＢ１２ｂは、引張力が０となるまで総丈収縮力が働く、両端面の落床付勢引張コイルバネＢ取付ステー１４と対称位置にある同様な落床付勢引張コイルバネＢ取付ステー（図示はしていない）の支持点が、最短距離になるように水平方向に働く。前記落床付勢引張コイルバネＢ１２ｂの両端支持点は枢着軸Ｂ１３ｂを中心として各々回動する。すなわち、前記支持点における垂直方向分力が、落床Ｂ１１ｂ及び落床Ｂ’１１ｂ’の押し上げ付勢として働く。理論的には、一対の中開落床の両側枢着２軸と、引張コイルバネ両端の４点が同一直線上に並ぶまで、垂直分力は働くことになる。従って、一本の引張コイルバネで二枚一対の落床に、同時に上方復元付勢が与えられる。
【００５３】
落床開閉作動機構を説明する。四つのモグラ進入口２９のいずれか一方からモグラトンネル３３に進入したモグラは、中央部空間の受動ブロック１９ｂに到達し、前方に進行するために、受動ブロック１９ｂを排除しようと移動させる。（以下図５及び図６参照）受動ブロック１９ｂの移動は、ロープ通過穴Ｂ１５ｂを通過する連接ロープＢ２６ｂを介して、前記連接ロープB２６ｂに固着されたロープフック２７によって、一対のロッド支持板Ｂ２２ｂによって支持された係止ロッドＢ２０ｂを引く。落床支持プレート１６に固着された係止受具Ｂ２４ｂから係止ロッドＢ２０ｂが外れ係止が解除される。以下初期状態復帰までの一連の作動は、図１における実施例−１と同様である。ただしここでは、斜面Ａ２５ａが斜面Ｂ２５ｂに、爪ロック板振り子錘２０ａが係止ロッドＢ２０ｂに、爪ロック板振り子錘２０ａの重心バランスによる戻り付勢がロッド付勢圧縮コイルバネＢ２３ｂに置き換えられている。
【００５４】
落床Ｂ１１ｂと落床Ｂ’１１ｂ’は、図５に示すとおり、一対のロッド支持板Ｂ’２２ｂ’によって支持され、ロッド付勢圧縮コイルバネＢ’２３ｂ’によって戻り付勢された係止ロッＢ’２０ｂ’と係止受具Ｂ’２４ｂ’によって係止されているので、前段落で起動される落床落下は、落床Ｂ１１ｂと落床Ｂ’１１ｂ’が一体となって同時に進行する。モグラが四方向のいずれのモグラトンネル３３に位置しても同じ結果となる。落床Ｂ１１ｂと落床Ｂ’１１ｂ’は下方開きして離れるので、やがて係止受具Ｂ’２４ｂ’と係止ロッドＢ’２０ｂ’の係止は係止ロッドＢ’２０ｂ’の動きが無くても相互に離れ係止が解除される。係止受具Ｂ’２４ｂ’の係止ロッドＢ’２０ｂ’が勘合する受穴は、傾斜に伴う咬み合い防止のための上方余裕が確保されている。
【００５５】
落床Ｂ１１ｂと落床Ｂ’１１ｂ’の中開きに伴い、モグラは中開き中心に移動することになるが、いずれか一方の落床が先にモグラ自重から解放されることになる。先に解放された落床から水平復帰に運動の方向を変える。一連の落下と復帰に伴う作動は、基本的に図１における実施例−１と同様であるが、落床Ｂ１１ｂが先に復帰した場合は、係止受具Ｂ’２４ｂ’の下斜面である斜面Ｂ’２５ｂ’が、係止ロッドＢ’２０ｂ’を押し戻すことになる。落床Ｂ’１１ｂ’が先に復帰した場合は、落床Ｂ１１ｂのロッドＢ’逃げ１５ｂ’を係止ロッドＢ’２０ｂ’が通過した後、係止受具Ｂ’２４ｂ’の上斜面である斜面Ｂ”２５ｂ”が係止ロッドＢ’２０ｂ’を押し戻す。以上の構成により、モグラが４方向のいずれのモグラトンネル３３から進入して、受動ブロック１９ｂをどの自由方向に移動させても、同一の落床Ｂ１１ｂと落床Ｂ’１１ｂ’との中開落床と復帰の一連の動作が確保される。
【００５６】
図２において、落床作動表示ポール１７は、ミミズ箱３０の底面に固着されたポールガイド筒３１内で、落床Ｂ１１ｂに開けられたポール逃穴１５ｂ”（図４参照）の左肩に、先端斜面を引っ掛ける姿勢で配置される。落床Ｂ１１ｂの落下に伴う傾斜で、ポール逃穴１５ｂ”の左肩は、枢着の円弧運動により落下に伴い左側に移動する。したがって落床作動表示ポール１７は、ポール逃穴１５ｂ”内を通過してモグラ受箱２８ｂ内に落下し、地上から落床Ｂ１１ｂの初回作動を確認できることになる。
【００５７】
また、ミミズ箱３０内には、半腐り状態の稲藁や草もしくは落ち葉などを入れ、モグラの主食であるミミズが飼育されている。ミミズは徘徊習癖があり、ミミズ通過口３４を通り、モグラトンネル３３及び捕獲器外部の地中モグラトンネル内へと徘徊してゆく、結果として、モグラがモグラトンネル３３内でミミズを追う行動を誘発し受動ブロック１９ｂの作動に繋がる。
【００５８】
（実施例−３）
図７に示すように、本実施例−３における、地中埋込タイプの動物捕獲器の構造は、地中Ｃ３６ｃに上方開口の直方箱体である外箱Ｃ９ｃが、開口端部が地表Ｃ６ｃと同一レベルに埋設される、当該外箱Ｃ９ｃの内部に、実施例−２と同様に、上部に本発明に係る落床作動部Ｃ１ｃ及び、落床Ｃ１１ｃと落床Ｃ’１１ｃ’と餌取付具に取り付けられた餌Ｃ１９ｃが配置された捕獲室Ｃ５ｃである動物受け箱Ｃ２８ｃが挿入されている。上方外気接触の表面は、地表Ｃ擬似処理３５Ｃが付された構造である。（動物受け箱Ｃ２８ｃを筐体としてポール支持部を配置し、実施例−２と同様な落床作動表示構造を付してもよい。）
【００５９】
当該捕獲動物の捕獲に係る作動機構は、実施例−２と同一である。
【００６０】
また、本実施例−３は、野ネズミなどの小型野生動物からイタチや狸などの中型野生動物の捕獲に適している。
【００６１】
（実施例−４）
図８に示すように、本実施例−４における、段丘地適応タイプの動物捕獲器の構造は、地中Ｄ３６ｄと地表Ｄ６ｄで構成される段丘地に、実施例−２と同様に、上部に本発明に係る落床作動部Ｄ１ｄ及び、落床Ｄ１１ｄと落床Ｄ’１１ｄ’と餌取付具に取り付けられた餌Ｄ１９ｄが配置された捕獲室Ｄ５ｄである動物受け箱Ｄ２８ｄが、渡板３７により、段丘の上方の地表Ｄ６ｄに橋渡しされている。渡板３７と落床Ｄ１１ｄと落床Ｄ’１１ｄ’の表面は、地表Ｄ擬似処理３５ｄが付された構造である。（実施例−３と同様な落床作動表示構造を付してもよい。）
【００６２】
また、当該捕獲動物の警戒心感覚程度により、側面部位にも擬似処理による動物受け箱Ｄ２８ｄ隠蔽対策を必要とされる場合も想定できる。実施例−５においても表面全体において同様である。
【００６３】
当該捕獲動物の捕獲に係る作動機構は、実施例−２と同一である。
【００６４】
また、本実施例−４は、山間地に生息する、狐などの中型野生動物から熊や猪などの大型野生動物の捕獲に適している。
【００６５】
また、てごろな段丘地がない場合には、斜面堀込みによって捕獲室Ｄ５ｄをはめ込み式としてもよい。
【００６６】
（実施例−５）
図９に示すように、本実施例−５における、床置きタイプの動物捕獲器の構造は、実施例−２と同様に、上部に本発明に係る落床作動部Ｅ１ｅ及び、落床Ｅ１１ｅと落床Ｅ’１１ｅ’と餌取付具に取り付けられた餌Ｅ１９ｅが配置された捕獲室Ｅ５ｅである動物受け箱Ｅ２８ｅが、二つの蝶番Ｅ３９及び重ね厚調整板４１によって、三つ折りタイプに構成された登坂板４０で、登坂板受部３８よって、落床Ｅ’１１ｅ’が床６ｅと斜面橋渡しされて床６ｅ上に置かれる。（実施例−３と同様な落床作動表示構造を付してもよい。）
【００６７】
当該捕獲動物の捕獲に係る作動機構は、実施例−２と同一である。
【００６８】
また、本実施例−５は、ネズミなどの屋内に生息する小型野生動物の捕獲に適している。食品倉庫などの各種倉庫のネズミ対策に有効である。屋内に拘らず、屋外の野生動物にも対応できる。
【００６９】
また、ネズミは垂直壁をよじ登る習性がある。送電線の鉄塔や船舶の停泊ロープにみられるネズミ返しがそれを証明している。階段のない平屋の民家でも、天井裏を住みかとし台所を往復している。ネズミ対応の場合には、捕獲室内を仕切り、付勢バネステーの回動逃げ穴を有する付勢バネ保護室の設定が必要となる。
【００７０】
また、実施例―４及び実施例―５において、捕獲室の一面に開閉機能を付与し二重箱形構造を採用すれば、定置型とでき更に捕獲動物の事後扱いが改善される。
【産業上の利用可能性】
【００７１】
本発明は、広範な種類の動物捕獲器に適用できる。自動復帰型落下式床の作動を促す自重を有する、地上及び地中に生息する、総ての動物の捕獲に適用され得る。現代では、野生動物に係る諸問題は、単に農用地が荒らされる内容だけには留まらない。開発の多様化は、野生動物の生活圏を狭めてきた。人間との生活域接点での諸問題の他、大都市圏においても、野犬及び野良猫問題、熊ネズミ及び外来種の大型ネズミの過繁殖問題など、都市環境下においても、新手の問題が発生してきている。ペット導入や生産上での改良導入による、外来種動物の野生化過繁殖問題は、日本古来の固有種を絶滅に追いやる問題も指摘されている。人間の生産行動に係る問題の他、生活の安全上の問題、更には、日本国土としての環境維持保全問題など様々な問題が、現実に課せられている。個々の問題に係るそれぞれの産業と行政分野において、本発明は、前述の諸問題に対応する、野生動物捕獲の基本ツールとして、利用の可能性を有している。
【図面の簡単な説明】
【００７２】
【図１】落床Ａ１１ａ開閉構造の、基本部分の基本的機構を説明する一実施例を示す、一部分断面である中央部分の斜視図である。
【図２】一対の中開落床Ｂ１１ｂ及び落床Ｂ’１１ｂ’を有する捕集式二重箱型定置型モグラ捕獲器の、一実施例を示す、一部分断面斜視図である。
【図３】図２における、餌箱８であるミミズ箱３０の一部分断面である斜視図である。
【図４】図２における、本発明に係る落床作動部Ｂ１ｂである、モグラ受箱２８ｂ上部中蓋部の一対の中開落床Ｂ１１ｂ及び落床Ｂ’１１ｂ’作動に係る機構部分の一部分断面斜視図である。
【図５】図４における、一対の中開落床Ｂ１１ｂ及び落床Ｂ’１１ｂ’を相互に係止する係止具Ｂ’４ｂ’の機構を説明する、拡大部分断面を示す斜視図である。
【図６】図４における、落床Ｂ１１ｂと落床支持プレート１６を係止する係止具Ｂ４ｂの機構を説明する、拡大部分断面を示す斜視図である。
【図７】本発明に係る落床作動部Ｃ１ｃを有する、地中Ｃ３６ｃ埋込タイプの動物捕獲器の一実施例を説明する、中央部分の断面図である。
【図８】本発明に係る落床作動部Ｄ１ｄを有する、段丘地適応タイプの動物捕獲器の一実施例を説明する、中央部分の断面図である。
【図９】本発明に係る落床作動部Ｅ１ｅを有する、床６ｅ置きタイプの動物捕獲器の一実施例を説明する、中央部分の断面図である。
【符号の説明】
【００７３】
１ａ    本発明に係る落床作動部Ａ
１ｂ    本発明に係る落床作動部B
１ｃ    本発明に係る落床作動部C
１ｄ    本発明に係る落床作動部D
１ｅ    本発明に係る落床作動部E
２ａ    落床付勢機構部A
２ｂ    落床付勢機構部B
３ａ    受圧部Ａ
３ｂ    受圧部Ｂ
４ａ    係止具Ａ
４ｂ    係止具Ｂ
４ｂ’  係止具Ｂ’
５ａ    捕獲室Ａ
５ｂ    捕獲室Ｂ
５ｃ    捕獲室Ｃ
５ｄ    捕獲室Ｄ
５ｅ    捕獲室Ｅ
６ｂ    地表Ｂ
６ｃ    地表Ｃ
６ｄ    地表Ｄ
６ｅ    床
７      蓋
８      餌箱
９ｂ    外箱Ｂ
９ｃ    外箱Ｃ
１１ａ    落床Ａ
１１ｂ    落床Ｂ
１１ｂ’  落床Ｂ’
１１ｃ    落床Ｃ
１１ｃ’  落床Ｃ’
１１ｄ    落床Ｄ
１１ｄ’  落床Ｄ’
１１ｅ    落床Ｅ
１１ｅ’  落床Ｅ’
１２ａ    落床付勢引張コイルバネＡ
１２ｂ    落床付勢引張コイルバネＢ
１３ａ    蝶番Ａ
１３ｂ    枢着軸Ｂ
１４      落床付勢引張コイルバネＢ取付ステー
１５ａ    ロープ通過穴Ａ
１５ｂ    ロープ通過穴Ｂ
１５ｂ’  ロッドＢ’逃げ
１５ｂ”  ポール逃げ穴
１６      落床支持プレート
１７      落床作動表示ポール
１８ａ    落床Ａ受け部
１８ｂ    落床Ｂ（Ｂ’）受け部
１９ａ    餌籠
１９ｂ    受動ブロック
１９ｃ    餌Ｃ
１９ｄ    餌Ｄ
１９ｅ    餌Ｅ
２０ａ    爪ロック板振り子錘
２０ｂ    係止ロッドＢ
２０ｂ’  係止ロッドＢ’
２１      振り子運動支点
２２ｂ    ロッド支持板Ｂ
２２ｂ’  ロッド支持板Ｂ’
２３ｂ    ロッド付勢圧縮コイルバネＢ
２３ｂ’  ロッド付勢圧縮コイルバネＢ’
２４ａ    係止受具Ａ
２４ｂ    係止受具Ｂ
２４ｂ’  係止受具Ｂ’
２５ａ    斜面Ａ
２５ｂ    斜面Ｂ
２５ｂ’  斜面Ｂ’
２５ｂ”  斜面Ｂ”
２６ａ    連接ロープＡ
２６ｂ    連接ロープＢ
２７      ロープフック
２８ａ    筐体
２８ｂ    モグラ受け箱
２８ｃ    動物受け箱Ｃ
２８ｄ    動物受け箱Ｄ
２８ｅ    動物受け箱Ｅ
２９      モグラ進入口
３０      ミミズ箱
３１      ポールガイド筒
３２      モグラトンネル壁
３３      モグラトンネル
３４      ミミズ通過口
３５ｃ    地表Ｃ擬似処理
３５ｄ    地表Ｄ擬似処理
３６ｃ    地中Ｃ
３６ｄ    地中Ｄ
３７      渡板
３８      登坂板受部
３９      蝶番Ｅ
４０      登坂板
４１      重ね厚調整板